(57)【特許請求の範囲】
【請求項１】
送信すべき制御チャネルを送信するために使用されるｍ個の物理リソース・ブロック・ペアを決定するステップであって、前記ｍ個の物理リソース・ブロック・ペアはｍ×ｎ個の分散された第１の物理リソース要素を含み、前記分散された第１の物理リソース要素の各々はｑ個の第２の物理リソース要素を含み、ｍ≧１、ｎ≧１、ｑ≧２、およびｍ、ｎ、およびｑは全て整数であり、１つの分散された第１の物理リソース要素により占有されるリソース要素は少なくとも２つの物理リソース・ブロック・ペア内で分散される、ステップと、
送信すべき前記制御チャネルの集約レベルＬを決定するステップであって、Ｌ≧１であり、Ｌは整数であるステップと、
前記集約レベルＬに従って、前記集約レベルＬでの第１の制御チャネル候補を決定するステップであって、前記第１の制御チャネル候補はＬ個の分散された第１の物理リソース要素に対応し、Ｌ×ｑ個の第２の物理リソース要素に対応するステップと、
前記第１の制御チャネル候補がマップされる物理リソースに、送信すべき前記制御チャネルの制御情報を配置し、前記制御情報を送信するステップと、
を含み、
前記物理リソース・ブロック・ペアの各々がｎ個のサブブロックを含み、各サブブロックがｑ個の第２の物理リソース要素を含み、前記ｍ個の物理リソース・ブロック・ペアがｎ個のサブブロック・グループを含み、各サブブロック・グループが、ｍ個のサブブロックを含み、前記ｍ個のサブブロックが異なる物理リソース・ブロック・ペア内に配置され、前記ｍ個の物理リソース・ブロック・ペア内に含まれる前記ｍ×ｎ個の分散された第１の物理リソース要素が、それぞれｘ、ｘ＋１、・・・、ｘ＋ｍ×ｎ−１と番号を付され、サブブロック・グループの各々がｍ×ｑ個の第2の物理リソース要素を含み、各サブブロック・グループ内のｍ個の分散された第１の物理リソース要素がｙ、ｙ＋１、・・・、ｙ＋ｍ−１と番号を付され、ｙの値はｘ、ｘ＋ｍ、ｘ＋２ｍ、・・・、ｘ＋（ｎ−１）×ｍであり、
前記集約レベルＬでの前記第１の制御チャネル候補がＬ個の分散された第１の物理リソース要素を連続的に占有し、前記Ｌ個の分散された第１の物理リソース要素の開始番号がｚであり、（ｚ）ｍｏｄ（Ｌ）＝０を満たし、ｍｏｄはモジュロ演算を示す、制御チャネルを送信するための方法。
【請求項２】
第１の物理リソース要素がＡ個の物理リソース・ブロック・ペアにマップされるとき、前記第１の物理リソース要素は前記Ａ個の物理リソース・ブロック・ペアの各物理リソース・ブロック・ペアにおける同数の第２の物理リソース要素を占有し、かつ／または
前記ｍ個の物理リソース・ブロック・ペアにおいて、任意の物理リソース・ブロック・ペアの中の任意のサブブロックは１つの局所化された第１の物理リソース要素に対応する、
請求項１に記載の方法。
【請求項３】
前記集約レベルＬで、制御チャネル候補の数がＭであるとき、任意の制御チャネル候補がＬ個の分散された第１の物理リソース要素を連続的に占有し、Ｍ個の制御チャネル候補はＭ×Ｌ個の分散された第１の物理リソース要素を連続的に占有する、請求項１または２に記載の方法。
【請求項４】
１つの分散された第１の物理リソース要素に含まれるｑ個の第２の物理リソース要素のインデックスが与えられると、前記ｑ個の第２の物理リソース要素が、前記ｍ個の物理リソース・ブロック・ペアにおける任意の物理リソース・ブロック・ペアから開始するｆ−１個の物理リソース・ブロック・ペアの間隔で物理リソース・ブロック・ペアに周期的にマップされ、
【数１】
0006032511.tif 000206
であり、
【数２】
0006032511.tif 000207
はｍ／ｑの切上げを示す、請求項１乃至３の何れか１項に記載の方法。
【請求項５】
送信すべき制御チャネルを送信するために使用されるｍ個の物理リソース・ブロック・ペアを決定するステップであって、前記ｍ個の物理リソース・ブロック・ペアはｍ×ｎ個の分散された第１の物理リソース要素を含み、前記分散された第１の物理リソース要素の各々はｑ個の第２の物理リソース要素を含み、ｍ≧１、ｎ≧１、ｑ≧２、およびｍ、ｎ、およびｑは全て整数であり、１つの分散された第１の物理リソース要素により占有されるリソース要素は少なくとも２つの物理リソース・ブロック・ペア内で分散される、ステップと、
集約レベルＬに従って、Ｍ個の制御チャネル候補を前記集約レベルＬで決定するステップであって、前記制御チャネル候補の各々はＬ個の第１の物理リソース要素に対応し、Ｌ×ｑ個の第２の物理リソース要素に対応するステップと、
前記Ｍ個の制御チャネル候補を検出するステップと、
を含み、
前記物理リソース・ブロック・ペアの各々がｎ個のサブブロックを含み、各サブブロックがｑ個の第２の物理リソース要素を含み、前記ｍ個の物理リソース・ブロック・ペアがｎ個のサブブロック・グループを含み、各サブブロック・グループが、ｍ個のサブブロックを含み、前記ｍ個のサブブロックが異なる物理リソース・ブロック・ペア内に配置され、前記ｍ個の物理リソース・ブロック・ペア内に含まれる前記ｍ×ｎ個の分散された第１の物理リソース要素が、それぞれｘ、ｘ＋１、・・・、ｘ＋ｍ×ｎ−１と番号を付され、サブブロック・グループの各々がｍ×ｑ個の第2の物理リソース要素を含み、各サブブロック・グループ内のｍ個の分散された第１の物理リソース要素がｙ、ｙ＋１、・・・、ｙ＋ｍ−１と番号を付され、ｙの値はｘ、ｘ＋ｍ、ｘ＋２ｍ、・・・、ｘ＋（ｎ−１）×ｍであり、
前記集約レベルＬでの第１の制御チャネル候補がＬ個の分散された第１の物理リソース要素を連続的に占有し、前記Ｌ個の分散された第１の物理リソース要素の開始番号がｚであり、（ｚ）ｍｏｄ（Ｌ）＝０を満たし、ｍｏｄはモジュロ演算を示す、制御チャネルを受信するための方法。
【請求項６】
第１の物理リソース要素がＡ個の物理リソース・ブロック・ペアにマップされるとき、前記第１の物理リソース要素は前記Ａ個の物理リソース・ブロック・ペアの各物理リソース・ブロック・ペアにおける同数の第２の物理リソース要素を占有し、かつ／または
前記ｍ個の物理リソース・ブロック・ペアにおいて、任意の物理リソース・ブロック・ペアの中の任意のサブブロックは１つの局所化された第１の物理リソース要素に対応する、
請求項５に記載の方法。
【請求項７】
前記集約レベルＬで、制御チャネル候補の数がＭであるとき、任意の制御チャネル候補がＬ個の分散された第１の物理リソース要素を連続的に占有し、前記Ｍ個の制御チャネル候補はＭ×Ｌ個の分散された第１の物理リソース要素を連続的に占有する、請求項５または６に記載の方法。
【請求項８】
１つの分散された第１の物理リソース要素に含まれるｑ個の第２の物理リソース要素のインデックスが与えられると、前記ｑ個の第２の物理リソース要素が、前記ｍ個の物理リソース・ブロック・ペアにおける任意の物理リソース・ブロック・ペアから開始するｆ−１個の物理リソース・ブロック・ペアの間隔で物理リソース・ブロック・ペアに周期的にマップされ、
【数３】
0006032511.tif 000208
であり、
【数４】
0006032511.tif 000209
はｍ／ｑの切上げを示す、請求項５乃至７の何れか１項に記載の方法。
【請求項９】
送信すべき制御チャネルを送信するために使用されるｍ個の物理リソース・ブロック・ペアを決定し、送信すべき前記制御チャネルの集約レベルＬを決定し、前記集約レベルＬに従って、前記集約レベルＬでの第１の制御チャネル候補を決定するように構成されたプロセッサであって、前記ｍ個の物理リソース・ブロック・ペアはｍ×ｎ個の分散された第１の物理リソース要素を含み、前記分散された第１の物理リソース要素の各々はｑ個の第２の物理リソース要素を含み、ｍ≧１、ｎ≧１、ｑ≧２、およびｍ、ｎ、およびｑは全て整数であり、１つの分散された第１の物理リソース要素により占有されるリソース要素は少なくとも２つの物理リソース・ブロック・ペア内で分散され、Ｌ≧１であり、Ｌは整数であり、前記第１の制御チャネル候補はＬ個の分散された第１の物理リソース要素に対応し、Ｌ×ｑ個の第２の物理リソース要素に対応する、プロセッサと、
前記プロセッサにより決定された前記第１の制御チャネル候補がマップされる物理リソースに、送信すべき前記制御チャネルの制御情報を配置し、前記制御情報を送信するように構成された送信器と、
を備え、
前記物理リソース・ブロック・ペアの各々がｎ個のサブブロックを含み、各サブブロックがｑ個の第２の物理リソース要素を含み、前記ｍ個の物理リソース・ブロック・ペアがｎ個のサブブロック・グループを含み、各サブブロック・グループが、ｍ個のサブブロックを含み、前記ｍ個のサブブロックが異なる物理リソース・ブロック・ペア内に配置され、前記ｍ個の物理リソース・ブロック・ペア内に含まれる前記ｍ×ｎ個の分散された第１の物理リソース要素が、それぞれｘ、ｘ＋１、・・・、ｘ＋ｍ×ｎ−１と番号を付され、サブブロック・グループの各々がｍ×ｑ個の第2の物理リソース要素を含み、各サブブロック・グループ内のｍ個の分散された第１の物理リソース要素がｙ、ｙ＋１、・・・、ｙ＋ｍ−１と番号を付され、ｙの値はｘ、ｘ＋ｍ、ｘ＋２ｍ、・・・、ｘ＋（ｎ−１）×ｍであり、
前記集約レベルＬでの前記第１の制御チャネル候補がＬ個の分散された第１の物理リソース要素を連続的に占有し、前記Ｌ個の分散された第１の物理リソース要素の開始番号がｚであり、（ｚ）ｍｏｄ（Ｌ）＝０を満たし、ｍｏｄはモジュロ演算を示す、基地局。
【請求項１０】
第１の物理リソース要素がＡ個の物理リソース・ブロック・ペアにマップされるとき、前記第１の物理リソース要素は前記Ａ個の物理リソース・ブロック・ペアの各物理リソース・ブロック・ペアにおける同数の第２の物理リソース要素を占有し、かつ／または
前記ｍ個の物理リソース・ブロック・ペアにおいて、任意の物理リソース・ブロック・ペアの中の任意のサブブロックは１つの局所化された第１の物理リソース要素に対応する、
請求項９に記載の基地局。
【請求項１１】
前記集約レベルＬで、制御チャネル候補の数がＭであるとき、任意の制御チャネル候補がＬ個の分散された第１の物理リソース要素を連続的に占有し、Ｍ個の制御チャネル候補はＭ×Ｌ個の分散された第１の物理リソース要素を連続的に占有する、請求項９または１０に記載の基地局。
【請求項１２】
１つの分散された第１の物理リソース要素に含まれるｑ個の第２の物理リソース要素のインデックスが与えられると、前記ｑ個の第２の物理リソース要素が、前記ｍ個の物理リソース・ブロック・ペアにおける任意の物理リソース・ブロック・ペアから開始するｆ−１個の物理リソース・ブロック・ペアの間隔で物理リソース・ブロック・ペアに周期的にマップされ、
【数５】
0006032511.tif 000210
であり、
【数６】
0006032511.tif 000211
はｍ／ｑの切上げを示す、請求項９乃至１１の何れか１項に記載の基地局。
【請求項１３】
送信すべき制御チャネルを送信するために使用されるｍ個の物理リソース・ブロック・ペアを決定し、集約レベルＬに従って、Ｍ個の制御チャネル候補を前記集約レベルＬで決定するように構成されたプロセッサであって、前記ｍ個の物理リソース・ブロック・ペアはｍ×ｎ個の分散された第１の物理リソース要素を含み、前記分散された第１の物理リソース要素の各々はｑ個の第２の物理リソース要素を含み、ｍ≧１、ｎ≧１、ｑ≧２、およびｍ、ｎ、およびｑは全て整数であり、１つの分散された第１の物理リソース要素により占有されるリソース要素は少なくとも２つの物理リソース・ブロック・ペア内で分散され、前記制御チャネル候補の各々はＬ個の分散された第１の物理リソース要素に対応し、Ｌ×ｑ個の第２の物理リソース要素に対応し、前記物理リソース・ブロック・ペアの各々がｎ個のサブブロックを含み、各サブブロックがｑ個の第２の物理リソース要素を含み、前記ｍ個の物理リソース・ブロック・ペアがｎ個のサブブロック・グループを含み、各サブブロック・グループが、ｍ個のサブブロックを含み、前記ｍ個のサブブロックが異なる物理リソース・ブロック・ペア内に配置され、前記ｍ個の物理リソース・ブロック・ペア内に含まれる前記ｍ×ｎ個の分散された第１の物理リソース要素が、それぞれｘ、ｘ＋１、・・・、ｘ＋ｍ×ｎ−１と番号を付され、サブブロック・グループの各々がｍ×ｑ個の第2の物理リソース要素を含み、各サブブロック・グループ内のｍ個の分散された第１の物理リソース要素がｙ、ｙ＋１、・・・、ｙ＋ｍ−１と番号を付され、ｙの値はｘ、ｘ＋ｍ、ｘ＋２ｍ、・・・、ｘ＋（ｎ−１）×ｍであり、前記集約レベルＬでの第１の制御チャネル候補がＬ個の分散された第１の物理リソース要素を連続的に占有し、前記Ｌ個の分散された第１の物理リソース要素の開始番号がｚであり、（ｚ）ｍｏｄ（Ｌ）＝０を満たし、ｍｏｄはモジュロ演算を示す、プロセッサと、
前記プロセッサにより決定された前記Ｍ個の制御チャネル候補を検出するように構成された受信器と、
を備える、ユーザ機器。
【請求項１４】
第１の物理リソース要素がＡ個の物理リソース・ブロック・ペアにマップされるとき、前記第１の物理リソース要素は前記Ａ個の物理リソース・ブロック・ペアの各物理リソース・ブロック・ペアにおける同数の第２の物理リソース要素を占有し、かつ／または
前記ｍ個の物理リソース・ブロック・ペアにおいて、任意の物理リソース・ブロック・ペアの中の任意のサブブロックは１つの局所化された第１の物理リソース要素に対応する、
請求項１３に記載のユーザ機器。
【請求項１５】
前記集約レベルＬで、制御チャネル候補の数がＭであるとき、任意の制御チャネル候補がＬ個の分散された第１の物理リソース要素を連続的に占有し、前記Ｍ個の制御チャネル候補はＭ×Ｌ個の分散された第１の物理リソース要素を連続的に占有する、請求項１３または１４に記載のユーザ機器。
【請求項１６】
１つの分散された第１の物理リソース要素に含まれるｑ個の第２の物理リソース要素のインデックスが与えられると、前記ｑ個の第２の物理リソース要素が、前記ｍ個の物理リソース・ブロック・ペアにおける任意の物理リソース・ブロック・ペアから開始するｆ−１個の物理リソース・ブロック・ペアの間隔で物理リソース・ブロック・ペアに周期的にマップされ、
【数７】
0006032511.tif 000212
であり、
【数８】
0006032511.tif 000213
はｍ／ｑの切上げを示す、請求項１３乃至１５の何れか１項に記載のユーザ機器。
【発明の詳細な説明】
【技術分野】
【０００１】
本発明は通信技術に関し、特に、制御チャネルを送受信するための方法、基地局、およびユーザ機器に関する。
【背景技術】
【０００２】
第三世代パートナシップ・プロジェクト（３ｒｄ  Ｇｅｎｅｒａｔｉｏｎ  Ｐａｒｔｎｅｒｓｈｉｐ  Ｐｒｏｊｅｃｔ、以降、略して３ＧＰＰ）ロング・ターム・エボリューション（Ｌｏｎｇ  Ｔｅｒｍ  Ｅｖｏｌｕｔｉｏｎ、以降、略してＬＴＥ）またはロング・ターム・エボリューション・アドバンスト（ＬＴＥ−ａｄｖａｎｃｅｄ、以降、略してＬＴＥ−Ａ）システムでは、直交周波数分割多重アクセス（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、以降、略してＯＦＤＭＡ）方式が一般にダウンリンク多重アクセス・モードとして使用されている。当該システムのダウンリンク・リソースは時間の点で直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以降、略してＯＦＤＭ）シンボルに分割され、周波数の点でサブキャリアに分割される。
【０００３】
ＬＴＥリリース８、９、または１０（ＬＴＥ  Ｒｅｌｅａｓｅ８／９／１０）標準によれば、１つの正常なダウンリンク・サブフレームは２つのタイムスロット（ｓｌｏｔ）を含む。タイムスロットは７個のＯＦＤＭシンボルを含み、正常なダウンリンク・サブフレームは全部で１４個または１２個のＯＦＤＭシンボルを含む。さらに、ＬＴＥリリース８／９／１０標準では、リソース・ブロック（Ｒｅｓｏｕｒｃｅ  Ｂｌｏｃｋ、以降、略してＲＢ）のサイズが定義されている。１つのＲＢは周波数領域で１２個のサブキャリアを含み、時間領域のサブフレーム期間の半分（１つのタイムスロット）、即ち、７個または６個のＯＦＤＭシンボルを含む。ＯＦＤＭシンボル内のサブキャリアはリソース要素（Ｒｅｓｏｕｒｃｅ  Ｅｌｅｍｅｎｔ、以降、略してＲＥ）と呼ばれる。したがって、１つのＲＢは８４個または７２個のＲＥを含む。サブフレームでは、２つのタイムスロットの中のＲＢのペアがリソース・ブロック・ペア（ＲＢ  ｐａｉｒ、以降、略してＲＢペア）と呼ばれる。実際の送信では、物理リソースに使用されるリソース・ブロック・ペア（物理ＲＢペア）も物理リソース・ブロック・ペア（Ｐｈｙｓｉｃａｌ  ＲＢ  ｐａｉｒ、以降、略してＰＲＢペア）と呼ばれる。ＰＲＢペアは一般にＰＲＢと略される。したがって、以下の説明では、ＰＲＢ、ＰＲＢペア、物理リソース・ブロック、および物理リソース・ブロック・ペアを全てＰＲＢペアと称する。
【０００４】
サブフレームで運搬されるあらゆる種類のデータが、サブフレーム内の物理時間周波数リソースの分割に基づいて様々な物理チャネルに編成されマップされる。様々な物理チャネルを一般に２つの種類、即ち、制御チャネルとトラフィック・チャネルに分類することができる。それに応じて、制御チャネルで運搬されるデータを制御データ（または制御情報）と称してもよく、トラフィック・チャネルで運搬されるデータをサービス・データと称してもよい。通信の最終的な目的はサービス・データを送信することである。当該制御チャネルの機能は、サービス・データの送信の支援を提供することである。
【０００５】
完全な物理ダウンリンク制御チャネル（Ｐｈｙｓｉｃａｌ  Ｄｏｗｎｌｉｎｋ  ｃｏｎｔｒｏｌ  ｃｈａｎｎｅｌ、ＰＤＣＣＨ）は、１つまたは複数の制御チャネル要素（Ｃｏｎｔｒｏｌ  Ｃｈａｎｎｅｌ  Ｅｌｅｍｅｎｔ、以降、略してＣＣＥ）によって形成され、１つのＣＣＥは９個のリソース要素グループ（Ｒｅｓｏｕｒｃｅ  Ｅｌｅｍｅｎｔ  Ｇｒｏｕｐ、以降、略してＲＥＧ）によって形成され、１つのＲＥＧが４個のＲＥを占有する。ＬＴＥリリース８／９／１０によれば、１つのＰＤＣＣＨを１個、２個、４個、または８個のＣＣＥによって形成してもよく、それぞれ、集約レベル１、２、４、または８に対応する。
【０００６】
ＬＴＥシステムでは、複数入力複数出力（Ｍｕｌｔｉｐｌｅ  Ｉｎｐｕｔ  Ｍｕｌｔｉｐｌｅ  Ｏｕｔｐｕｔ、以降、略してＭＩＭＯ）やセル間協調送受信（Ｃｏｏｒｄｉｎａｔｅｄ  Ｍｕｌｔｉｐｌｅ  Ｐｏｉｎｔｓ、以降、略してＣｏＭＰ）のような技術の導入により、制御チャネルの容量が制限されている。したがって、ＭＩＭＯプレコーディング・モードに基づいて送信される高度物理ダウンリンク制御チャネル（Ｅｎｈａｎｃｅｄ  ＰＤＣＣＨ、以降、略してＥ−ＰＤＣＣＨ）が導入されている。Ｅ−ＰＤＣＣＨをＵＥ固有の参照信号、即ち、復調参照信号（Ｄｅｍｏｄｕｌａｔｉｏｎ  Ｒｅｆｅｒｅｎｃｅ  Ｓｉｇｎａｌ、以降、略してＤＭＲＳ）に基づいて復調することができる。
【０００７】
Ｅ−ＰＤＣＣＨに対して、１つのＰＲＢペアにはＮ個の高度制御チャネル要素（Ｅｎｈａｎｃｅｄ  Ｃｏｎｔｒｏｌ  Ｃｈａｎｎｅｌ  Ｅｌｅｍｅｎｔ、以降、略してｅＣＣＥ）がある。Ｎは正の整数である。
【０００８】
異なる送信モードに従って、Ｅ−ＰＤＣＣＨを局所（ｌｏｃａｌｉｚｅｄ）Ｅ−ＰＤＣＣＨと分散（ｄｉｓｔｒｉｂｕｔｅｄ）Ｅ−ＰＤＣＣＨに分類することができる。局所Ｅ−ＰＤＣＣＨは局所送信モードを用いて送信され、分散Ｅ−ＰＤＣＣＨは分散送信モードを用いて送信される。局所Ｅ−ＰＤＣＣＨに対して、１つの制御チャネルは一般に１つのＰＲＢペアに配置される。分散Ｅ−ＰＤＣＣＨに対して、１つのｅＣＣＥはさらに、少なくとも１つの高度リソース要素グループ（Ｅｎｈａｎｃｅｄ  Ｒｅｓｏｕｒｃｅ  Ｅｌｅｍｅｎｔ  ｇｒｏｕｐ、以降、略してｅＲＥＧ）に分割される。周波数ダイバーシティ利得が得られるように、当該少なくとも１つのｅＲＥＧを複数のＰＲＢペアに分散させてもよい。
【０００９】
分散Ｅ−ＰＤＣＣＨに対して、ＰＲＢペアの中の１つの分散Ｅ−ＰＤＣＣＨの位置を得るために、先行技術ではインタリーブをｅＲＥＧの単位で実施する。ＰＲＢペアが４個のｅＣＣＥを含み、ｅＣＣＥが４個のｅＲＥＧを含むと仮定する。ＵＥ１のＥ−ＰＤＣＣＨは分散送信モードを使用し、３、４、８、および９というインデックス番号で４個のＰＲＢペアに配置されると仮定する。マッピングがｅＲＥＧの単位で実施される場合には、集約レベル４でＥ−ＰＤＣＣＨがマップされる１６個のｅＲＥＧを１６個の異なるｅＣＣＥに配置してもよく、集約レベル２でＥ−ＰＤＣＣＨがマップされる８個のｅＲＥＧを８個の異なるｅＣＣＥに配置してもよい。
【発明の概要】
【発明が解決しようとする課題】
【００１０】
基地局（ｅｖｏｌｖｅｄ  ＮｏｄｅＢ、以降、略してｅＮＢ）はＥ−ＰＤＣＣＨを複数のＵＥに送信する必要があり、幾つかのＵＥは分散Ｅ−ＰＤＣＣＨを使用し、幾つかのＵＥは局所Ｅ−ＰＤＣＣＨを使用する。集約レベル４でのＥ−ＰＤＣＣＨを例として用いると、当該マッピング・モードによれば、３、４、８、および９のインデックス番号を有する４個のＰＲＢペアでは、各ｅＣＣＥ上のｅＲＥＧの一部はＵＥ１のＥ−ＰＤＣＣＨにより占有される。ｅＮＢが当該マッピング・モードに従ってＥ−ＰＤＣＣＨをＵＥ１に送信する場合には、ｅＮＢは局所Ｅ−ＰＤＣＣＨを当該４個のＰＲＢペアで送信することができない。したがって、Ｅ−ＰＤＣＣＨの多重化効率は比較的低い。
【課題を解決するための手段】
【００１１】
本発明では、制御チャネルを送受信するための方法、基地局、およびユーザ機器を提供して、様々なモードのＥ−ＰＤＣＣＨの多重化効率を高める。
【００１２】
本発明の第１の態様では、送信すべき制御チャネルを送信するために使用されるｍ個の物理リソース・ブロック・ペアを決定するステップであって、ｉ番目の物理リソース・ブロック・ペアはｎｉ個の第１の物理リソース要素を含み、当該ｉ番目の物理リソース・ブロック・ペアはｋｉ個の第２の物理リソース要素を含み、当該ｍ個の物理リソース・ブロック・ペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であるステップと、送信すべき制御チャネルが分散送信モードを用いて送信されるとき、送信すべき制御チャネルの集約レベルＬを決定するステップであって、Ｌ≧１であり、Ｌは整数であるステップと、集約レベルＬに従って、第２の物理リソース要素グループの各々に含まれる第２の物理リソース要素の数ＧＬを決定するステップであって、第２の物理リソース要素グループの各々に含まれるＧＬ個の第２の物理リソース要素は当該ｍ個の物理リソース・ブロック・ペアにおける
【００１３】
【数１】
0006032511.tif 000002
【００１４】
個の第１の物理リソース要素の中に配置され、ｑは１つの第１の物理リソース要素に含まれる第２の物理リソース要素の数を示し、
【００１５】
【数２】
0006032511.tif 000003
【００１６】
はＧＬ／ｑの切上げを示し、ＧＬ≧１、ＧＬは整数であるステップと、集約レベルＬに従って、集約レベルＬでの第１の制御チャネル候補を決定するステップであって、当該第１の制御チャネル候補はＮＬ個の第２の物理リソース要素グループに対応し、ＮＬ≧１、ＮＬは整数であるステップと、当該第１の制御チャネル候補がマップされる物理リソースに、送信すべき制御チャネルの制御情報を配置し、当該制御情報を送信するステップとを含む、制御チャネルを送信するための方法を提供する。
【００１７】
本発明の第２の態様では、制御チャネルを送信するために使用されるｍ個の物理リソース・ブロック・ペアを決定するステップであって、ｉ番目の物理リソース・ブロック・ペアはｎｉ個の第１の物理リソース要素を含み、当該ｉ番目の物理リソース・ブロック・ペアはｋｉ個の第２の物理リソース要素を含み、当該ｍ個の物理リソース・ブロック・ペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であるステップと、制御チャネルの集約レベルＬに従って、第２の物理リソース要素グループの各々に含まれる第２の物理リソース要素の数ＧＬを決定するステップであって、第２の物理リソース要素グループの各々に含まれるＧＬ個の第２の物理リソース要素は、当該ｍ個の物理リソース・ブロック・ペアにおける
【００１８】
【数３】
0006032511.tif 000004
【００１９】
個の第１の物理リソース要素の中に配置され、ｑは１つの第１の物理リソース要素に含まれる第２の物理リソース要素の数を示し、
【００２０】
【数４】
0006032511.tif 000005
【００２１】
はＧＬ／ｑの切上げを示し、ＧＬ≧１、Ｌ≧１であり、ＧＬとＬは両方とも整数であるステップと、集約レベルＬに従って、Ｍ個の制御チャネルを候補集約レベルＬで決定するステップであって、当該制御チャネル候補の各々はＮＬ個の第２の物理リソース要素グループに対応し、Ｍ≧１、ＮＬ≧１であり、ＭとＮＬは両方とも整数であるステップと、当該Ｍ個の制御チャネル候補を検出するステップとを含む、制御チャネルを受信するための方法を提供する。
【００２２】
本発明の第３の態様では、送信すべき制御チャネルを送信するために使用されるｍ個の物理リソース・ブロック・ペアを決定し、送信すべき制御チャネルが分散送信モードを用いて送信されるとき、送信すべき制御チャネルの集約レベルＬを決定し、集約レベルＬに従って、第２の物理リソース要素グループの各々に含まれる第２の物理リソース要素の数ＧＬを決定し、集約レベルＬに従って、集約レベルＬでの第１の制御チャネル候補を決定するように構成されたプロセッサであって、ｉ番目の物理リソース・ブロック・ペアはｎｉ個の第１の物理リソース要素を含み、当該ｉ番目の物理リソース・ブロック・ペアはｋｉ個の第２の物理リソース要素を含み、当該ｍ個の物理リソース・ブロック・ペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であり、Ｌ≧１、Ｌは整数であり、第２の物理リソース要素グループの各々に含まれるＧＬ個の第２の物理リソース要素は、当該ｍ個の物理リソース・ブロック・ペアにおける
【００２３】
【数５】
0006032511.tif 000006
【００２４】
個の第１の物理リソース要素の中に配置され、ｑは１つの第１の物理リソース要素に含まれる第２の物理リソース要素の数を示し、
【００２５】
【数６】
0006032511.tif 000007
【００２６】
はＧＬ／ｑの切上げを示し、ＧＬ≧１、ＧＬは整数であり、当該第１の制御チャネル候補はＮＬ個の第２の物理リソース要素グループに対応し、ＮＬ≧１、ＮＬは整数である、プロセッサと、当該第１の制御チャネル候補がマップされる物理リソースに、送信すべき制御チャネルの制御情報を配置し、当該制御情報を送信するように構成された送信器とを備えた、基地局を提供する。
【００２７】
本発明の第４の態様では、制御チャネルを送信するために使用されるｍ個の物理リソース・ブロック・ペアを決定し、制御チャネルの集約レベルＬに従って、第２の物理リソース要素グループの各々に含まれる第２の物理リソース要素の数ＧＬを決定し、集約レベルＬに従って、集約レベルＬのＭ個の制御チャネル候補を決定するように構成されたプロセッサであって、ｉ番目の物理リソース・ブロック・ペアはｎｉ個の第１の物理リソース要素を含み、当該ｉ番目の物理リソース・ブロック・ペアはｋｉ個の第２の物理リソース要素を含み、当該ｍ個の物理リソース・ブロック・ペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であり、第２の物理リソース要素グループの各々に含まれるＧＬ個の第２の物理リソース要素は、当該ｍ個の物理リソース・ブロック・ペアにおける
【００２８】
【数７】
0006032511.tif 000008
【００２９】
個の第１の物理リソース要素の中に配置され、ｑは１つの第１の物理リソース要素に含まれる第２の物理リソース要素の数を示し、
【００３０】
【数８】
0006032511.tif 000009
【００３１】
はＧＬ／ｑの切上げを示し、ＧＬ≧１、Ｌ≧１であり、ＧＬとＬは両方とも整数であり、当該制御チャネル候補の各々はＮＬ個の第２の物理リソース要素グループに対応し、Ｍ≧１、ＮＬ≧１であり、ＭとＮＬは両方とも整数であるプロセッサと、当該Ｍ個の制御チャネル候補を検出するように構成された当該受信器とを備えた、ユーザ機器を提供する。
【００３２】
本発明の第５の態様では、送信すべき制御チャネルを送信するために使用されるｍ個の物理リソース・ブロック・ペアを決定し、送信すべき制御チャネルが分散送信モードを用いて送信されるとき、送信すべき制御チャネルの集約レベルＬを決定し、集約レベルＬに従って、第２の物理リソース要素グループの各々に含まれる第２の物理リソース要素の数ＧＬを決定し、集約レベルＬに従って、集約レベルＬでの第１の制御チャネル候補を決定し、当該第１の制御チャネル候補がマップされる物理リソースを送信モジュールに送信するように構成された第１の決定モジュールであって、ｉ番目の物理リソース・ブロック・ペアはｎｉ個の第１の物理リソース要素を含み、当該ｉ番目の物理リソース・ブロック・ペアはｋｉ個の第２の物理リソース要素を含み、当該ｍ個の物理リソース・ブロック・ペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であり、Ｌ≧１、Ｌは整数であり、第２の物理リソース要素グループの各々に含まれるＧＬ個の第２の物理リソース要素は当該ｍ個の物理リソース・ブロック・ペアにおける
【００３３】
【数９】
0006032511.tif 000010
【００３４】
個の第１の物理リソース要素の中に配置され、ｑは１つの第１の物理リソース要素に含まれる第２の物理リソース要素の数を示し、
【００３５】
【数１０】
0006032511.tif 000011
【００３６】
はＧＬ／ｑの切上げを示し、ＧＬ≧１、ＧＬは整数であり、当該第１の制御チャネル候補はＮＬ個の第２の物理リソース要素グループに対応し、ＮＬ≧１、ＮＬは整数である第１の決定モジュールと、当該第１の決定モジュールから、当該第１の制御チャネル候補がマップされる物理リソースを受信し、当該第１の制御チャネル候補がマップされる物理リソースに、送信すべき制御チャネルの制御情報を配置し、当該制御情報を送信するように構成された当該送信モジュールとを備えた、基地局を提供する。
【００３７】
本発明の第６の態様では、制御チャネルを送信するために使用されるｍ個の物理リソース・ブロック・ペアを決定し、制御チャネルの集約レベルＬに従って、第２の物理リソース要素グループの各々に含まれる第２の物理リソース要素の数ＧＬを決定し、集約レベルＬに従って、集約レベルＬのＭ個の制御チャネル候補を決定するように構成された第２の決定モジュールであって、ｉ番目の物理リソース・ブロック・ペアはｎｉ個の第１の物理リソース要素を含み、当該ｉ番目の物理リソース・ブロック・ペアはｋｉ個の第２の物理リソース要素を含み、当該ｍ個の物理リソース・ブロック・ペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であり、第２の物理リソース要素グループの各々に含まれるＧＬ個の第２の物理リソース要素は、当該ｍ個の物理リソース・ブロック・ペアにおける
【００３８】
【数１１】
0006032511.tif 000012
【００３９】
個の第１の物理リソース要素の中に配置され、ｑは１つの第１の物理リソース要素に含まれる第２の物理リソース要素の数を示し、
【００４０】
【数１２】
0006032511.tif 000013
【００４１】
はＧＬ／ｑの切上げを示し、ＧＬ≧１、Ｌ≧１であり、ＧＬとＬは両方とも整数であり、当該制御チャネル候補の各々はＮＬ個の第２の物理リソース要素グループに対応し、Ｍ≧１、ＮＬ≧１であり、ＭとＮＬは両方とも整数である、第２の決定モジュールと、当該第２の決定モジュールにより決定された当該Ｍ個の制御チャネル候補を検出するように構成された受信モジュールとを備えた、ユーザ機器を提供する。
【００４２】
本発明の第７の態様では、送信すべき制御チャネルを送信するために使用されるｍ個の物理リソース・ブロック・ペアを決定するステップであって、当該ｍ個の物理リソース・ブロック・ペアはｍ×ｎ個の第１の物理リソース要素を含み、各物理リソース・ブロック・ペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数であるステップと、送信すべき制御チャネルの集約レベルＬを決定するステップであって、Ｌ≧１であり、Ｌは整数であるステップと、集約レベルＬに従って、集約レベルＬでの第１の制御チャネル候補を決定するステップであって、当該第１の制御チャネル候補はＬ個の第１の物理リソース要素に対応し、Ｌ×ｑ個の第２の物理リソース要素に対応するステップと、当該第１の制御チャネル候補がマップされる物理リソースに、送信すべき制御チャネルの制御情報を配置し、当該制御情報を送信するステップとを含む、制御チャネルを送信するための方法を提供する。
【００４３】
本発明の第８の態様では、送信すべき制御チャネルを送信するために使用されるｍ個の物理リソース・ブロック・ペアを決定するステップであって、当該ｍ個の物理リソース・ブロック・ペアはｍ×ｎ個の第１の物理リソース要素を含み、各物理リソース・ブロック・ペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数であるステップと、集約レベルＬに従って、Ｍ個の制御チャネルを候補集約レベルＬで決定するステップであって、当該制御チャネル候補の各々はＬ個の第１の物理リソース要素に対応し、Ｌ×ｑ個の第２の物理リソース要素に対応するステップと、当該Ｍ個の制御チャネル候補を検出するステップとを含む、制御チャネルを受信するための方法を提供する。
【００４４】
本発明の第９の態様では、送信すべき制御チャネルを送信するために使用されるｍ個の物理リソース・ブロック・ペアを決定し、送信すべき制御チャネルの集約レベルＬを決定し、集約レベルＬに従って、集約レベルＬでの第１の制御チャネル候補を決定するように構成されたプロセッサであって、当該ｍ個の物理リソース・ブロック・ペアはｍ×ｎ個の第１の物理リソース要素を含み、各物理リソース・ブロック・ペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数であり、Ｌ≧１、Ｌは整数であり、当該第１の制御チャネル候補はＬ個の第１の物理リソース要素に対応し、Ｌ×ｑ個の第２の物理リソース要素に対応するプロセッサと、当該プロセッサにより決定された当該第１の制御チャネル候補がマップされる物理リソースに、送信すべき制御チャネルの制御情報を配置し、当該制御情報を送信するように構成された送信器とを備えた基地局を提供する。
【００４５】
本発明の第１０の態様では、送信すべき制御チャネルを送信するために使用されるｍ個の物理リソース・ブロック・ペアを決定し、集約レベルＬに従って、集約レベルＬのＭ個の制御チャネル候補を決定するように構成されたプロセッサであって、当該ｍ個の物理リソース・ブロック・ペアはｍ×ｎ個の第１の物理リソース要素を含み、各物理リソース・ブロック・ペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数であり、当該制御チャネル候補の各々はＬ個の第１の物理リソース要素に対応し、Ｌ×ｑ個の第２の物理リソース要素に対応するプロセッサと、当該プロセッサにより決定された当該Ｍ個の制御チャネル候補を検出するように構成された受信器とを備えた、ユーザ機器を提供する。
【００４６】
本発明の第１１の態様では、送信すべき制御チャネルを送信するために使用されるｍ個の物理リソース・ブロック・ペアを決定し、送信すべき制御チャネルの集約レベルＬを決定し、集約レベルＬに従って、集約レベルＬでの第１の制御チャネル候補を決定するように構成された決定モジュールであって、当該ｍ個の物理リソース・ブロック・ペアはｍ×ｎ個の第１の物理リソース要素を含み、各物理リソース・ブロック・ペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数であり、Ｌ≧１、Ｌは整数であり、当該第１の制御チャネル候補はＬ個の第１の物理リソース要素に対応し、Ｌ×ｑ個の第２の物理リソース要素に対応する決定モジュールと、当該決定モジュールにより決定された当該第１の制御チャネル候補がマップされる物理リソースに、送信すべき制御チャネルの制御情報を配置し、当該制御情報を送信するように構成された送信モジュールとを備えた、基地局を提供する。
【００４７】
本発明の第１２の態様では、送信すべき制御チャネルを送信するために使用されるｍ個の物理リソース・ブロック・ペアを決定し、集約レベルＬに従って、集約レベルＬのＭ個の制御チャネル候補を決定するように構成された決定モジュールであって、当該ｍ個の物理リソース・ブロック・ペアはｍ×ｎ個の第１の物理リソース要素を含み、各物理リソース・ブロック・ペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数であり、当該制御チャネル候補の各々はＬ個の第１の物理リソース要素に対応し、Ｌ×ｑ個の第２の物理リソース要素に対応する決定モジュールと、当該決定モジュールにより決定された当該Ｍ個の制御チャネル候補を検出するように構成された受信モジュールとを備えた、ユーザ機器を提供する。
【００４８】
本発明の技術的効果は、集約レベルＬで、送信すべき分散制御チャネルの任意の制御チャネル候補が物理リソースにマップされ、当該制御チャネル候補の一部のｅＲＥＧが物理リソース・ブロック・ペアにマップされるとき、これらのｅＲＥＧが当該物理リソース・ブロック・ペアの中の最少の局所ｅＣＣＥに対応する物理リソースに好適にマップされ、それにより様々なモードの制御チャネルの多重化効率が高まるというものである。
【００４９】
本発明の諸実施形態の技術的解決策をより明確に説明するために、以下では当該諸実施形態を説明するために必要な添付図面を簡単に説明する。明らかに、以下の説明における添付図面は本発明の幾つかの実施形態を示すにすぎず、当業者は創造的作業なしにこれらの添付図面から他の図面を導出することができる。
【図面の簡単な説明】
【００５０】
【図１】本発明に従う制御チャネルを送信するための方法の１実施形態の流れ図である。
【図２Ａ】局所Ｅ−ＰＤＣＣＨのｅＣＣＥの略図である。
【図２Ｂ】分散Ｅ−ＰＤＣＣＨのｅＣＣＥの略図である。
【図３】本発明に従う異なる集約レベルのインタリーブ粒度の１実施形態の略図である。
【図４】本発明に従う分散Ｅ−ＰＤＣＣＨがマップされるｅＲＥＧの１実施形態の略図である。
【図５】本発明に従う制御チャネル候補がマップされる仮想リソース要素の１実施形態の略図である。
【図６】本発明に従う仮想リソース要素グループがマップされるｅＲＥＧグループの１実施形態の略図である。
【図７】本発明に従う分散Ｅ−ＰＤＣＣＨがマップされるｅＲＥＧグループの１実施形態の略図である。
【図８】本発明に従う分散Ｅ−ＰＤＣＣＨがマップされるｅＲＥＧの１実施形態の略図である。
【図９】本発明に従う分散Ｅ−ＰＤＣＣＨがマップされるｅＲＥＧの別の実施形態の略図である。
【図１０】本発明に従う分散Ｅ−ＰＤＣＣＨにより占有されうるｅＲＥＧの１実施形態の略図である。
【図１１】本発明に従う分散Ｅ−ＰＤＣＣＨがマップされるｅＲＥＧの別の実施形態の略図である。
【図１２】本発明に従う制御チャネルを受信するための方法の１実施形態の流れ図である。
【図１３】本発明に従う基地局の１実施形態の略構造図である。
【図１４】本発明に従うユーザ機器の１実施形態の略構造図である。
【図１５】本発明に従う基地局の別の実施形態の略構造図である。
【図１６】本発明に従うユーザ機器の別の実施形態の略構造図である。
【図１７】本発明に従う制御チャネルを送信するための方法の別の実施形態の流れ図である。
【図１８】本発明に従う制御チャネルを受信するための方法の別の実施形態の流れ図である。
【図１９】本発明に従う正常サブフレームにおけるｅＲＥＧのマッピングの１実施形態の略図である。
【図２０】本発明に従う２個のＰＲＢペアを含むＥ−ＰＤＣＣＨ集合の１実施形態の略図である。
【図２１】本発明に従う４個のＰＲＢペアを含むＥ−ＰＤＣＣＨ集合の１実施形態の略図である。
【図２２】本発明に従う８個のＰＲＢペアを含むＥ−ＰＤＣＣＨ集合の１実施形態の略図である。
【図２３】本発明に従う４個のＰＲＢペアを含むＥ−ＰＤＣＣＨ集合の別の実施形態の略図である。
【図２４】本発明に従う異なる集約レベルで制御チャネル候補により占有される分散ｅＣＣＥの１実施形態の略図である。
【図２５】本発明に従うｅＣＣＥのナンバリング・モードの１実施形態の略図である。
【図２６】本発明に従うｅＣＣＥのナンバリング・モードの別の実施形態の略図である。
【図２７】本発明に従う基地局の別の実施形態の略構造図である。
【図２８】本発明に従うユーザ機器の別の実施形態の略構造図である。
【図２９】本発明に従う基地局の別の実施形態の略構造図である。
【図３０】本発明に従うユーザ機器の別の実施形態の略構造図である。
【発明を実施するための形態】
【００５１】
本発明の諸実施形態の目的、技術的解決策、および利点をより分かり易くするために、以下では本発明の諸実施形態における添付図面を参照して本発明の諸実施形態の技術的解決策を明確かつ十分に説明する。明らかに、説明する諸実施形態は本発明の諸実施形態の一部であって全部ではない。当業者が創造的作業なしに本発明の諸実施形態に基づいて取得する他の全ての実施形態は本発明の保護範囲に入るものとする。
【００５２】
図１は、本発明に従う制御チャネルを送信するための方法の１実施形態の流れ図である。図１に示すように、制御チャネルを送信するための方法が以下を含んでもよい。ステップ１０１で、送信すべき制御チャネルを送信するのに使用されるｍ個のＰＲＢペアを決定する。
【００５３】
ｉ番目のＰＲＢペアはｎｉ個の第１の物理リソース要素を含み、ｉ番目のＰＲＢペアはｋｉ個の第２の物理リソース要素を含み、ｍ個のＰＲＢペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、ｍ≧１、ｎｉ≧１、ｋｉ≧１、０≦ｉ≦ｍ−１であり、ｍ、ｉ、ｎｉ、およびｋｉは全て整数である。
【００５４】
第１の物理リソース要素のうち１つは少なくとも２つの第２の物理リソース要素を含む。即ち、第１の物理リソース要素の物理リソースは少なくとも２つの第２の物理リソース要素の物理リソースを含む。制御チャネルがＥ−ＰＤＣＣＨまたはＰＤＣＣＨであってもよく、当該実施形態によっては限定されない。
【００５５】
ステップ１０２で、送信すべき制御チャネルが分散送信モードを用いて送信されるとき、送信すべき制御チャネルの集約レベルＬを決定する。Ｌ≧１であり、Ｌは整数である。
【００５６】
ステップ１０３で、集約レベルＬに従って、第２の物理リソース要素グループの各々に含まれる第２の物理リソース要素の数ＧＬを決定する。第２の物理リソース要素グループの各々に含まれるＧＬ個の第２の物理リソース要素はｍ個のＰＲＢペアの中の
【００５７】
【数１３】
0006032511.tif 000014
【００５８】
個の第１の物理リソース要素の中に配置される。ｑは１つの第１の物理リソース要素に含まれる第２の物理リソース要素の数を示し、
【００５９】
【数１４】
0006032511.tif 000015
【００６０】
はＧＬ／ｑの切上げを示し、ＧＬ≧１、ＧＬは整数である。
【００６１】
ステップ１０４で、集約レベルＬに従って、集約レベルＬでの第１の制御チャネル候補を決定する。当該第１の制御チャネル候補はＮＬ個の第２の物理リソース要素グループに対応し、ＮＬ≧１、ＮＬは整数である。
【００６２】
ステップ１０５で、当該第１の制御チャネル候補がマップされる物理リソースに、送信すべき制御チャネルの制御情報を配置し、当該制御情報を送信する。
【００６３】
当該実施形態では、ＧＬが１つの第１の物理リソース要素に含まれる第２の物理リソース要素の数以下であるとき、ＧＬ個の第２の物理リソース要素はｍ個のＰＲＢペアの中の１つの第１の物理リソース要素の中に配置される。
【００６４】
特に、ステップ１０３で、集約レベルＬに従って、第２の物理リソース要素グループの各々に含まれる第２の物理リソース要素の数ＧＬを決定するステップが、集約レベルＬと第２の物理リソース要素グループの各々に含まれる第２の物理リソース要素の数ＧＬの間で予め設定されたマッピング関係に従ってＧＬを決定するステップであってもよい。
【００６５】
さらに、当該実施形態では、上位層シグナリングを受信装置に送信してもよい。当該上位層シグナリングは、第２の物理リソース要素グループの各々に含まれる第２の物理リソース要素の集約レベルＬに対応する数ＧＬを構成するために使用される。
【００６６】
当該実施形態では、異なる集約レベルに対して、少なくとも１つの集約レベルに対応する第２の物理リソース要素グループに含まれる第２の物理リソース要素の数ＧＬは２以上であり、この場合、少なくとも１つの集約レベルに対応する第２の物理リソース要素グループに含まれる第２の物理リソース要素の数ＧＬは２以上であり、第２の物理リソース要素グループの各々に含まれるＧＬ個の第２の物理リソース要素は、ｍ個のＰＲＢペアの中の
【００６７】
【数１５】
0006032511.tif 000016
【００６８】
個の第１の物理リソース要素の中に配置される。したがって、この集約レベルで、第２の物理リソース要素グループの各々は少数の第１の物理リソース要素を占有し、それにより、第２の物理リソース要素グループの各第２の物理リソース要素が１つの第１の物理リソース要素を占有するケースが回避され、その結果、多くの第１の物理リソース要素を局所送信モードで使用することができる。または、複数の異なる集約レベルにおける少なくとも２つの集約レベルに対して、当該少なくとも２つの集約レベルの高次集約レベルに対応する第２の物理リソース要素グループがより多くの第２の物理リソース要素を含む。この場合、高次集約レベルの制御チャネルがより多くの第２の物理リソース要素を占有する。ダイバーシティ利得に関して、当該ダイバーシティ利得が４より大きいとき、例えば、ダイバーシティ利得が４から８に変化するとき、性能利得は大きくない。さらに、相関関係も周波数領域に存在し、当該周波数領域においては限られたダイバーシティ利得しか得ることができない。したがって、一定のダイバーシティ利得が得られる限り、高次集約レベルで制御チャネルが占有する第２の物理リソース要素を多くのＰＲＢペアに配分する必要はない。例えば、高次集約レベルで制御チャネルが占有する第２の物理リソース要素は周波数領域内の４つのチャネル独立なＰＲＢペアに配分される。したがって、一定の周波数ダイバーシティ利得が各集約レベルで得られる場合には、一部の第１の物理リソース要素が局所Ｅ−ＰＤＣＣＨに対して予約される。
【００６９】
当該実施形態では、１つの第２の物理リソース要素グループに含まれる全ての第２の物理リソース要素は１つのＰＲＢペアの中に配置されるか、または、全ての第２の物理リソース要素グループに含まれる全ての第２の物理リソース要素はｍ個のＰＲＢペアの中の第１の物理リソース要素の一部の物理リソースに配置されるか、または、１つのＰＲＢペアにおいて、１つの第２の物理リソース要素グループに含まれる全ての第２の物理リソース要素は当該１つのＰＲＢペアの中の第１の物理リソース要素の一部の物理リソースに配置されるか、または、１つのＰＲＢペアにおいて、全ての第２の物理リソース要素グループに含まれる全ての第２の物理リソース要素は当該１つのＰＲＢペアの中の第１の物理リソース要素の一部の物理リソースに配置される。したがって、幾つかの第１の物理リソース要素を局所Ｅ−ＰＤＣＣＨ送信に対して使用することができる。
【００７０】
当該実施形態では、１つのＰＲＢペアにおいて、全ての第２の物理リソース要素グループは当該１つのＰＲＢペアの中のアンテナポートの一部に対応する物理リソースにより形成されるか、または、１つのＰＲＢペアにおいて、全ての第２の物理リソース要素グループに含まれる全ての第２の物理リソース要素は当該１つのＰＲＢペアの中のアンテナポートの一部に対応する第１の物理リソース要素の中に配置される。
【００７１】
当該実施形態では、特に、集約レベルＬに従って、集約レベルＬでの第１の制御チャネル候補を決定するステップが、集約レベルＬに従って、集約レベルＬの制御チャネル候補の数Ｍを決定するステップであって、Ｍは整数であり、Ｍ≧１であるステップと、当該Ｍ個の制御チャネル候補をｍ個のＰＲＢペアの中の物理リソースにマップするステップと、当該Ｍ個の制御チャネル候補から１つの第１の制御チャネル候補を選択するステップとであってもよい。
【００７２】
特に、当該Ｍ個の制御チャネル候補をｍ個のＰＲＢペアの中の物理リソースにマップするステップが、当該Ｍ個の制御チャネル候補を
【００７３】
【数１６】
0006032511.tif 000017
【００７４】
個の第２の物理リソース要素の中のＭ×ＨＬ個の第２の物理リソース要素にマップするステップであってもよい。ＨＬは、集約レベルＬの制御チャネル候補の各々をマップする必要がある第２の物理リソース要素の数を示し、ＮＬ×ＧＬ＝ＨＬ、ＨＬ≧１、ＮＬは整数である。
【００７５】
特に、当該Ｍ個の制御チャネル候補を
【００７６】
【数１７】
0006032511.tif 000018
【００７７】
個の第２の物理リソース要素の中のＭ×ＨＬ個の第２の物理リソース要素にマップするステップが、仮想リソース要素を設定するステップであって、当該仮想リソース要素の各々は物理リソース上の１つの第２の物理リソース要素に対応し、仮想リソース要素集合が
【００７８】
【数１８】
0006032511.tif 000019
【００７９】
個の仮想リソース要素を含むステップと、当該Ｍ個の制御チャネル候補はＭ×ＨＬ個の仮想リソース要素に対応するステップと、当該Ｍ個の制御チャネル候補を当該仮想リソース要素集合の中のＭ×ＨＬ個の仮想リソース要素にマップするステップと、当該Ｍ×ＨＬ個の仮想リソース要素を当該
【００８０】
【数１９】
0006032511.tif 000020
【００８１】
個の第２の物理リソース要素の中のＭ×ＨＬ個の第２の物理リソース要素にマップするステップと、であってもよい。
【００８２】
当該Ｍ個の制御チャネル候補を当該仮想リソース要素集合の中のＭ×ＨＬ個の仮想リソース要素にマップするステップが、予め取得された開始位置に従って、当該Ｍ個の制御チャネル候補をＭ×ＨＬ個の連続する仮想リソース要素に連続的にマップするステップであってもよい。
【００８３】
当該Ｍ×ＨＬ個の仮想リソース要素を
【００８４】
【数２０】
0006032511.tif 000021
【００８５】
個の第２の物理リソース要素の中のＭ×ＨＬ個の第２の物理リソース要素にマップするステップが、当該仮想リソース要素集合に含まれる
【００８６】
【数２１】
0006032511.tif 000022
【００８７】
個の仮想リソース要素を、インタリーバを介してインタリーブするステップであって、インタリーバのインタリーブ行列の要素数はＱであるステップと、インタリーブされた仮想リソース要素集合をｍ個のＰＲＢペアに含まれる
【００８８】
【数２２】
0006032511.tif 000023
【００８９】
個の第２の物理リソース要素にマップするステップと、当該仮想リソース要素集合の中のＭ×ＨＬ個の仮想リソース要素のマップ位置に従って、インタリーブされた仮想リソース要素集合の中のＭ×ＨＬ個の仮想リソース要素のマップ位置を取得するステップと、当該
【００９０】
【数２３】
0006032511.tif 000024
【００９１】
個の第２の物理リソース要素の中のインタリーブされた仮想リソース要素集合のマップ位置に従って、当該Ｍ×ＨＬ個の仮想リソース要素を当該
【００９２】
【数２４】
0006032511.tif 000025
【００９３】
個の第２の物理リソース要素の中のＭ×ＨＬ個の第２の物理リソース要素にマップするステップとであってもよい。
【００９４】
特に、仮想リソース要素集合に含まれる
【００９５】
【数２５】
0006032511.tif 000026
【００９６】
個の仮想リソース要素を、インタリーバを介してインタリーブするステップが、当該仮想リソース要素集合をＲＬ個の仮想リソース要素グループに分割するステップであって、各仮想リソース要素グループに含まれる仮想リソース要素の数はＧＬであり、
【００９７】
【数２６】
0006032511.tif 000027
【００９８】
であり、Ｑ≦ＲＬであるステップと、当該ＲＬ個の仮想リソース要素グループを行に従ってインタリーブ行列に逐次的に書き込み、当該ＲＬ個の仮想リソース要素グループを列に従ってインタリーブ行列から逐次的に読み取るステップであって、各仮想リソース要素グループはインタリーブ行列の１つの要素に対応するステップ、または、当該ＲＬ個の仮想リソース要素グループを列に従ってインタリーブ行列に逐次的に書き込み、当該ＲＬ個の仮想リソース要素グループを行に従ってインタリーブ行列から逐次的に読み取るステップであって、各仮想リソース要素グループはインタリーブ行列の１つの要素に対応するステップであってもよい。逐次的に読み出されたＲＬ個の仮想リソース要素グループが、インタリーブされた仮想リソース要素集合が形成する。
【００９９】
当該実施形態の１実装方式では、インタリーブ行列の列数はｍであり、かつ／または、インタリーブ行列の行数は
【０１００】
【数２７】
0006032511.tif 000028
【０１０１】
であり、
【０１０２】
【数２８】
0006032511.tif 000029
【０１０３】
は
【０１０４】
【数２９】
0006032511.tif 000030
【０１０５】
の切上げを示し、ｍ個のＰＲＢペアの中の各ＰＲＢペアに含まれる第２の物理リソース要素の数が等しくｐであるとき、インタリーブ行列の行数は
【０１０６】
【数３０】
0006032511.tif 000031
【０１０７】
である。
【０１０８】
当該実施形態の別の実装方式では、インタリーブ行列の行数はｍであり、かつ／または、インタリーブ行列の列数は
【０１０９】
【数３１】
0006032511.tif 000032
【０１１０】
であり、
【０１１１】
【数３２】
0006032511.tif 000033
【０１１２】
は
【０１１３】
【数３３】
0006032511.tif 000034
【０１１４】
の切上げを示し、ｍ個のＰＲＢペアの中の各ＰＲＢペアに含まれる第２の物理リソース要素の数が等しくｐであるとき、インタリーブ行列の列数は
【０１１５】
【数３４】
0006032511.tif 000035
【０１１６】
である。
【０１１７】
特に、インタリーブされた仮想リソース要素集合をｍ個のＰＲＢペアに含まれる
【０１１８】
【数３５】
0006032511.tif 000036
【０１１９】
個の第２の物理リソース要素に割り当てるステップが、リソース・ブロック・ペアのシーケンス番号に従って、インタリーブされた仮想リソース要素集合をｍ個のＰＲＢペアに逐次的にマップするステップと、１つのＰＲＢペアに含まれる第２の物理リソース要素にマップする際に、所定のシーケンスに従って、インタリーブされた仮想リソース要素集合内の仮想リソース要素グループを第２の物理リソース要素グループにマップするステップであって、インタリーブされた仮想リソース要素集合の各仮想リソース要素グループは１つの第２の物理リソース要素グループにマップされるステップとであってもよい。リソース・ブロック・ペアのシーケンス番号はＰＲＢペアのシーケンス番号または仮想リソース・ブロック・ペアのシーケンス番号であり、リソース・ブロック・ペアのシーケンス番号が仮想リソース・ブロック・ペアのシーケンス番号であるとき、マッピング関係が仮想リソース・ブロック・ペアのシーケンス番号とＰＲＢペアのシーケンス番号の間に存在する。
【０１２０】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０１２１】
上述の実施形態および以下の実施形態では、第１の物理リソース要素がｅＣＣＥに対応する物理リソースであってもよい。例えば、第１の物理リソース要素のサイズはｅＣＣＥのサイズに対応する。即ち、第１の物理リソース要素の１つに含まれる物理リソース要素が１つのｅＣＣＥを含んでもよい。
【０１２２】
上述の実施形態および以下の実施形態では、第２の物理リソース要素がｅＲＥＧに対応する物理リソースであってもよい。例えば、第２の物理リソース要素のサイズがｅＲＥＧのサイズに対応するか、または、第２の物理リソース要素自体がｅＲＥＧである。
【０１２３】
上述の実施形態および以下の実施形態では、送信すべき制御チャネルがＥ−ＰＤＣＣＨであってもよい。１つのＥ−ＰＤＣＣＨが少なくとも１つのｅＣＣＥを含んでもよい。
【０１２４】
以下では、第１の物理リソース要素がｅＣＣＥに対応する物理リソースであり、第２の物理リソース要素がｅＲＥＧに対応する物理リソースであり、送信すべき制御チャネルがＥ−ＰＤＣＣＨである例を用いて、図１に示す実施形態に従う制御チャネルを送信するための方法を説明する。
【０１２５】
ステップ１で、基地局が、送信すべきＥ−ＰＤＣＣＨを送信するのに使用できるｍ個のＰＲＢペアを決定する。ｍ≧１であり、ｍは整数である。
【０１２６】
基地局により決定されＥ−ＰＤＣＣＨを送信するために使用できるｍ個のＰＲＢペアでは、局所Ｅ−ＰＤＣＣＨに対して、ｉ番目のＰＲＢペアｎｉ個のｅＣＣＥの物理リソースを含み、分散Ｅ−ＰＤＣＣＨに対して、ｉ番目のＰＲＢペアはｋｉ個のｅＲＥＧを含む。したがって、ｍ個のＰＲＢペアは
【０１２７】
【数３６】
0006032511.tif 000037
【０１２８】
個のｅＲＥＧを含む。ｎｉ≧１、ｋｉ≧１、０≦ｉ≦ｍ−１であり、ｉ、ｎｉおよびｋｉは全て整数である。ｅＣＣＥの物理リソースは少なくとも２つのｅＲＥＧの物理リソースを含む。
【０１２９】
１つのｅＣＣＥに対して、局所Ｅ−ＰＤＣＣＨと分散Ｅ−ＰＤＣＣＨは同じ番号のｅＲＥＧを含むが、それらの具体的なマッピングは異なる。例えば、集約レベル１でのＥ−ＰＤＣＣＨは１つのｅＣＣＥを占有する。図２Ａおよび図２Ｂに示すように、Ｅ−ＰＤＣＣＨが局所Ｅ−ＰＤＣＣＨである場合、ｅＣＣＥのｅＲＥＧは１つのＰＲＢペアの中に配置され、Ｅ−ＰＤＣＣＨが分散Ｅ−ＰＤＣＣＨである場合には、ｅＣＣＥは複数のＰＲＢペアに配置されたｅＲＥＧにより形成される。図２Ａは局所Ｅ−ＰＤＣＣＨのｅＣＣＥの略図であり、図２Ｂは分散Ｅ−ＰＤＣＣＨのｅＣＣＥの略図である。図２Ａでは、影は局所Ｅ−ＰＤＣＣＨの１つのｅＣＣＥに対応するｅＲＥＧを示す。図２Ｂでは、影は分散Ｅ−ＰＤＣＣＨの１つのｅＣＣＥに対応するｅＲＥＧを示す。
【０１３０】
図２Ａを参照すると、局所Ｅ−ＰＤＣＣＨに対して、ＰＲＢペアでは、夫々の局所ｅＣＣＥは図２ＡではｅＲＥＧの列によって形成される。例えば、ｅＣＣＥ０は、ＰＲＢペア３においてｅＲＥＧ０、ｅＲＥＧ１個のｅＲＥＧ２、およびｅＲＥＧ３という番号を付した４個のｅＲＥＧによって形成される。図２Ｂを参照すると、分散Ｅ−ＰＤＣＣＨに対して、集約レベル１の分散Ｅ−ＰＤＣＣＨが１つのｅＣＣＥを占有し、ｅＣＣＥに対応するｅＲＥＧが異なるＰＲＢペアの中のｅＲＥＧを含む。例えば、ｅＣＣＥを、異なるＰＲＢペアにおいて同じ番号を有するｅＲＥＧによって形成してもよい。図２Ｂでは、番号が３、４、８、および９であるＰＲＢペアのｅＲＥＧ０は分散Ｅ−ＰＤＣＣＨのｅＣＣＥに対応する。
【０１３１】
Ｅ−ＰＤＣＣＨに対して、局所Ｅ−ＰＤＣＣＨと分散Ｅ−ＰＤＣＣＨの両方がｅＣＣＥとｅＲＥＧを定義する。局所Ｅ−ＰＤＣＣＨの１つのｅＣＣＥと分散Ｅ−ＰＤＣＣＨの１つのｅＣＣＥは同じ番号のｅＲＥＧに対応する。分散Ｅ−ＰＤＣＣＨに対して、図３に示すように、異なる集約レベルのマッピング粒度またはインタリーブ粒度は異なる。図３は本発明に従う異なる集約レベルのインタリーブ粒度の１実施形態の略図である。図３では、集約レベル１のインタリーブ粒度Ｇ１は１つのｅＲＥＧであり、集約レベル２のインタリーブ粒度Ｇ２は２つのｅＲＥＧであり、集約レベル４と８のインタリーブ粒度Ｇ４とＧ８は４個のｅＲＥＧである。本発明の当該実施形態では、分散Ｅ−ＰＤＣＣＨに対して、インタリーブ単位がｅＲＥＧグループとして定義され、集約レベルＬでのＥ−ＰＤＣＣＨに対して、ｅＲＥＧグループはＧＬ個のｅＲＥＧを含む。本発明の当該実施形態では、集約レベルＬに対して、ｅＲＥＧグループのサイズを、予め定義してもよく、または、制御信号を介して基地局によりＵＥに通知してもよい。
【０１３２】
ＧＬがｅＣＣＥに対応するｅＲＥＧの数以下であるとき、ＧＬ個のｅＲＥＧはｍ個のＰＲＢペアの中の１つのｅＣＣＥの中に配置される。ＧＬがｅＣＣＥに対応するｅＲＥＧの数より大きいとき、ＧＬ個のｅＲＥＧはｍ個のＰＲＢペアにおける
【０１３３】
【数３７】
0006032511.tif 000038
【０１３４】
個の局所ｅＣＣＥの中に配置され、ｑは１つのｅＣＣＥに含まれるｅＲＥＧの数、例えば、４を示し、
【０１３５】
【数３８】
0006032511.tif 000039
【０１３６】
はＧＬ／ｑの切上げを示す。
【０１３７】
本発明の当該実施形態では、異なる集約レベルに対して、少なくとも２つの集約レベルに対応するｅＲＥＧグループに含まれるｅＲＥＧの数は異なる。
【０１３８】
本発明の当該実施形態では、集約レベルＬのＥ−ＰＤＣＣＨをＨＬ個のｅＲＥＧにマップする必要がある。ＨＬ個のｅＲＥＧはＮＬ個のｅＲＥＧグループに属し、ＮＬ＝ＨＬ／ＧＬ、ＧＬ≧１、ＨＬ≧１であり、ＧＬ、ＨＬ、およびＮＬは整数である。
【０１３９】
図４は、本発明に従う、分散Ｅ−ＰＤＣＣＨがマップされるｅＲＥＧの１実施形態の略図である。図４では、集約レベル１の分散Ｅ−ＰＤＣＣＨの１つのｅＣＣＥの物理リソースは４個のＰＲＢペアの中の４個のｅＲＥＧに対応する物理リソースを含む。集約レベル２の分散Ｅ−ＰＤＣＣＨの１つの制御チャネルは４個のＰＲＢペアの中の８個のｅＲＥＧによって形成されるが、全ての２つのｅＲＥＧは１つの局所ｅＣＣＥに対応する物理リソースに属する。さらにｅＲＥＧと復調参照信号（Ｄｅｍｏｄｕｌａｔｉｏｎ  Ｒｅｆｅｒｅｎｃｅ  Ｓｉｇｎａｌ、以降、略してＤＭＲＳ）パイロットの間の結合関係が、局所Ｅ−ＰＤＣＣＨにおけるｅＣＣＥとＤＭＲＳパイロットの間の関係を再利用してもよい。特に、ｅＲＥＧが局所Ｅ−ＰＤＣＣＨのｅＣＣＥの物理リソースに配置される場合には、当該ｅＲＥＧのパイロット・ポートは局所Ｅ−ＰＤＣＣＨのｅＣＣＥに対応するパイロット・ポートと同じである。例えば、図４のＰＲＢペア３では、集約レベル１の分散Ｅ−ＰＤＣＣＨが局所Ｅ−ＰＤＣＣＨのｅＣＣＥ０に属するｅＲＥＧ０を占有する。この場合、ｅＲＥＧ０はＤＭＲＳポート７を使用する。
【０１４０】
ステップ２で、基地局が、送信すべきＥ−ＰＤＣＣＨの集約レベルＬを決定し、集約レベルＬに従って、制御チャネル候補の数Ｍを決定する。Ｍ≧１、Ｌ≧１であり、ＭとＬは整数である。
【０１４１】
ステップ３で、基地局が、当該Ｍ個の制御チャネル候補をｍ個のＰＲＢペアの物理リソースにマップする。
【０１４２】
図４では例としてＥ−ＰＤＣＣＨを集約レベル２で使用し、ｅＲＥＧグループは２個のｅＲＥＧを含むように定義され、したがって、集約レベル２での分散Ｅ−ＰＤＣＣＨは８個のｅＲＥＧと４個のｅＲＥＧグループを含む。集約レベルＬで、Ｅ−ＰＤＣＣＨのＭ個の制御チャネル候補が存在する。１つの制御チャネル候補をＨＬ個のｅＲＥＧに割り当てる必要があるので、基地局が、当該Ｍ個の制御チャネル候補を
【０１４３】
【数３９】
0006032511.tif 000040
【０１４４】
個のｅＲＥＧの中のＭ×ＨＬ個のｅＲＥＧにマップしてもよい。
【０１４５】
特に、仮想リソース要素を最初に設定してもよい。当該仮想リソース要素の各々は物理リソース上の１つのｅＲＥＧに対応する。仮想リソース要素集合は
【０１４６】
【数４０】
0006032511.tif 000041
【０１４７】
個の仮想リソース要素を含み、当該Ｍ個の制御チャネル候補はＭ×ＨＬ個の仮想リソース要素に対応する。次に、当該Ｍ個の制御チャネル候補は当該仮想リソース要素集合の中のＭ×ＨＬ個の仮想リソース要素にマップされる。最後に、当該Ｍ×ＨＬ個の仮想リソース要素は
【０１４８】
【数４１】
0006032511.tif 000042
【０１４９】
個のｅＲＥＧの中の当該Ｍ×ＨＬ個のｅＲＥＧにマップされる。
【０１５０】
特に、Ｍ個の制御チャネル候補を仮想リソース要素集合の中のＭ×ＨＬ個の仮想リソース要素にマップするステップが、図５に示すように、予め取得された開始位置に従って、当該Ｍ個の制御チャネル候補をＭ×ＨＬ個の連続する仮想リソース要素に連続的にマップするステップであってもよい。図５は、本発明に従う、制御チャネル候補がマップされる仮想リソース要素の１実施形態の略図である。図５では、予め設定した開始位置がＴの番号を有する仮想リソース要素であると仮定すると、制御チャネル候補１は、Ｔという番号の仮想リソース要素からＴ＋ＨＬ−１という番号の仮想リソース要素にマップされ、制御チャネル候補２は、Ｔ＋ＨＬという番号の仮想リソース要素からＴ＋２×ＨＬ−１という番号の仮想リソース要素にマップされる。同様に、制御チャネル候補Ｍは、Ｔ＋（Ｍ−１）×ＨＬという番号の仮想リソース要素からＴ＋Ｍ×ＨＬ−１という番号の仮想リソース要素にマップされる。
【０１５１】
特に、Ｍ×ＨＬ個の仮想リソース要素を
【０１５２】
【数４２】
0006032511.tif 000043
【０１５３】
個のｅＲＥＧの中のＭ×ＨＬ個のｅＲＥＧにマップするステップが、先ず、仮想リソース要素集合に含まれる
【０１５４】
【数４３】
0006032511.tif 000044
【０１５５】
個の仮想リソース要素を、インタリーバを介してインタリーブするステップと、次に、インタリーブされた仮想リソース要素集合をｍ個のＰＲＢペアに含まれる
【０１５６】
【数４４】
0006032511.tif 000045
【０１５７】
個のｅＲＥＧにマップするステップと、最後に、当該仮想リソース要素集合の中のＭ×ＨＬ個の仮想リソース要素のマップ位置に従って、インタリーブされた仮想リソース要素集合の中のＭ×ＨＬ個の仮想リソース要素のマップ位置を取得するステップと、インタリーブされた仮想リソース要素集合の中のＭ×ＨＬ個の仮想リソース要素のマップ位置と
【０１５８】
【数４５】
0006032511.tif 000046
【０１５９】
個のｅＲＥＧの中のインタリーブされた仮想リソース要素集合のマップ位置とに従って、当該Ｍ×ＨＬ個の仮想リソース要素を当該
【０１６０】
【数４６】
0006032511.tif 000047
【０１６１】
個のｅＲＥＧの中のＭ×ＨＬ個のｅＲＥＧにマップするステップとであってもよい。インタリーバのインタリーブ行列の要素数はＱである。
【０１６２】
特に、仮想リソース要素集合に含まれる
【０１６３】
【数４７】
0006032511.tif 000048
【０１６４】
個の仮想リソース要素を、インタリーバを介してインタリーブするステップが、先ず、当該仮想リソース要素集合をＲＬ個の仮想リソース要素グループに分割するステップであって、各仮想リソース要素グループに含まれる仮想リソース要素の数はＧＬであり、
【０１６５】
【数４８】
0006032511.tif 000049
【０１６６】
であり、Ｑ≦ＲＬであり、
【０１６７】
【数４９】
0006032511.tif 000050
【０１６８】
は
【０１６９】
【数５０】
0006032511.tif 000051
【０１７０】
の切下げを示すステップと、次に、当該ＲＬ個の仮想リソース要素グループを行に従ってインタリーブ行列に逐次的に書き込み、当該ＲＬ個の仮想リソース要素グループを列に従ってインタリーブ行列から逐次的に読み取るステップであって、各仮想リソース要素グループはインタリーブ行列の１つの要素に対応するステップ、または、当該ＲＬ個の仮想リソース要素グループを列に従ってインタリーブ行列に逐次的に書き込み、当該ＲＬ個の仮想リソース要素グループを行に従ってインタリーブ行列から逐次的に読み取るステップであって、各仮想リソース要素グループはインタリーブ行列の１つの要素に対応するステップであってもよい。逐次的に読み取られたＲＬ個の仮想リソース要素グループはインタリーブされた仮想リソース要素集合を形成する。
【０１７１】
当該実施形態の１実装方式では、インタリーブ行列の列数はｍであり、かつ／または
インタリーブ行列の行数は
【０１７２】
【数５１】
0006032511.tif 000052
【０１７３】
であり、
【０１７４】
【数５２】
0006032511.tif 000053
【０１７５】
は
【０１７６】
【数５３】
0006032511.tif 000054
【０１７７】
の切上げを示し、ｍ個のＰＲＢペアの中の各ＰＲＢペアに含まれる第２のｅＲＥＧの数が等しくｐであるとき、インタリーブ行列の行数は
【０１７８】
【数５４】
0006032511.tif 000055
【０１７９】
である。
【０１８０】
当該実施形態の別の実装方式では、インタリーブ行列の行数はｍであり、かつ／または、インタリーブ行列の列数は
【０１８１】
【数５５】
0006032511.tif 000056
【０１８２】
であり、
【０１８３】
【数５６】
0006032511.tif 000057
【０１８４】
は
【０１８５】
【数５７】
0006032511.tif 000058
【０１８６】
の切上げを示し、ｍ個のＰＲＢペアの各ＰＲＢペアに含まれるｅＲＥＧの数が等しくｐであるとき、インタリーブ行列の列数は
【０１８７】
【数５８】
0006032511.tif 000059
【０１８８】
である。
【０１８９】
以下では１例を用いて、仮想リソース要素集合に含まれる
【０１９０】
【数５９】
0006032511.tif 000060
【０１９１】
個の仮想リソース要素を、インタリーバを介してインタリーブするステップを説明する。インタリーバのインタリーブ行列の要素数がＱであると仮定する。
【０１９２】
【数６０】
0006032511.tif 000061
【０１９３】
である。また、インタリーブ行列の列数がＰＲＢペアの数ｍであり、行数が
【０１９４】
【数６１】
0006032511.tif 000062
【０１９５】
であるとを仮定する。集約レベル２を例として使用すると、１つの仮想リソース要素は物理リソース上の１つのｅＲＥＧに対応するので、図４から分かるように、各仮想リソース要素グループに含まれる仮想リソース要素の数は２であり、ＰＲＢペアの数は４である。当該４個のＰＲＢペアは全部で３２個の仮想リソース要素グループを含む。即ち、Ｑ＝３２であり、インタリーブ行列の列数は４であり、行数は８である。
【０１９６】
次に、当該３２個の仮想リソース要素グループを表１に示すように行に従ってインタリーブ行列に逐次的に書き込む。
【０１９７】
【表１】
0006032511.tif 000063
【０１９８】
３２個の仮想リソース要素グループが、列に従って、インタリーブ行列から逐次的に読み出される。逐次的に読み出される３２個の仮想リソース要素グループは、仮想リソース要素グループ０、仮想リソース要素グループ４、仮想リソース要素グループ８、仮想リソース要素グループ１２、仮想リソース要素グループ１６、仮想リソース要素グループ２０、仮想リソース要素グループ２４、仮想リソース要素グループ２８、仮想リソース要素グループ１、仮想リソース要素グループ５、仮想リソース要素グループ９、仮想リソース要素グループ１３、仮想リソース要素グループ１７、仮想リソース要素グループ２１、仮想リソース要素グループ２５、仮想リソース要素グループ２９、仮想リソース要素グループ２、仮想リソース要素グループ６、仮想リソース要素グループ１０、仮想リソース要素グループ１４、仮想リソース要素グループ１８、仮想リソース要素グループ２２、仮想リソース要素グループ２６、仮想リソース要素グループ３０、仮想リソース要素グループ３、仮想リソース要素グループ７、仮想リソース要素グループ１１、仮想リソース要素グループ１５、仮想リソース要素グループ１９、仮想リソース要素グループ２３、仮想リソース要素グループ２７、および仮想リソース要素グループ３１である。逐次的に読み出される３２個の仮想リソース要素グループはインタリーブされた仮想リソース要素集合を形成する。
【０１９９】
特に、インタリーブされた仮想リソース要素集合をｍ個のＰＲＢペアに含まれる
【０２００】
【数６２】
0006032511.tif 000064
【０２０１】
個のｅＲＥＧにマップするステップが、リソース・ブロック・ペアのシーケンス番号に従って、インタリーブされた仮想リソース要素集合をｍ個のＰＲＢペアに逐次的にマップするステップと、１つのＰＲＢペアに含まれるｅＲＥＧにマップする際に、インタリーブされた仮想リソース要素集合の中の仮想リソース要素グループを所定のシーケンス（例えば、仮想リソース要素グループの数の昇順または降順）に従ってｅＲＥＧグループにマップするステップであって、インタリーブされた仮想リソース要素集合の各仮想リソース要素グループは１つのｅＲＥＧグループにマップされるステップであってもよい。
【０２０２】
ＲＢペアのシーケンス番号はＰＲＢペアのシーケンス番号または仮想リソース・ブロック（Ｖｉｒｔｕａｌ  ＲＢ、以降、略してＶＲＢ）ペアのシーケンス番号であり、ＲＢペアのシーケンス番号がＶＲＢペアのシーケンス番号であるとき、マッピング関係がＶＲＢペアのシーケンス番号とＰＲＢペアのシーケンス番号の間に存在する。
【０２０３】
表１から逐次的に読み出される３２個の仮想リソース要素グループをなお例として用いると、図６に示すように、１つのＰＲＢペアに含まれるｅＲＥＧにマップする際に、仮想リソース要素グループからｅＲＥＧグループへのマップが仮想リソース要素グループの数の昇順のマップ原理に従って得られる。図６は、本発明に従う仮想リソース要素グループがマップされるｅＲＥＧグループの１実施形態の略図である。
【０２０４】
集約レベル２の分散Ｅ−ＰＤＣＣＨは６個の制御チャネル候補を有する。ＵＥに対して、検索空間の開始位置が０という番号のｅＲＥＧグループであると仮定すると、６個の制御チャネル候補がそれぞれｅＲＥＧグループ０乃至３、ｅＲＥＧグループ４乃至７、ｅＲＥＧグループ８乃至１１個のｅＲＥＧグループ１２乃至１５、ｅＲＥＧグループ１６乃至１９、およびｅＲＥＧグループ２０乃至２３を占有する。ＵＥが分散Ｅ−ＰＤＣＣＨを基地局に制御チャネル候補１で送信すると仮定すると、分散Ｅ−ＰＤＣＣＨをｅＲＥＧグループにマップする略図が図７に示されており、分散Ｅ−ＰＤＣＣＨをｅＲＥＧにマップする略図が図８に示されている。図７は本発明に従う分散Ｅ−ＰＤＣＣＨがマップされるｅＲＥＧグループの１実施形態の略図である。図８は本発明に従う分散Ｅ−ＰＤＣＣＨがマップされるｅＲＥＧの１実施形態の略図である。
【０２０５】
４個のＰＲＢペアでは、最初にＰＲＢペアにおいて番号付けを実施し次いで異なるＰＲＢペアで逐次的な番号付けを実施するという基準に従って、当該４個のＰＲＢペアにおけるｅＲＥＧの番号を図８に示す。したがって、図７と図８によれば、集約レベル２の分散Ｅ−ＰＤＣＣＨがｅＲＥＧグループ０、１、２、および３で送信されることが分かる。分散Ｅ−ＰＤＣＣＨがマップされるｅＲＥＧの番号は、０と１、１６と１７、３２と３３、および４８と４９である。当該番号は、それぞれ、第１のＰＲＢペア（ＰＲＢペア３）のｅＲＥＧ０とｅＲＥＧ１、第２のＰＲＢペア（ＰＲＢペア４）のｅＲＥＧ０とｅＲＥＧ１、第３のＰＲＢペア（ＰＲＢペア８）のｅＲＥＧ０とｅＲＥＧ１、および第４のＰＲＢペア（ＰＲＢペア９）のｅＲＥＧ０とｅＲＥＧ１に対応する。
【０２０６】
さらに、分散Ｅ−ＰＤＣＣＨの制御チャネル候補により占有されるｅＲＥＧグループの数がｍ個のＰＲＢペアに含まれるｅＲＥＧグループの最大数を超えた場合には、以前の番号が循環される。集約レベル２の分散Ｅ−ＰＤＣＣＨを例として用いると、ＵＥに対して、制御チャネル候補により占有されるｅＲＥＧグループの開始位置がｅＲＥＧグループ２８であると仮定すると、第１の制御チャネル候補がｅＲＥＧグループ２８乃至３１を占有し、第２の制御チャネル候補がｅＲＥＧグループ０乃至３を占有する等である。
【０２０７】
ステップ４で、基地局は、制御チャネル候補がマップされる物理リソースに、送信すべきＥ−ＰＤＣＣＨの制御情報を配置し、当該制御情報を送信する。当該制御チャネル候補はＭ個の制御チャネル候補の何れか１つである。
【０２０８】
本発明の別の実施形態では、ｅＲＥＧグループに含まれる全てのｅＲＥＧがＰＲＢペアの中にあるか、または、全てのｅＲＥＧグループに含まれる全てのｅＲＥＧがｍ個のＰＲＢペアの中のｅＣＣＥの一部の物理リソースにあるか、または、ＰＲＢペアにおいて、ｅＲＥＧグループに含まれる全てのｅＲＥＧがＰＲＢペアの中のｅＣＣＥの一部の物理リソースにある。特に、ＰＲＢペアの中の全てのｅＲＥＧグループを、ＰＲＢペアの中のアンテナポートの一部に対応する物理リソースによって形成してもよい。
【０２０９】
即ち、送信すべき分散Ｅ−ＰＤＣＣＨはＰＲＢペアの中の局所ｅＣＣＥの一部の物理リソースにのみマップされる。図９は、本発明の実施形態に従う分散Ｅ−ＰＤＣＣＨがマップされるｅＲＥＧの別の実施形態の略図である。図９では、ＰＲＢペアでは、分散Ｅ−ＰＤＣＣＨは１つまたは２つのアンテナポートに対応する物理リソースにのみマップされる。当該アンテナポートと当該物理リソースの間のマッピング関係は局所Ｅ−ＰＤＣＣＨにおけるアンテナポートと物理リソースの間のマッピング関係である。図９では、集約レベル２でのＥ−ＰＤＣＣＨに対して、ＰＲＢペア３において、ｅＲＥＧグループの２つのｅＲＥＧはそれぞれ２つのｅＣＣＥの物理リソースに配置される。異なるＤＭＲＳポートを用いることによって、空間ダイバーシティ利得を得ることができ、最少のｅＣＣＥを占有することができる。
【０２１０】
図９に示すｅＣＣＥの組合せは説明の簡単さのためにのみ使用したことは分かる。同じＰＲＢペアの中のＥ−ＰＤＣＣＨに属する異なるｅＲＥＧにより占有されるｅＣＣＥの組合せが、利用可能なｅＣＣＥの任意の組合せであってもよい。さらに、分散Ｅ−ＰＤＣＣＨは、局所ｅＣＣＥの一部にのみマップされる。例えば、ＰＲＢペアでは、０および１と番号付けされたｅＣＣＥのみを分散Ｅ−ＰＤＣＣＨにより占有してもよい。ＰＲＢペアにおいて、分散Ｅ−ＰＤＣＣＨにより占有できるｅＣＣＥの数を基地局によりＵＥに通知してもよく、または、当該２つのパーティにより予め定義してもよい。図９では、斜影とボックス影は、それぞれ、分散Ｅ−ＰＤＣＣＨにより占有されるｅＲＥＧに対応する物理リソースを示す。
【０２１１】
以下で、例を用いて当該実施形態の検索空間を説明する。ＰＲＢペアにおいて、０および１と番号付けされた局所ｅＣＣＥに含まれるｅＲＥＧのみを分散Ｅ−ＰＤＣＣＨにより占有できると仮定する（０と番号付けされたｅＣＣＥはアンテナポート７に対応し、１と番号付けされたｅＣＣＥはアンテナポート８に対応する）。局所ｅＣＣＥは４個のｅＲＥＧに対応する。ＰＲＢペアにおいて、集約レベルＬの局所Ｅ−ＰＤＣＣＨにおけるｅＣＣＥが番号付けされている。ｅＣＣＥにおいて、ｅＲＥＧグループが番号付けされる。ここでは、ｅＲＥＧグループが１個のｅＲＥＧを含むと仮定する。
【０２１２】
図１０は、本発明に従う分散Ｅ−ＰＤＣＣＨにより占有されうるｅＲＥＧの１実施形態の略図である。図１０では、基地局は、ＵＥが分散Ｅ−ＰＤＣＣＨを送信するためのａ＝４個のＰＲＢペアを構成する。当該４個のＰＲＢペアはそれぞれＶＲＢペア０乃至３に対応する。ＰＲＢペアにおいて、ｂ＝４個のｅＣＣＥが存在するが、２つのみを使用して分散Ｅ−ＰＤＣＣＨを送信してもよく、当該２つのｅＣＣＥがそれぞれ０および１と番号付けされる。ｅＣＣＥはｃ＝４個のｅＲＥＧに対応し、当該４個のｅＲＥＧはそれぞれ０乃至３と番号付けされ、ＲＥＧ０乃至３はそれぞれｅＲＥＧグループ０乃至３に属する。さらに、ＰＲＢペアの中の異なるｅＣＣＥにより占有される物理リソース要素が予め定義され、ＰＲＢペアにおけるｅＣＣＥの中の異なるｅＲＥＧと異なるｅＲＥＧグループにより占有される物理リソース要素が予め定義される。ｅＲＥＧグループが１個のｅＲＥＧを含むとき、ｅＣＣＥの中のｅＲＥＧグループの番号は０乃至３であり、ｅＲＥＧグループが２個のｅＲＥＧを含むとき、ｅＣＣＥの中のｅＲＥＧグループの番号は０および１である等である。図１０は、ｅＲＥＧグループが１個のｅＲＥＧを含みｅＣＣＥの中のｅＲＥＧグループの番号が０乃至３である例を用いる。図１０の影の部分は、分散Ｅ−ＰＤＣＣＨを使用できるｅＲＥＧを示す。
【０２１３】
基地局により構成され分散Ｅ−ＰＤＣＣＨを送信するために使用されるｍ個のＰＲＢペアにおいて、集約レベルＬに対して、ｅＲＥＧグループのインデックスを（ｉ、ｊ、ｋ）で表せると仮定する。ｉはＲＢペア（例えば、ＰＲＢペアまたはＶＲＢペア）のシーケンス番号を示し、ＶＲＢペアのシーケンス番号を本例では使用する。ｊはＲＢペア（例えば、ＰＲＢペアまたはＶＲＢペア）におけるｅＣＣＥのシーケンス番号を示し、ｋは、ＲＢペア（例えば、ＰＲＢペアまたはＶＲＢペア）のｅＣＣＥの中のｅＲＥＧグループのシーケンス番号を示す。
【０２１４】
集約レベルＬでのＭ個の制御チャネル候補のマッピング規則は、予め設定した開始位置から開始し、最初にｊ、次にｉ、最後にｋという順序に従って当該Ｍ個の制御チャネル候補をマッピングするというものである。例えば、集約レベル２に対して、ｅＲＥＧグループは１個のｅＲＥＧを含む。集約レベル２でのＥ−ＰＤＣＣＨが８個のＲＥＧを占有するので、集約レベル２でのＥ−ＰＤＣＣＨが８個のｅＲＥＧグループを占有する。この場合、ｅＲＥＧグループのインデックスもｅＲＥＧのインデックスである。集約レベル２にはＭ＝３個の制御チャネル候補があり、開始位置は（ｉ＝０、ｊ＝０、ｋ＝０）であると仮定する。したがって、第１のｅＲＥＧグループのインデックスまたは８個のｅＲＥＧグループの中のｅＲＥＧまたは当該第１の制御チャネル候補のｅＲＥＧは（０、０、０）であり、最初にｊ、次にｉ、最後にｋという順序によれば、第２のｅＲＥＧグループまたはｅＲＥＧのインデックスは（０、１、０）であり、第３のｅＲＥＧグループまたはｅＲＥＧのインデックスは（１、０、０）である。同様に、８番目のｅＲＥＧグループまたはｅＲＥＧのインデックスは（３、１、０）である。第１の制御チャネル候補の当該８番目のｅＲＥＧグループまたはｅＲＥＧのインデックスを得た後、図１１に示すように、第２の制御チャネル候補が、最初にｊ、次にｉ、最後にｋという順序に従ってマップされ、第２の制御チャネル候補の第１のｅＲＥＧグループまたはｅＲＥＧのインデックス（０、０、１）が得られる等である。図１１は、本発明に従う分散Ｅ−ＰＤＣＣＨがマップされるｅＲＥＧの別の実施形態の略図である。図１１では、
【０２１５】
【数６３】
0006032511.tif 000065
【０２１６】
は第１の制御チャネル候補がマップされるｅＲＥＧを示し、
【０２１７】
【数６４】
0006032511.tif 000066
【０２１８】
は第２の制御チャネル候補がマップされるｅＲＥＧを示し、
【０２１９】
【数６５】
0006032511.tif 000067
【０２２０】
は第３の制御チャネル候補がマップされるｅＲＥＧを示す。
【０２２１】
図１２は本発明に従う制御チャネルを受信するための方法の１実施形態の流れ図である。図１２に示すように、制御チャネルを受信するための方法が以下を含んでもよい。ステップ１２０１で、制御チャネルを送信するのに使用されるｍ個のＰＲＢペアを決定する。
【０２２２】
ｉ番目のＰＲＢペアはｎｉ個の第１の物理リソース要素を含み、当該ｉ番目の物理リソース・ブロック・ペアはｋｉ個の第２の物理リソース要素を含み、ｍ個のＰＲＢペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、ｍ≧１、ｎｉ≧１、ｋｉ≧１、０≦ｉ≦ｍ−１であり、ｍ、ｉ、ｎｉ、およびｋｉは全て整数である。
【０２２３】
第１の物理リソース要素のうち１つは少なくとも２つの第２の物理リソース要素を含む。即ち、第１の物理リソース要素の物理リソースは少なくとも２つの第２の物理リソース要素の物理リソースを含む。制御チャネルがＥ−ＰＤＣＣＨまたはＰＤＣＣＨであってもよく、当該実施形態によっては限定されない。
【０２２４】
ステップ１２０２で、制御チャネルの集約レベルＬに従って、第２の物理リソース要素グループの各々に含まれる第２の物理リソース要素の数ＧＬを決定する。第２の物理リソース要素グループの各々に含まれるＧＬ個の第２の物理リソース要素はｍ個のＰＲＢペアの中の
【０２２５】
【数６６】
0006032511.tif 000068
【０２２６】
個の第１の物理リソース要素の中に配置され、ｑは１つの第１の物理リソース要素に含まれる第２の物理リソース要素の数を示し、
【０２２７】
【数６７】
0006032511.tif 000069
【０２２８】
はＧＬ／ｑの切上げを示しＧＬ≧１、Ｌ≧１であり、ＧＬとＬは両方とも整数である。
【０２２９】
ステップ１２０３で、集約レベルＬに従って、集約レベルＬのＭ個の制御チャネル候補を決定する。
【０２３０】
各制御チャネル候補はＮＬ個の第２の物理リソース要素に対応する。Ｍ≧１、ＮＬ≧１であり、ＭとＮＬは両方とも整数である。
【０２３１】
ステップ１２０４で、Ｍ個の制御チャネル候補を検出する。
【０２３２】
当該実施形態では、ＧＬが１つの第１の物理リソース要素に含まれる第２の物理リソース要素の数以下であるとき、ＧＬ個の第２の物理リソース要素はｍ個のＰＲＢペアの中の１つの第１の物理リソース要素の中に配置される。
【０２３３】
特に、ステップ１２０２で、制御チャネルの集約レベルＬに従って、第２の物理リソース要素グループの各々に含まれる第２の物理リソース要素の数ＧＬを決定するステップが、第２の物理リソース要素グループの各々に含まれる第２の物理リソース要素の上位層シグナリングにより構成され集約レベルＬに対応する数ＧＬを取得するステップ、または、集約レベルＬと第２の物理リソース要素グループの各々に含まれる第２の物理リソース要素の数ＧＬの間で予め設定されたマッピング関係に従ってＧＬを決定するステップであってもよい。
【０２３４】
当該実施形態では、異なる集約レベルに対して、少なくとも１つの集約レベルに対応する第２の物理リソース要素グループに含まれる第２の物理リソース要素の数ＧＬは２以上であり、この場合、少なくとも１つの集約レベルに対応する第２の物理リソース要素グループに含まれる第２の物理リソース要素の数ＧＬは２以上であり、第２の物理リソース要素グループの各々に含まれるＧＬ個の第２の物理リソース要素はｍ個のＰＲＢペアの中の
【０２３５】
【数６８】
0006032511.tif 000070
【０２３６】
個の第１の物理リソース要素の中に配置され、したがって、この集約レベルで、第２の物理リソース要素グループの各々は少数の第１の物理リソース要素を占有し、それにより第２の物理リソース要素グループの各第２の物理リソース要素が１つの第１の物理リソース要素を占有するケースが回避され、その結果、多くの第１の物理リソース要素を局所送信モードで使用することができる。または、複数の異なる集約レベルにおける少なくとも２つの集約レベルに対して、当該少なくとも２つの集約レベルの高次集約レベルに対応する第２の物理リソース要素グループがより多くの第２の物理リソース要素を含む。この場合、高次集約レベルの制御チャネルがより多くの第２の物理リソース要素を占有する。ダイバーシティ利得に関して、当該ダイバーシティ利得が４より大きいとき、例えば、ダイバーシティ利得が４から８に変化するとき、性能利得は大きくない。さらに、相関関係も周波数領域に存在し、当該周波数領域においては限られたダイバーシティ利得しか得ることができない。したがって、一定のダイバーシティ利得が得られる限り、高次集約レベルで制御チャネルが占有する第２の物理リソース要素を多くのＰＲＢペアに配分する必要はない。例えば、高次集約レベルで制御チャネルが占有する第２の物理リソース要素が、４個の周波数領域における４つのチャネル独立なＰＲＢペアに配分される。したがって、一定の周波数ダイバーシティ利得が各集約レベルで得られる場合には、一部の第１の物理リソース要素が局所Ｅ−ＰＤＣＣＨに対して予約される。
【０２３７】
当該実施形態では、１つの第２の物理リソース要素グループに含まれる全ての第２の物理リソース要素は１つのＰＲＢペアの中に配置されるか、または、全ての第２の物理リソース要素グループに含まれる全ての第２の物理リソース要素はｍ個のＰＲＢペアの中の第１の物理リソース要素の一部の物理リソースに配置されるか、または、１つのＰＲＢペアにおいて、１つの第２の物理リソース要素グループに含まれる全ての第２の物理リソース要素は当該１つのＰＲＢペアの中の第１の物理リソース要素の一部の物理リソースに配置されるか、または、１つのＰＲＢペアにおいて、全ての第２の物理リソース要素グループに含まれる全ての第２の物理リソース要素は当該１つのＰＲＢペアの中の第１の物理リソース要素の一部の物理リソースに配置される。したがって、幾つかの第１の物理リソース要素を局所Ｅ−ＰＤＣＣＨ送信に対して使用することができる。
【０２３８】
当該実施形態では、１つのＰＲＢペアにおいて、全ての第２の物理リソース要素グループは当該１つのＰＲＢペアの中のアンテナポートの一部に対応する物理リソースにより形成されるか、または、１つのＰＲＢペアにおいて、全ての第２の物理リソース要素グループに含まれる全ての第２の物理リソース要素は当該１つのＰＲＢペアの中のアンテナポートの一部に対応する第１の物理リソース要素の中に配置される。
【０２３９】
特に、ステップ１２０４で、Ｍ個の制御チャネル候補を検出するステップが、当該Ｍ個の制御チャネル候補がマップされる物理リソースを検出し、正しい制御チャネルが検出されたとき、当該正しい制御チャネルを解析して当該正しい制御チャネルで運搬される制御情報を取得するか、または、正しい制御チャネルが検出されなかったとき、正しい制御チャネルが検出されるかまたは全ての集約レベルに対応する全ての制御チャネル候補が訪問されるまで、制御チャネル候補の数Ｍを集約レベルＬとは異なる集約レベルで決定するステップと後続のステップを実施し続けるステップであってもよい。
【０２４０】
特に、集約レベルＬに従って、集約レベルＬのＭ個の制御チャネル候補を決定するステップが、集約レベルＬに従って、集約レベルＬの制御チャネル候補の数Ｍを決定するステップであって、Ｍは整数であり、Ｍ≧１であるステップと、当該Ｍ個の制御チャネル候補からｍ個のＰＲＢペアの中の物理リソースへのマッピングを決定するステップとであってもよい。
【０２４１】
当該実施形態では、特に、当該Ｍ個の制御チャネル候補からｍ個のＰＲＢペアの中の物理リソースへのマッピングを決定するステップが、当該Ｍ個の制御チャネル候補が
【０２４２】
【数６９】
0006032511.tif 000071
【０２４３】
個の第２の物理リソース要素の中のＭ×ＨＬ個の第２の物理リソース要素にマップされると判定するステップであってもよい。ＨＬは、集約レベルＬの制御チャネル候補の各々をマップする必要がある第２の物理リソース要素の数を示し、ＮＬ×ＧＬ＝ＨＬ、ＨＬ≧１、ＮＬは整数である。
【０２４４】
特に、当該Ｍ個の制御チャネル候補が
【０２４５】
【数７０】
0006032511.tif 000072
【０２４６】
個の第２の物理リソース要素中のＭ×ＨＬ個の第２の物理リソース要素にマップされると判定するステップが、Ｍ個の制御チャネル候補が仮想リソース要素集合内のＭ×ＨＬ個の仮想リソース要素にマップされると判定し、Ｍ×ＨＬ個の仮想リソース要素が
【０２４７】
【数７１】
0006032511.tif 000073
【０２４８】
個の第２の物理リソース要素の中のＭ×ＨＬ個の第２の物理リソース要素にマップされると判定するステップであってもよい。各仮想リソース要素は物理リソース上の１つの第２の物理リソース要素に対応し、仮想リソース要素集合は
【０２４９】
【数７２】
0006032511.tif 000074
【０２５０】
個の仮想リソース要素を含む。
【０２５１】
Ｍ個の制御チャネル候補が仮想リソース要素集合内のＭ×ＨＬ個の仮想リソース要素にマップされると判定するステップが、当該Ｍ個の制御チャネル候補が、予め取得された開始位置から開始してＭ×ＨＬ個の連続する仮想リソース要素にマップされると判定するステップであってもよい。
【０２５２】
Ｍ×ＨＬ個の仮想リソース要素が
【０２５３】
【数７３】
0006032511.tif 000075
【０２５４】
個の第２の物理リソース要素の中のＭ×ＨＬ個の第２の物理リソース要素にマップされると判定するステップが、仮想リソース要素集合に含まれる
【０２５５】
【数７４】
0006032511.tif 000076
【０２５６】
個の仮想リソース要素を、インタリーバを介してインタリーブするステップであって、インタリーバのインタリーブ行列の要素数はＱであるステップと、インタリーブされた仮想リソース要素集合はｍ個の物理リソース・ブロック・ペアに含まれる
【０２５７】
【数７５】
0006032511.tif 000077
【０２５８】
個の第２の物理リソース要素にマップされると判定するステップと、次に、仮想リソース要素集合の中のＭ×ＨＬ個の仮想リソース要素のマップ位置に従って、インタリーブされた仮想リソース要素集合の中のＭ×ＨＬ個の仮想リソース要素のマップ位置を取得するステップと、最後に、インタリーブされた仮想リソース要素集合の中のＭ×ＨＬ個の仮想リソース要素のマップ位置と
【０２５９】
【数７６】
0006032511.tif 000078
【０２６０】
個の第２の物理リソース要素の中のインタリーブされた仮想リソース要素集合のマップ位置に従って、当該Ｍ×ＨＬ個の仮想リソース要素は
【０２６１】
【数７７】
0006032511.tif 000079
【０２６２】
個の第２の物理リソース要素の中のＭ×ＨＬ個の第２の物理リソース要素にマップされると判定するステップとであってもよい。
【０２６３】
当該仮想リソース要素集合に含まれる
【０２６４】
【数７８】
0006032511.tif 000080
【０２６５】
個の仮想リソース要素を、インタリーバを介してインタリーブするステップが、当該仮想リソース要素集合をＲＬ個の仮想リソース要素グループに分割するステップであって、各仮想リソース要素グループに含まれる仮想リソース要素の数はＧＬであり、
【０２６６】
【数７９】
0006032511.tif 000081
【０２６７】
であり、Ｑ≦ＲＬであるステップと、当該ＲＬ個の仮想リソース要素グループを行に従ってインタリーブ行列に逐次的に書き込み、当該ＲＬ個の仮想リソース要素グループを列に従ってインタリーブ行列から逐次的に読み取るステップであって、各仮想リソース要素グループはインタリーブ行列の１つの要素に対応するステップ、または、当該ＲＬ個の仮想リソース要素グループを列に従ってインタリーブ行列に逐次的に書き込み、当該ＲＬ個の仮想リソース要素グループを行に従ってインタリーブ行列から逐次的に読み取るステップであって、各仮想リソース要素グループはインタリーブ行列の１つの要素に対応するステップとであってもよい。逐次的に読み取られたＲＬ個の仮想リソース要素グループはインタリーブされた仮想リソース要素集合を形成する。
【０２６８】
当該実施形態の１実装方式では、インタリーブ行列の列数はｍであり、かつ／または
インタリーブ行列の行数は
【０２６９】
【数８０】
0006032511.tif 000082
【０２７０】
であり、
【０２７１】
【数８１】
0006032511.tif 000083
【０２７２】
は
【０２７３】
【数８２】
0006032511.tif 000084
【０２７４】
の切上げを示し、ｍ個のＰＲＢペアの中の各ＰＲＢペアに含まれる第２の物理リソース要素の数が等しくｐであるとき、インタリーブ行列の行数は
【０２７５】
【数８３】
0006032511.tif 000085
【０２７６】
である。
【０２７７】
当該実施形態の別の実装方式では、インタリーブ行列の行数はｍであり、かつ／または、インタリーブ行列の列数は
【０２７８】
【数８４】
0006032511.tif 000086
【０２７９】
であり、
【０２８０】
【数８５】
0006032511.tif 000087
【０２８１】
は
【０２８２】
【数８６】
0006032511.tif 000088
【０２８３】
の切上げを示し、ｍ個のＰＲＢペアの中の各ＰＲＢペアに含まれる第２の物理リソース要素の数が等しくｐであるとき、インタリーブ行列の列数は
【０２８４】
【数８７】
0006032511.tif 000089
【０２８５】
である。
【０２８６】
特に、インタリーブされた仮想リソース要素集合がｍ個のＰＲＢペアに含まれる
【０２８７】
【数８８】
0006032511.tif 000090
【０２８８】
個の第２の物理リソース要素にマップされると判定するステップが、ＲＢペアのシーケンス番号に従って、インタリーブされた仮想リソース要素集合がｍ個のＰＲＢペアに逐次的にマップされると判定するステップと、１つのＰＲＢペアに含まれる第２の物理リソース要素にマップする際に、ＵＥにより、インタリーブされた仮想リソース要素集合の中の仮想リソース要素グループは所定のシーケンスに従って第２の物理リソース要素グループにマップされると判定するステップであって、インタリーブされた仮想リソース要素集合の各仮想リソース要素グループは１つの第２の物理リソース要素グループにマップされるステップとであってもよい。
【０２８９】
ＲＢペアのシーケンス番号はＰＲＢペアのシーケンス番号またはＶＲＢペアのシーケンス番号であり、ＲＢペアのシーケンス番号がＶＲＢペアのシーケンス番号であるとき、マッピング関係がＶＲＢペアのシーケンス番号とＰＲＢペアのシーケンス番号の間に存在する。
【０２９０】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０２９１】
図１３は本発明に従う基地局の１実施形態の略構造図である。当該実施形態の基地局１３が、本発明の図１に示す実施形態の手続きを実装してもよい。図１３に示すように、基地局１３がプロセッサ１３０１および送信器１３０２を備えてもよい。
【０２９２】
プロセッサ１３０１は、送信すべき制御チャネルを送信するために使用されるｍ個のＰＲＢペアを決定し、送信すべき制御チャネルが分散送信モードを用いて送信されるとき、送信すべき制御チャネルの集約レベルＬを決定し、集約レベルＬに従って、第２の物理リソース要素グループの各々に含まれる第２の物理リソース要素の数ＧＬを決定し、集約レベルＬに従って、集約レベルＬでの第１の制御チャネル候補を決定するように構成される。ｉ番目のＰＲＢペアはｎｉ個の第１の物理リソース要素を含み、ｉ番目のＰＲＢペアはｋｉ個の第２の物理リソース要素を含み、ｍ個のＰＲＢペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であり、Ｌ≧１、Ｌは整数であり、第２の物理リソース要素グループの各々に含まれるＧＬ個の第２の物理リソース要素はｍ個のＰＲＢペアの中の
【０２９３】
【数８９】
0006032511.tif 000091
【０２９４】
個の第１の物理リソース要素の中に配置され、ｑは１つの第１の物理リソース要素に含まれる第２の物理リソース要素の数を示し、
【０２９５】
【数９０】
0006032511.tif 000092
【０２９６】
はＧＬ／ｑの切上げを示し、ＧＬ≧１、ＧＬは整数であり、第１の制御チャネル候補はＮＬ個の第２の物理リソース要素グループに対応し、ＮＬ≧１、ＮＬは整数である。
【０２９７】
送信器１３０２は、第１の制御チャネル候補がマップされる物理リソースに、送信すべき制御チャネルの制御情報を配置し、当該制御情報を送信するように構成される。
【０２９８】
制御チャネルがＥ−ＰＤＣＣＨまたはＰＤＣＣＨであってもよく、当該実施形態によっては限定されない。
【０２９９】
当該実施形態では、ＧＬが１つの第１の物理リソース要素に含まれる第２の物理リソース要素の数以下であるとき、ＧＬ個の第２の物理リソース要素はｍ個のＰＲＢペアの中の１つの第１の物理リソース要素の中に配置される。
【０３００】
当該実施形態では、集約レベルＬに従って、第２の物理リソース要素グループの各々に含まれる第２の物理リソース要素の数ＧＬを決定するように構成されたプロセッサ１３０１が集約レベルＬと第２の物理リソース要素グループの各々に含まれる第２の物理リソース要素の数ＧＬの間で予め設定されたマッピング関係に従ってＧＬを決定するように構成されたプロセッサ１３０１であってもよい。
【０３０１】
さらに、当該実施形態では、送信器１３０２はさらに、上位層シグナリングを受信装置に送信するように構成される。当該上位層シグナリングは、第２の物理リソース要素グループの各々に含まれる第２の物理リソース要素の集約レベルＬに対応する数ＧＬを構成するために使用される。
【０３０２】
当該実施形態では、異なる集約レベルに対して、少なくとも１つの集約レベルに対応する第２の物理リソース要素グループに含まれる第２の物理リソース要素の数ＧＬは２以上であり、この場合、少なくとも１つの集約レベルに対応する第２の物理リソース要素グループに含まれる第２の物理リソース要素の数ＧＬは２以上であり、第２の物理リソース要素グループの各々に含まれるＧＬ個の第２の物理リソース要素はｍ個のＰＲＢペアの中の
【０３０３】
【数９１】
0006032511.tif 000093
【０３０４】
個の第１の物理リソース要素の中に配置され、したがって、この集約レベルで、第２の物理リソース要素グループの各々は少数の第１の物理リソース要素を占有し、それにより第２の物理リソース要素グループの各第２の物理リソース要素が１つの第１の物理リソース要素を占有するケースが回避され、その結果、多くの第１の物理リソース要素を局所送信モードで使用することができる。または、複数の異なる集約レベルにおける少なくとも２つの集約レベルに対して、当該少なくとも２つの集約レベルの高次集約レベルに対応する第２の物理リソース要素グループがより多くの第２の物理リソース要素を含む。この場合、高次集約レベルの制御チャネルがより多くの第２の物理リソース要素を占有する。ダイバーシティ利得に関して、当該ダイバーシティ利得が４より大きいとき、例えば、ダイバーシティ利得が４から８に変化するとき、性能利得は大きくない。さらに、相関関係も周波数領域に存在し、当該周波数領域においては限られたダイバーシティ利得しか得ることができない。したがって、一定のダイバーシティ利得が得られる限り、高次集約レベルで制御チャネルが占有する第２の物理リソース要素を多くのＰＲＢペアに配分する必要はない。例えば、高次集約レベルで制御チャネルが占有する第２の物理リソース要素が、４個の周波数領域における４つのチャネル独立なＰＲＢペアに配分される。したがって、一定の周波数ダイバーシティ利得が各集約レベルで得られる場合には、一部の第１の物理リソース要素が局所Ｅ−ＰＤＣＣＨに対して予約される。
【０３０５】
当該実施形態では、１つの第２の物理リソース要素グループに含まれる全ての第２の物理リソース要素は１つのＰＲＢペアの中に配置されるか、または、全ての第２の物理リソース要素グループに含まれる全ての第２の物理リソース要素はｍ個の物理リソース・ブロック・ペアにおける第１の物理リソース要素の一部の物理リソースに配置されるか、または、１つのＰＲＢペアにおいて、１つの第２の物理リソース要素グループに含まれる全ての第２の物理リソース要素は当該１つのＰＲＢペアの中の第１の物理リソース要素の一部の物理リソースに配置されるか、または、１つのＰＲＢペアにおいて、全ての第２の物理リソース要素グループに含まれる全ての第２の物理リソース要素は当該１つのＰＲＢペアの中の第１の物理リソース要素の一部の物理リソースに配置される。したがって、幾つかの第１の物理リソース要素を局所Ｅ−ＰＤＣＣＨ送信に対して使用することができる。
【０３０６】
当該実施形態では、１つのＰＲＢペアにおいて、全ての第２の物理リソース要素グループは当該１つのＰＲＢペアの中のアンテナポートの一部に対応する物理リソースにより形成されるか、または、１つのＰＲＢペアにおいて、全ての第２の物理リソース要素グループに含まれる全ての第２の物理リソース要素は当該１つのＰＲＢペアの中のアンテナポートの一部に対応する第１の物理リソース要素の中に配置される。
【０３０７】
当該実施形態では、集約レベルＬに従って、集約レベルＬでの第１の制御チャネル候補を決定するように構成されたプロセッサ１３０１が、集約レベルＬに従って、集約レベルＬの制御チャネル候補の数Ｍを決定し、当該Ｍ個の制御チャネル候補をｍ個のＰＲＢペアの中の物理リソーースにマップし、当該Ｍ個の制御チャネル候補から１つの第１の制御チャネル候補を選択するように構成されたプロセッサ１３０１であってもよい。Ｍは整数であり、Ｍ≧１である。
【０３０８】
当該実施形態では、当該Ｍ個の制御チャネル候補をｍ個のＰＲＢペアの中の物理リソースにマップするように構成されたプロセッサ１３０１が、当該Ｍ個の制御チャネル候補を
【０３０９】
【数９２】
0006032511.tif 000094
【０３１０】
個の第２の物理リソース要素の中のＭ×ＨＬ個の第２の物理リソース要素にマップするように構成されたプロセッサ１３０１であってもよい。ＨＬは、集約レベルＬの制御チャネル候補の各々をマップする必要がある第２の物理リソース要素の数を示し、ＮＬ×ＧＬ＝ＨＬ、ＨＬ≧１、ＮＬは整数である。
【０３１１】
特に、Ｍ個の制御チャネル候補を
【０３１２】
【数９３】
0006032511.tif 000095
【０３１３】
個の第２の物理リソース要素の中のＭ×ＨＬ個の第２の物理リソース要素にマップするように構成されたプロセッサ１３０１が、仮想リソース要素を設定し、Ｍ個の制御チャネル候補を仮想リソース要素集合の中のＭ×ＨＬ個の仮想リソース要素にマップし、当該Ｍ×ＨＬ個の仮想リソース要素を
【０３１４】
【数９４】
0006032511.tif 000096
【０３１５】
個の第２の物理リソース要素の中のＭ×ＨＬ個の第２の物理リソース要素にマップするように構成されたプロセッサ１３０１であってもよい。当該仮想リソース要素の各々は物理リソース上の１つの第２の物理リソース要素に対応し、仮想リソース要素集合は
【０３１６】
【数９５】
0006032511.tif 000097
【０３１７】
個の仮想リソース要素を含み、Ｍ個の制御チャネル候補はＭ×ＨＬ個の仮想リソース要素に対応する。
【０３１８】
Ｍ個の制御チャネル候補を仮想リソース要素集合の中のＭ×ＨＬ個の仮想リソース要素にマップするように構成されたプロセッサ１３０１が、予め取得された開始位置に従って、当該Ｍ個の制御チャネル候補をＭ×ＨＬ個の連続する仮想リソース要素に連続的にマップするように構成されたプロセッサ１３０１であってもよい。
【０３１９】
特に、当該Ｍ×ＨＬ個の仮想リソース要素を
【０３２０】
【数９６】
0006032511.tif 000098
【０３２１】
個の第２の物理リソース要素の中のＭ×ＨＬ個の第２の物理リソース要素にマップするように構成されたプロセッサ１３０１が、仮想リソース要素集合に含まれる
【０３２２】
【数９７】
0006032511.tif 000099
【０３２３】
個の仮想リソース要素を、インタリーバを介してインタリーブし、インタリーブされた仮想リソース要素集合をｍ個のＰＲＢペアに含まれる
【０３２４】
【数９８】
0006032511.tif 000100
【０３２５】
個の第２の物理リソース要素にマップし、当該仮想リソース要素集合の中のＭ×ＨＬ個の仮想リソース要素のマップ位置に従って、インタリーブされた仮想リソース要素集合の中のＭ×ＨＬ個の仮想リソース要素のマップ位置を取得し、当該
【０３２６】
【数９９】
0006032511.tif 000101
【０３２７】
個の第２の物理リソース要素の中のインタリーブされた仮想リソース要素集合のマップ位置に従って、当該Ｍ×ＨＬ個の仮想リソース要素を当該
【０３２８】
【数１００】
0006032511.tif 000102
【０３２９】
個の第２の物理リソース要素の中のＭ×ＨＬ個の第２の物理リソース要素にマップするように構成されたプロセッサ１３０１であってもよい。インタリーバのインタリーブ行列の要素数はＱである。
【０３３０】
特に、仮想リソース要素集合に含まれる
【０３３１】
【数１０１】
0006032511.tif 000103
【０３３２】
個の仮想リソース要素を、インタリーバを介してインタリーブするように構成されたプロセッサ１３０１が、当該仮想リソース要素集合をＲＬ個の仮想リソース要素グループに分割し、当該ＲＬ個の仮想リソース要素グループを行に従ってインタリーブ行列に逐次的に書き込み、当該ＲＬ個の仮想リソース要素グループを列に従ってインタリーブ行列から逐次的に読み取るか、または、当該ＲＬ個の仮想リソース要素グループを列に従ってインタリーブ行列に逐次的に書き込み、当該ＲＬ個の仮想リソース要素グループを行に従ってインタリーブ行列から逐次的に読み取るように構成されたプロセッサ１３０１であってもよい。各仮想リソース要素グループに含まれる仮想リソース要素の数はＧＬであり、
【０３３３】
【数１０２】
0006032511.tif 000104
【０３３４】
であり、Ｑ≦ＲＬであり、各仮想リソース要素グループはインタリーブ行列の１つの要素に対応し、逐次的に読み出されたＲＬ個の仮想リソース要素グループが、インタリーブされた仮想リソース要素集合を形成する。
【０３３５】
当該実施形態の１実装方式では、インタリーブ行列の列数はｍであり、かつ／または
インタリーブ行列の行数は
【０３３６】
【数１０３】
0006032511.tif 000105
【０３３７】
であり、
【０３３８】
【数１０４】
0006032511.tif 000106
【０３３９】
は
【０３４０】
【数１０５】
0006032511.tif 000107
【０３４１】
の切上げを示し、ｍ個のＰＲＢペアの中の各ＰＲＢペアに含まれる第２の物理リソース要素の数が等しくｐであるとき、インタリーブ行列の行数は
【０３４２】
【数１０６】
0006032511.tif 000108
【０３４３】
である。
【０３４４】
当該実施形態の別の実装方式では、インタリーブ行列の行数はｍであり、かつ／または、インタリーブ行列の列数は
【０３４５】
【数１０７】
0006032511.tif 000109
【０３４６】
であり、
【０３４７】
【数１０８】
0006032511.tif 000110
【０３４８】
は
【０３４９】
【数１０９】
0006032511.tif 000111
【０３５０】
の切上げを示し、ｍ個のＰＲＢペアの中の各ＰＲＢペアに含まれる第２の物理リソース要素の数が等しくｐであるとき、インタリーブ行列の列数は
【０３５１】
【数１１０】
0006032511.tif 000112
【０３５２】
である。
【０３５３】
当該実施形態では、インタリーブされた仮想リソース要素集合をｍ個のＰＲＢペアに含まれる
【０３５４】
【数１１１】
0006032511.tif 000113
【０３５５】
個の第２の物理リソース要素にマップするように構成されたプロセッサ１３０１が、ＲＢペアのシーケンス番号に従って、インタリーブされた仮想リソース要素集合をｍ個のＰＲＢペアに逐次的にマップし、１つのＰＲＢペアに含まれる第２の物理リソース要素にマップする際に、インタリーブされた仮想リソース要素集合の中の仮想リソース要素グループを所定のシーケンスに従って第２の物理リソース要素グループにマップするように構成されたプロセッサ１３０１であってもよい。インタリーブされた仮想リソース要素集合の各仮想リソース要素グループは１つの第２の物理リソース要素グループにマップされる。ＲＢペアのシーケンス番号はＰＲＢペアのシーケンス番号または仮想リソース・ブロック・ペアのシーケンス番号であり、ＲＢペアのシーケンス番号が仮想リソース・ブロック・ペアのシーケンス番号であるとき、マッピング関係が仮想リソース・ブロック・ペアのシーケンス番号とＰＲＢペアのシーケンス番号の間に存在する。
【０３５６】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０３５７】
図１４は本発明に従うユーザ機器の１実施形態の略構造図である。当該実施形態のユーザ機器１４が本発明の図１２に示す実施形態の手続きを実装してもよい。図１４に示すように、ユーザ機器１４がプロセッサ１４０１および受信器１４０２を備えてもよい。
【０３５８】
プロセッサ１４０１は、制御チャネルを送信するのに使用されるｍ個のＰＲＢペアを決定し、制御チャネルの集約レベルＬに従って、第２の物理リソース要素グループの各々に含まれる第２の物理リソース要素の数ＧＬを決定し、集約レベルＬに従って、集約レベルＬのＭ個の制御チャネル候補を決定するように構成される。ｉ番目のＰＲＢペアはｎｉ個の第１の物理リソース要素を含み、ｉ番目のＰＲＢペアはｋｉ個の第２の物理リソース要素を含み、ｍ個のＰＲＢペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であり、第２の物理リソース要素グループの各々に含まれるＧＬ個の第２の物理リソース要素はｍ個のＰＲＢペアの中の
【０３５９】
【数１１２】
0006032511.tif 000114
【０３６０】
個の第１の物理リソース要素の中に配置され、ｑは１つの第１の物理リソース要素に含まれる第２の物理リソース要素の数を示し、
【０３６１】
【数１１３】
0006032511.tif 000115
【０３６２】
はＧＬ／ｑの切上げを示し、ＧＬ≧１、Ｌ≧１であり、ＧＬとＬは両方とも整数であり、当該制御チャネル候補の各々はＮＬ個の第２の物理リソース要素グループに対応し、Ｍ≧１、ＮＬ≧１であり、ＭとＮＬは両方とも整数である。
【０３６３】
受信器１４０２は、Ｍ個の制御チャネル候補を検出するように構成される。制御チャネルがＥ−ＰＤＣＣＨまたはＰＤＣＣＨであってもよく、当該実施形態によっては限定されない。
【０３６４】
当該実施形態では、ＧＬが１つの第１の物理リソース要素に含まれる第２の物理リソース要素の数以下であるとき、ＧＬ個の第２の物理リソース要素はｍ個のＰＲＢペアの中の１つの第１の物理リソース要素の中に配置される。
【０３６５】
特に、制御チャネルの集約レベルＬに従って、第２の物理リソース要素グループの各々に含まれる第２の物理リソース要素の数ＧＬを決定するように構成されたプロセッサ１４０１が、第２の物理リソース要素グループの各々に含まれる第２の物理リソース要素の上位層シグナリングにより構成され集約レベルＬに対応する数ＧＬを取得するか、または、集約レベルＬと第２の物理リソース要素グループの各々に含まれる第２の物理リソース要素の数ＧＬの間で予め設定されたマッピング関係に従ってＧＬを決定するように構成されたプロセッサ１４０１であってもよい。
【０３６６】
当該実施形態では、異なる集約レベルに対して、少なくとも１つの集約レベルに対応する第２の物理リソース要素グループに含まれる第２の物理リソース要素の数ＧＬは２以上であり、この場合、少なくとも１つの集約レベルに対応する第２の物理リソース要素グループに含まれる第２の物理リソース要素の数ＧＬは２以上であり、第２の物理リソース要素グループの各々に含まれるＧＬ個の第２の物理リソース要素はｍ個のＰＲＢペアの中の
【０３６７】
【数１１４】
0006032511.tif 000116
【０３６８】
個の第１の物理リソース要素の中に配置され、したがって、この集約レベルで、第２の物理リソース要素グループの各々は少数の第１の物理リソース要素を占有し、それにより第２の物理リソース要素グループの各第２の物理リソース要素が１つの第１の物理リソース要素を占有するケースが回避され、その結果、多くの第１の物理リソース要素を局所送信モードで使用することができる。または、複数の異なる集約レベルにおける少なくとも２つの集約レベルに対して、当該少なくとも２つの集約レベルの高次集約レベルに対応する第２の物理リソース要素グループがより多くの第２の物理リソース要素を含む。この場合、高次集約レベルの制御チャネルがより多くの第２の物理リソース要素を占有する。ダイバーシティ利得に関して、当該ダイバーシティ利得が４より大きいとき、例えば、ダイバーシティ利得が４から８に変化するとき、性能利得は大きくない。さらに、相関関係も周波数領域に存在し、当該周波数領域においては限られたダイバーシティ利得しか得ることができない。したがって、一定のダイバーシティ利得が得られる限り、高次集約レベルで制御チャネルが占有する第２の物理リソース要素を多くのＰＲＢペアに配分する必要はない。例えば、高次集約レベルで制御チャネルが占有する第２の物理リソース要素が、４個の周波数領域における４つのチャネル独立なＰＲＢペアに配分される。したがって、一定の周波数ダイバーシティ利得が各集約レベルで得られる場合には、一部の第１の物理リソース要素が局所Ｅ−ＰＤＣＣＨに対して予約される。
【０３６９】
当該実施形態では、１つの第２の物理リソース要素グループに含まれる全ての第２の物理リソース要素は１つのＰＲＢペアの中に配置されるか、または、全ての第２の物理リソース要素グループに含まれる全ての第２の物理リソース要素はｍ個のＰＲＢペアの中の第１の物理リソース要素の一部の物理リソースに配置されるか、または、１つのＰＲＢペアにおいて、１つの第２の物理リソース要素グループに含まれる全ての第２の物理リソース要素は当該１つのＰＲＢペアの中の第１の物理リソース要素の一部の物理リソースに配置されるか、または、１つのＰＲＢペアにおいて、全ての第２の物理リソース要素グループに含まれる全ての第２の物理リソース要素は当該１つのＰＲＢペアの中の第１の物理リソース要素の一部の物理リソースに配置される。したがって、幾つかの第１の物理リソース要素を局所Ｅ−ＰＤＣＣＨ送信に対して使用することができる。
【０３７０】
当該実施形態では、１つのＰＲＢペアにおいて、全ての第２の物理リソース要素グループは当該１つのＰＲＢペアの中のアンテナポートの一部に対応する物理リソースにより形成されるか、または、１つのＰＲＢペアにおいて、全ての第２の物理リソース要素グループに含まれる全ての第２の物理リソース要素は当該１つのＰＲＢペアの中のアンテナポートの一部に対応する第１の物理リソース要素の中に配置される。
【０３７１】
特に、Ｍ個の制御チャネル候補を検出するように構成された受信器１４０２が、当該Ｍ個の制御チャネル候補がマップされる物理リソースを検出し、正しい制御チャネルが検出されたとき、当該正しい制御チャネルを解析して当該正しい制御チャネルで運搬される制御情報を取得するか、または、正しい制御チャネルが検出されなかったとき、正しい制御チャネルが検出されるかまたは全ての集約レベルに対応する全ての制御チャネル候補が訪問されるまで、制御チャネル候補の数Ｍを集約レベルＬとは異なる集約レベルで決定するステップと後続のステップを実施し続けるように構成された受信器１４０２であってもよい。
【０３７２】
特に、集約レベルＬに従って、集約レベルＬのＭ個の制御チャネル候補を決定するように構成されたプロセッサ１４０１が、集約レベルＬに従って、集約レベルＬの制御チャネル候補の数Ｍを決定し、当該Ｍ個の制御チャネル候補からｍ個のＰＲＢペアの中の物理リソースへのマッピングを決定するように構成されたプロセッサ１４０１であってもよい。Ｍは整数であり、Ｍ≧１である。
【０３７３】
特に、Ｍ個の制御チャネル候補からｍ個のＰＲＢペアの中の物理リソースへのマッピングを決定するように構成されたプロセッサ１４０１が、当該Ｍ個の制御チャネル候補が
【０３７４】
【数１１５】
0006032511.tif 000117
【０３７５】
個の第２の物理リソース要素の中のＭ×ＨＬ個の第２の物理リソース要素にマップされると判定するように構成されたプロセッサ１４０１であってもよい。ＨＬは、集約レベルＬの制御チャネル候補の各々をマップする必要がある第２の物理リソース要素の数を示し、ＮＬ×ＧＬ＝ＨＬ、ＨＬ≧１、ＮＬは整数である。
【０３７６】
特に、Ｍ個の制御チャネル候補は
【０３７７】
【数１１６】
0006032511.tif 000118
【０３７８】
個の第２の物理リソース要素の中のＭ×ＨＬ個の第２の物理リソース要素にマップされると判定するように構成されたプロセッサ１４０１が、当該Ｍ個の制御チャネル候補が仮想リソース要素集合内のＭ×ＨＬ個の仮想リソース要素にマップされると判定し、当該Ｍ×ＨＬ個の仮想リソース要素は当該
【０３７９】
【数１１７】
0006032511.tif 000119
【０３８０】
個の第２の物理リソース要素の中のＭ×ＨＬ個の第２の物理リソース要素にマップされると判定するように構成されたプロセッサ１４０１であってもよい。各仮想リソース要素は物理リソース上の１つの第２の物理リソース要素に対応し、仮想リソース要素集合は
【０３８１】
【数１１８】
0006032511.tif 000120
【０３８２】
個の仮想リソース要素を含む。
【０３８３】
特に、Ｍ個の制御チャネル候補が仮想リソース要素集合内のＭ×ＨＬ個の仮想リソース要素にマップされると判定するように構成されたプロセッサ１４０１が、当該Ｍ個の制御チャネル候補が、予め取得された開始位置から開始してＭ×ＨＬ個の連続する仮想リソース要素にマップされると判定するように構成されたプロセッサ１４０１であってもよい。
【０３８４】
Ｍ×ＨＬ個の仮想リソース要素が
【０３８５】
【数１１９】
0006032511.tif 000121
【０３８６】
個の第２の物理リソース要素の中のＭ×ＨＬ個の第２の物理リソース要素にマップされると判定するように構成されたプロセッサ１４０１が、仮想リソース要素集合に含まれる
【０３８７】
【数１２０】
0006032511.tif 000122
【０３８８】
個の仮想リソース要素を、インタリーバを介してインタリーブし、インタリーブされた仮想リソース要素集合はｍ個の物理リソース・ブロック・ペアに含まれる
【０３８９】
【数１２１】
0006032511.tif 000123
【０３９０】
個の第２の物理リソース要素にマップされると判定し、次に、仮想リソース要素集合の中のＭ×ＨＬ個の仮想リソース要素のマップ位置に従って、インタリーブされた仮想リソース要素集合の中のＭ×ＨＬ個の仮想リソース要素のマップ位置を取得し、最後に、インタリーブされた仮想リソース要素集合の中のＭ×ＨＬ個の仮想リソース要素のマップ位置と
【０３９１】
【数１２２】
0006032511.tif 000124
【０３９２】
個の第２の物理リソース要素の中のインタリーブされた仮想リソース要素集合のマップ位置とに従って、当該Ｍ×ＨＬ個の仮想リソース要素は当該
【０３９３】
【数１２３】
0006032511.tif 000125
【０３９４】
個の第２の物理リソース要素の中のＭ×ＨＬ個の第２の物理リソース要素にマップされると判定するように構成されたプロセッサ１４０１であってもよい。インタリーバのインタリーブ行列の要素数はＱである。
【０３９５】
特に、仮想リソース要素集合に含まれる
【０３９６】
【数１２４】
0006032511.tif 000126
【０３９７】
個の仮想リソース要素を、インタリーバを介してインタリーブするように構成されたプロセッサ１４０１が、当該仮想リソース要素集合をＲＬ個の仮想リソース要素グループに分割し、当該ＲＬ個の仮想リソース要素グループを行に従ってインタリーブ行列に逐次的に書き込み、当該ＲＬ個の仮想リソース要素グループを列に従ってインタリーブ行列から逐次的に読み取るか、または、当該ＲＬ個の仮想リソース要素グループを列に従ってインタリーブ行列に逐次的に書き込み、当該ＲＬ個の仮想リソース要素グループを行に従ってインタリーブ行列から逐次的に読み取るように構成されたプロセッサ１４０１であってもよい。各仮想リソース要素グループに含まれる仮想リソース要素の数はＧＬであり、
【０３９８】
【数１２５】
0006032511.tif 000127
【０３９９】
であり、Ｑ≦ＲＬであり、各仮想リソース要素グループはインタリーブ行列の１つの要素に対応し、逐次的に読み出されたＲＬ個の仮想リソース要素グループが、インタリーブされた仮想リソース要素集合を形成する。
【０４００】
当該実施形態の１実装方式では、インタリーブ行列の列数はｍであり、かつ／または
インタリーブ行列の行数は
【０４０１】
【数１２６】
0006032511.tif 000128
【０４０２】
であり、
【０４０３】
【数１２７】
0006032511.tif 000129
【０４０４】
は
【０４０５】
【数１２８】
0006032511.tif 000130
【０４０６】
の切上げを示し、ｍ個のＰＲＢペアの中の各ＰＲＢペアに含まれる第２の物理リソース要素の数が等しくｐであるとき、インタリーブ行列の行数は
【０４０７】
【数１２９】
0006032511.tif 000131
【０４０８】
である。
【０４０９】
当該実施形態の別の実装方式では、インタリーブ行列の行数はｍであり、かつ／または、インタリーブ行列の列数は
【０４１０】
【数１３０】
0006032511.tif 000132
【０４１１】
であり、
【０４１２】
【数１３１】
0006032511.tif 000133
【０４１３】
は
【０４１４】
【数１３２】
0006032511.tif 000134
【０４１５】
の切上げを示し、ｍ個のＰＲＢペアの中の各ＰＲＢペアに含まれる第２の物理リソース要素の数が等しくｐであるとき、インタリーブ行列の列数は
【０４１６】
【数１３３】
0006032511.tif 000135
【０４１７】
である。
【０４１８】
当該実施形態では、特に、インタリーブされた仮想リソース要素集合がｍ個のＰＲＢペアに含まれる
【０４１９】
【数１３４】
0006032511.tif 000136
【０４２０】
個の第２の物理リソース要素にマップされると判定するように構成されたプロセッサ１４０１が、ＲＢペアのシーケンス番号に従って、インタリーブされた仮想リソース要素集合がｍ個のＰＲＢペアに逐次的にマップされると判定し、１つのＰＲＢペアに含まれる第２の物理リソース要素にマップする際に、インタリーブされた仮想リソース要素集合の中の仮想リソース要素グループは所定のシーケンスに従って第２の物理リソース要素グループにマップされると判定するように構成されたプロセッサ１４０１であってもよい。インタリーブされた仮想リソース要素集合の各仮想リソース要素グループは１つの第２の物理リソース要素グループにマップされる。
【０４２１】
ＲＢペアのシーケンス番号はＰＲＢペアのシーケンス番号またはＶＲＢペアのシーケンス番号であり、ＲＢペアのシーケンス番号がＶＲＢペアのシーケンス番号であるとき、マッピング関係がＶＲＢペアのシーケンス番号とＰＲＢペアのシーケンス番号の間に存在する。
【０４２２】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０４２３】
図１５は本発明の別の実施形態に従う基地局の略構造図である。当該実施形態の基地局１５が、本発明の図１に示す実施形態の手続きを実装してもよい。図１５に示すように、基地局１５が第１の決定モジュール１５０１と送信モジュール１５０２を備えてもよい。
【０４２４】
第１の決定モジュール１５０１は、送信すべき制御チャネルを送信するために使用されるｍ個のＰＲＢペアを決定し、送信すべき制御チャネルが分散送信モードを用いて送信されるとき、送信すべき制御チャネルの集約レベルＬを決定し、集約レベルＬに従って、第２の物理リソース要素グループの各々に含まれる第２の物理リソース要素の数ＧＬを決定し、集約レベルＬに従って、集約レベルＬでの第１の制御チャネル候補を決定し、送信モジュール１５０２に、当該第１の制御チャネル候補がマップされる物理リソースを転送するように構成される。ｉ番目のＰＲＢペアはｎｉ個の第１の物理リソース要素を含み、ｉ番目のＰＲＢペアはｋｉ個の第２の物理リソース要素を含み、ｍ個のＰＲＢペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であり、Ｌ≧１、Ｌは整数であり、第２の物理リソース要素グループの各々に含まれるＧＬ個の第２の物理リソース要素はｍ個のＰＲＢペアの中の
【０４２５】
【数１３５】
0006032511.tif 000137
【０４２６】
個の第１の物理リソース要素の中に配置され、ｑは１つの第１の物理リソース要素に含まれる第２の物理リソース要素の数を示し、
【０４２７】
【数１３６】
0006032511.tif 000138
【０４２８】
はＧＬ／ｑの切上げを示し、ＧＬ≧１、ＧＬは整数であり、当該第１の制御チャネル候補はＮＬ個の第２の物理リソース要素グループに対応し、ＮＬ≧１、ＮＬは整数である。
【０４２９】
送信モジュール１５０２は、第１の決定モジュール１５０１から、第１の制御チャネル候補がマップされる物理リソースを受信し、当該第１の制御チャネル候補がマップされる物理リソースに、送信すべき制御チャネルの制御情報を配置し、当該制御情報を送信するように構成される。制御チャネルがＥ−ＰＤＣＣＨまたはＰＤＣＣＨであってもよく、当該実施形態によっては限定されない。
【０４３０】
当該実施形態では、ＧＬが１つの第１の物理リソース要素に含まれる第２の物理リソース要素の数以下であるとき、ＧＬ個の第２の物理リソース要素はｍ個のＰＲＢペアの中の１つの第１の物理リソース要素の中に配置される。
【０４３１】
当該実施形態では、集約レベルＬに従って、第２の物理リソース要素グループの各々に含まれる第２の物理リソース要素の数ＧＬを決定するように構成された第１の決定モジュール１５０１が、集約レベルＬと第２の物理リソース要素グループの各々に含まれる第２の物理リソース要素の数ＧＬの間で予め設定されたマッピング関係に従ってＧＬを決定するように構成された第１の決定モジュール１５０１であってもよい。
【０４３２】
さらに、当該実施形態では、送信モジュール１５０２はさらに上位層シグナリングを受信装置に送信するように構成される。当該上位層シグナリングは、第２の物理リソース要素グループの各々に含まれる第２の物理リソース要素の集約レベルＬに対応する数ＧＬを構成するために使用される。
【０４３３】
当該実施形態では、異なる集約レベルに対して、少なくとも１つの集約レベルに対応する第２の物理リソース要素グループに含まれる第２の物理リソース要素の数ＧＬは２以上であり、この場合、少なくとも１つの集約レベルに対応する第２の物理リソース要素グループに含まれる第２の物理リソース要素の数ＧＬは２以上であり、第２の物理リソース要素グループの各々に含まれるＧＬ個の第２の物理リソース要素はｍ個のＰＲＢペアの中の
【０４３４】
【数１３７】
0006032511.tif 000139
【０４３５】
個の第１の物理リソース要素の中に配置され、したがって、この集約レベルで、第２の物理リソース要素グループの各々は少数の第１の物理リソース要素を占有し、それにより第２の物理リソース要素グループの各第２の物理リソース要素が１つの第１の物理リソース要素を占有するケースが回避され、その結果、多くの第１の物理リソース要素を局所送信モードで使用することができる。または、複数の異なる集約レベルにおける少なくとも２つの集約レベルに対して、当該少なくとも２つの集約レベルの高次集約レベルに対応する第２の物理リソース要素グループがより多くの第２の物理リソース要素を含む。この場合、高次集約レベルの制御チャネルがより多くの第２の物理リソース要素を占有する。ダイバーシティ利得に関して、当該ダイバーシティ利得が４より大きいとき、例えば、ダイバーシティ利得が４から８に変化するとき、性能利得は大きくない。さらに、相関関係も周波数領域に存在し、当該周波数領域においては限られたダイバーシティ利得しか得ることができない。したがって、一定のダイバーシティ利得が得られる限り、高次集約レベルで制御チャネルが占有する第２の物理リソース要素を多くのＰＲＢペアに配分する必要はない。例えば、高次集約レベルで制御チャネルが占有する第２の物理リソース要素が、４個の周波数領域における４つのチャネル独立なＰＲＢペアに配分される。したがって、一定の周波数ダイバーシティ利得が各集約レベルで得られる場合には、一部の第１の物理リソース要素が局所Ｅ−ＰＤＣＣＨに対して予約される。
【０４３６】
当該実施形態では、１つの第２の物理リソース要素グループに含まれる全ての第２の物理リソース要素は１つのＰＲＢペアの中に配置されるか、または、全ての第２の物理リソース要素グループに含まれる全ての第２の物理リソース要素はｍ個のＰＲＢペアの中の第１の物理リソース要素の一部の物理リソースに配置されるか、または、１つのＰＲＢペアにおいて、１つの第２の物理リソース要素グループに含まれる全ての第２の物理リソース要素は当該１つのＰＲＢペアの中の第１の物理リソース要素の一部の物理リソースに配置されるか、または、１つのＰＲＢペアにおいて、全ての第２の物理リソース要素グループに含まれる全ての第２の物理リソース要素は当該１つのＰＲＢペアの中の第１の物理リソース要素の一部の物理リソースに配置される。したがって、幾つかの第１の物理リソース要素を局所Ｅ−ＰＤＣＣＨ送信に対して使用することができる。
【０４３７】
当該実施形態では、１つのＰＲＢペアにおいて、全ての第２の物理リソース要素グループは当該１つのＰＲＢペアの中のアンテナポートの一部に対応する物理リソースにより形成されるか、または、１つのＰＲＢペアにおいて、全ての第２の物理リソース要素グループに含まれる全ての第２の物理リソース要素は当該１つのＰＲＢペアの中のアンテナポートの一部に対応する第１の物理リソース要素の中に配置される。
【０４３８】
当該実施形態では、集約レベルＬに従って、集約レベルＬでの第１の制御チャネル候補を決定するように構成された第１の決定モジュール１５０１が、集約レベルＬに従って、集約レベルＬの制御チャネル候補の数Ｍを決定し当該Ｍ個の制御チャネル候補をｍ個のＰＲＢペアの中の物理リソースにマップし、当該Ｍ個の制御チャネル候補から１つの第１の制御チャネル候補を選択するように構成された第１の決定モジュール１５０１であってもよい。Ｍは整数であり、Ｍ≧１である。
【０４３９】
当該実施形態では、Ｍ個の制御チャネル候補をｍ個のＰＲＢペアの中の物理リソースにマップするように構成された第１の決定モジュール１５０１が、当該Ｍ個の制御チャネル候補を
【０４４０】
【数１３８】
0006032511.tif 000140
【０４４１】
個の第２の物理リソース要素の中のＭ×ＨＬ個の第２の物理リソース要素にマップするように構成された第１の決定モジュール１５０１であってもよい。ＨＬは、集約レベルＬの制御チャネル候補の各々をマップする必要がある第２の物理リソース要素の数を示し、ＮＬ×ＧＬ＝ＨＬ、ＨＬ≧１、ＮＬは整数である。
【０４４２】
特に、Ｍ個の制御チャネル候補を
【０４４３】
【数１３９】
0006032511.tif 000141
【０４４４】
個の第２の物理リソース要素の中のＭ×ＨＬ個の第２の物理リソース要素にマップするように構成された第１の決定モジュール１５０１が、仮想リソース要素を設定し、当該Ｍ個の制御チャネル候補を仮想リソース要素集合の中のＭ×ＨＬ個の仮想リソース要素にマップし、当該Ｍ×ＨＬ個の仮想リソース要素を当該
【０４４５】
【数１４０】
0006032511.tif 000142
【０４４６】
個の第２の物理リソース要素の中のＭ×ＨＬ個の第２の物理リソース要素にマップするように構成された第１の決定モジュール１５０１であってもよい。当該仮想リソース要素の各々は物理リソース上の１つの第２の物理リソース要素に対応し、仮想リソース要素集合は
【０４４７】
【数１４１】
0006032511.tif 000143
【０４４８】
個の仮想リソース要素を含み、Ｍ個の制御チャネル候補はＭ×ＨＬ個の仮想リソース要素に対応する。
【０４４９】
Ｍ個の制御チャネル候補を仮想リソース要素集合の中のＭ×ＨＬ個の仮想リソース要素にマップするように構成された第１の決定モジュール１５０１が、予め取得された開始位置に従って、当該Ｍ個の制御チャネル候補をＭ×ＨＬ個の連続する仮想リソース要素に連続的にマップするように構成された第１の決定モジュール１５０１であってもよい。
【０４５０】
特に、Ｍ×ＨＬ個の仮想リソース要素を
【０４５１】
【数１４２】
0006032511.tif 000144
【０４５２】
個の第２の物理リソース要素の中のＭ×ＨＬ個の第２の物理リソース要素にマップするように構成された第１の決定モジュール１５０１が、仮想リソース要素集合に含まれる
【０４５３】
【数１４３】
0006032511.tif 000145
【０４５４】
個の仮想リソース要素を、インタリーバを介してインタリーブし、インタリーブされた仮想リソース要素集合をｍ個のＰＲＢペアに含まれる
【０４５５】
【数１４４】
0006032511.tif 000146
【０４５６】
個の第２の物理リソース要素にマップし、当該仮想リソース要素集合の中のＭ×ＨＬ個の仮想リソース要素のマップ位置に従って、インタリーブされた仮想リソース要素集合の中のＭ×ＨＬ個の仮想リソース要素のマップ位置を取得し、当該
【０４５７】
【数１４５】
0006032511.tif 000147
【０４５８】
個の第２の物理リソース要素の中のインタリーブされた仮想リソース要素集合のマップ位置に従って、当該Ｍ×ＨＬ個の仮想リソース要素を当該
【０４５９】
【数１４６】
0006032511.tif 000148
【０４６０】
個の第２の物理リソース要素の中のＭ×ＨＬ個の第２の物理リソース要素にマップするように構成された第１の決定モジュール１５０１であってもよい。インタリーバのインタリーブ行列の要素数はＱである。
【０４６１】
特に、仮想リソース要素集合に含まれる
【０４６２】
【数１４７】
0006032511.tif 000149
【０４６３】
個の仮想リソース要素を、インタリーバを介してインタリーブするように構成された第１の決定モジュール１５０１が、当該仮想リソース要素集合をＲＬ個の仮想リソース要素グループに分割し、当該ＲＬ個の仮想リソース要素グループを行に従ってインタリーブ行列に逐次的に書き込み、当該ＲＬ個の仮想リソース要素グループを列に従ってインタリーブ行列から逐次的に読み取るか、または、当該ＲＬ個の仮想リソース要素グループを列に従ってインタリーブ行列に逐次的に書き込み、当該ＲＬ個の仮想リソース要素グループを行に従ってインタリーブ行列から逐次的に読み取るように構成された第１の決定モジュール１５０１であってもよい。各仮想リソース要素グループに含まれる仮想リソース要素の数はＧＬであり、
【０４６４】
【数１４８】
0006032511.tif 000150
【０４６５】
であり、Ｑ≦ＲＬであり、各仮想リソース要素グループはインタリーブ行列の１つの要素に対応し、逐次的に読み出されたＲＬ個の仮想リソース要素グループが、インタリーブされた仮想リソース要素集合を形成する。
【０４６６】
当該実施形態の１実装方式では、インタリーブ行列の列数はｍであり、かつ／または
インタリーブ行列の行数は
【０４６７】
【数１４９】
0006032511.tif 000151
【０４６８】
であり、
【０４６９】
【数１５０】
0006032511.tif 000152
【０４７０】
は
【０４７１】
【数１５１】
0006032511.tif 000153
【０４７２】
の切上げを示し、ｍ個のＰＲＢペアの中の各ＰＲＢペアに含まれる第２の物理リソース要素の数が等しくｐであるとき、インタリーブ行列の行数は
【０４７３】
【数１５２】
0006032511.tif 000154
【０４７４】
である。
【０４７５】
当該実施形態の別の実装方式では、インタリーブ行列の行数はｍであり、かつ／または、インタリーブ行列の列数は
【０４７６】
【数１５３】
0006032511.tif 000155
【０４７７】
であり、
【０４７８】
【数１５４】
0006032511.tif 000156
【０４７９】
は
【０４８０】
【数１５５】
0006032511.tif 000157
【０４８１】
の切上げを示し、ｍ個のＰＲＢペアの中の各ＰＲＢペアに含まれる第２の物理リソース要素の数が等しくｐであるとき、インタリーブ行列の列数は
【０４８２】
【数１５６】
0006032511.tif 000158
【０４８３】
である。
【０４８４】
当該実施形態では、インタリーブされた仮想リソース要素集合をｍ個のＰＲＢペアに含まれる
【０４８５】
【数１５７】
0006032511.tif 000159
【０４８６】
個の第２の物理リソース要素にマップするように構成された第１の決定モジュール１５０１が、ＲＢペアのシーケンス番号に従って、インタリーブされた仮想リソース要素集合をｍ個のＰＲＢペアに逐次的にマップし、１つのＰＲＢペアに含まれる第２の物理リソース要素にマップする際に、インタリーブされた仮想リソース要素集合の中の仮想リソース要素グループを所定のシーケンスに従って第２の物理リソース要素グループにマップするように構成された第１の決定モジュール１５０１であってもよい。インタリーブされた仮想リソース要素集合の各仮想リソース要素グループは１つの第２の物理リソース要素グループにマップされる。ＲＢペアのシーケンス番号はＰＲＢペアのシーケンス番号または仮想リソース・ブロック・ペアのシーケンス番号であり、ＲＢペアのシーケンス番号が仮想リソース・ブロック・ペアのシーケンス番号であるとき、マッピング関係が仮想リソース・ブロック・ペアのシーケンス番号とＰＲＢペアのシーケンス番号の間に存在する。
【０４８７】
上の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０４８８】
図１６は本発明に従うユーザ機器の別の実施形態の略構造図である。当該実施形態のユーザ機器１６が、本発明の図１２に示す実施形態の手続きを実装してもよい。図１６に示すように、ユーザ機器１６が第２の決定モジュール１６０１と受信モジュール１６０２を備えてもよい。
【０４８９】
第２の決定モジュール１６０１は、制御チャネルを送信するのに使用されるｍ個のＰＲＢペアを決定し、制御チャネルの集約レベルＬに従って、第２の物理リソース要素グループの各々に含まれる第２の物理リソース要素の数ＧＬを決定し、集約レベルＬに従って、集約レベルＬのＭ個の制御チャネル候補を決定するように構成される。ｉ番目のＰＲＢペアはｎｉ個の第１の物理リソース要素を含み、ｉ番目のＰＲＢペアはｋｉ個の第２の物理リソース要素を含み、ｍ個のＰＲＢペアに含まれる第２の物理リソース要素は複数の第２の物理リソース要素グループを形成し、第１の物理リソース要素は、局所送信モードを用いて、送信すべき制御チャネルを送信するために使用され、第２の物理リソース要素は、分散送信モードを用いて、送信すべき制御チャネルを送信するために使用され、第１の物理リソース要素のうち１つは少なくとも２つの第２の物理リソース要素を含み、ｍ≧１、ｎｉ≧１、ｋｉ≧１、０≦ｉ≦ｍ−１であり、ｍ、ｉ、ｎｉ、およびｋｉは全て整数であり、第２の物理リソース要素グループの各々に含まれるＧＬ個の第２の物理リソース要素はｍ個のＰＲＢペアの中の
【０４９０】
【数１５８】
0006032511.tif 000160
【０４９１】
個の第１の物理リソース要素の中に配置され、ｑは１つの第１の物理リソース要素に含まれる第２の物理リソース要素の数を示し、
【０４９２】
【数１５９】
0006032511.tif 000161
【０４９３】
はＧＬ／ｑの切上げを示し、ＧＬ≧１、Ｌ≧１であり、ＧＬとＬは両方とも整数であり、当該制御チャネル候補の各々はＮＬ個の第２の物理リソース要素グループに対応し、Ｍ≧１、ＮＬ≧１であり、ＭとＮＬは両方とも整数である。
【０４９４】
受信モジュール１６０２は、決定モジュール１６０１により決定されたＭ個の制御チャネル候補を検出するように構成される。制御チャネルがＥ−ＰＤＣＣＨまたはＰＤＣＣＨであってもよく、当該実施形態によっては限定されない。
【０４９５】
当該実施形態では、ＧＬが１つの第１の物理リソース要素に含まれる第２の物理リソース要素の数以下であるとき、ＧＬ個の第２の物理リソース要素はｍ個のＰＲＢペアの中の１つの第１の物理リソース要素の中に配置される。
【０４９６】
特に、制御チャネルの集約レベルＬに従って、第２の物理リソース要素グループの各々に含まれる第２の物理リソース要素の数ＧＬを決定するように構成された第２の決定モジュール１６０１が、第２の物理リソース要素グループの各々に含まれる第２の物理リソース要素の上位層シグナリングにより構成され集約レベルＬに対応する数ＧＬを取得するか、または、集約レベルＬと第２の物理リソース要素グループの各々に含まれる第２の物理リソース要素の数ＧＬの間で予め設定されたマッピング関係に従ってＧＬを決定するように構成された第２の決定モジュール１６０１であってもよい。
【０４９７】
当該実施形態では、異なる集約レベルに対して、少なくとも１つの集約レベルに対応する第２の物理リソース要素グループに含まれる第２の物理リソース要素の数ＧＬは２以上であり、この場合、少なくとも１つの集約レベルに対応する第２の物理リソース要素グループに含まれる第２の物理リソース要素の数ＧＬは２以上であり、第２の物理リソース要素グループの各々に含まれるＧＬ個の第２の物理リソース要素はｍ個のＰＲＢペアの中の
【０４９８】
【数１６０】
0006032511.tif 000162
【０４９９】
個の第１の物理リソース要素の中に配置され、したがって、この集約レベルで、第２の物理リソース要素グループの各々は少数の第１の物理リソース要素を占有し、それにより第２の物理リソース要素グループの各第２の物理リソース要素が１つの第１の物理リソース要素を占有するケースが回避され、その結果、多くの第１の物理リソース要素を局所送信モードで使用することができる。または、複数の異なる集約レベルにおける少なくとも２つの集約レベルに対して、当該少なくとも２つの集約レベルの高次集約レベルに対応する第２の物理リソース要素グループがより多くの第２の物理リソース要素を含む。この場合、高次集約レベルの制御チャネルがより多くの第２の物理リソース要素を占有する。ダイバーシティ利得に関して、当該ダイバーシティ利得が４より大きいとき、例えば、ダイバーシティ利得が４から８に変化するとき、性能利得は大きくない。さらに、相関関係も周波数領域に存在し、当該周波数領域においては限られたダイバーシティ利得しか得ることができない。したがって、一定のダイバーシティ利得が得られる限り、高次集約レベルで制御チャネルが占有する第２の物理リソース要素を多くのＰＲＢペアに配分する必要はない。例えば、高次集約レベルで制御チャネルが占有する第２の物理リソース要素が、４個の周波数領域における４つのチャネル独立なＰＲＢペアに配分される。したがって、一定の周波数ダイバーシティ利得が各集約レベルで得られる場合には、一部の第１の物理リソース要素が局所Ｅ−ＰＤＣＣＨに対して予約される。
【０５００】
当該実施形態では、１つの第２の物理リソース要素グループに含まれる全ての第２の物理リソース要素は１つのＰＲＢペアの中に配置されるか、または、全ての第２の物理リソース要素グループに含まれる全ての第２の物理リソース要素はｍ個の物理リソース・ブロック・ペアにおける第１の物理リソース要素の一部の物理リソースに配置されるか、または、１つのＰＲＢペアにおいて、１つの第２の物理リソース要素グループに含まれる全ての第２の物理リソース要素は当該１つのＰＲＢペアの中の第１の物理リソース要素の一部の物理リソースに配置されるか、または、１つのＰＲＢペアにおいて、全ての第２の物理リソース要素グループに含まれる全ての第２の物理リソース要素は当該１つのＰＲＢペアの中の第１の物理リソース要素の一部の物理リソースに配置される。したがって、幾つかの第１の物理リソース要素を局所Ｅ−ＰＤＣＣＨ送信に対して使用することができる。
【０５０１】
当該実施形態では、１つのＰＲＢペアにおいて、全ての第２の物理リソース要素グループは当該１つのＰＲＢペアの中のアンテナポートの一部に対応する物理リソースにより形成されるか、または、１つのＰＲＢペアにおいて、全ての第２の物理リソース要素グループに含まれる全ての第２の物理リソース要素は当該１つのＰＲＢペアの中のアンテナポートの一部に対応する第１の物理リソース要素の中に配置される。
【０５０２】
特に、第２の決定モジュール１６０１により決定されたＭ個の制御チャネル候補を検出するように構成された受信モジュール１６０２が、当該Ｍ個の制御チャネル候補がマップされる物理リソースを検出し、正しい制御チャネルが検出されたとき、当該正しい制御チャネルを解析して当該正しい制御チャネルで運搬される制御情報を取得するか、または、正しい制御チャネルが検出されなかったとき、正しい制御チャネルが検出されるかまたは全ての集約レベルに対応する全ての制御チャネル候補が訪問されるまで、制御チャネル候補の数Ｍを集約レベルＬとは異なる集約レベルで決定するステップと後続のステップを実施し続けるように構成された受信モジュール１６０２であってもよい。
【０５０３】
特に、集約レベルＬに従って、集約レベルＬのＭ個の制御チャネル候補を決定するように構成された第２の決定モジュール１６０１が、集約レベルＬに従って、集約レベルＬの制御チャネル候補の数Ｍを決定し、当該Ｍ個の制御チャネル候補からｍ個のＰＲＢペアの中の物理リソースへのマッピングを決定するように構成された第２の決定モジュール１６０１であってもよい。Ｍは整数であり、Ｍ≧１である。
【０５０４】
特に、Ｍ個の制御チャネル候補からｍ個のＰＲＢペアの中の物理リソースへのマッピングを決定するように構成された第２の決定モジュール１６０１が、当該Ｍ個の制御チャネル候補が
【０５０５】
【数１６１】
0006032511.tif 000163
【０５０６】
個の第２の物理リソース要素の中のＭ×ＨＬ個の第２の物理リソース要素にマップされるであると判定するように構成された第２の決定モジュール１６０１であってもよい。ＨＬは、集約レベルＬの制御チャネル候補の各々をマップする必要がある第２の物理リソース要素の数を示し、ＮＬ×ＧＬ＝ＨＬ、ＨＬ≧１、ＮＬは整数である。
【０５０７】
特に、Ｍ個の制御チャネル候補が
【０５０８】
【数１６２】
0006032511.tif 000164
【０５０９】
個の第２の物理リソース要素の中のＭ×ＨＬ個の第２の物理リソース要素にマップされると判定するように構成された第２の決定モジュール１６０１が、当該Ｍ個の制御チャネル候補が仮想リソース要素集合内のＭ×ＨＬ個の仮想リソース要素にマップされると判定し、当該Ｍ×ＨＬ個の仮想リソース要素が当該
【０５１０】
【数１６３】
0006032511.tif 000165
【０５１１】
個の第２の物理リソース要素の中のＭ×ＨＬ個の第２の物理リソース要素にマップされると判定するように構成された第２の決定モジュール１６０１であってもよい。各仮想リソース要素は物理リソース上の１つの第２の物理リソース要素に対応し、仮想リソース要素集合は
【０５１２】
【数１６４】
0006032511.tif 000166
【０５１３】
個の仮想リソース要素を含む。
【０５１４】
特に、Ｍ個の制御チャネル候補が仮想リソース要素集合内のＭ×ＨＬ個の仮想リソース要素にマップされると判定するように構成された第２の決定モジュール１６０１が、当該Ｍ個の制御チャネル候補が、予め取得された開始位置から開始してＭ×ＨＬ個の連続する仮想リソース要素にマップされると判定するように構成された第２の決定モジュール１６０１であってもよい。
【０５１５】
Ｍ×ＨＬ個の仮想リソース要素が
【０５１６】
【数１６５】
0006032511.tif 000167
【０５１７】
個の第２の物理リソース要素の中のＭ×ＨＬ個の第２の物理リソース要素にマップされると判定するように構成された第２の決定モジュール１６０１が、当該仮想リソース要素集合に含まれる
【０５１８】
【数１６６】
0006032511.tif 000168
【０５１９】
個の仮想リソース要素を、インタリーバを介してインタリーブし、インタリーブされた仮想リソース要素集合がｍ個の物理リソース・ブロック・ペアに含まれる
【０５２０】
【数１６７】
0006032511.tif 000169
【０５２１】
個の第２の物理リソース要素にマップされると判定し、次に、当該仮想リソース要素集合の中のＭ×ＨＬ個の仮想リソース要素のマップ位置に従って、インタリーブされた仮想リソース要素集合の中のＭ×ＨＬ個の仮想リソース要素のマップ位置を取得し、最後に、インタリーブされた仮想リソース要素集合の中のＭ×ＨＬ個の仮想リソース要素のマップ位置と
【０５２２】
【数１６８】
0006032511.tif 000170
【０５２３】
個の第２の物理リソース要素の中のインタリーブされた仮想リソース要素集合のマップ位置に従って、当該Ｍ×ＨＬ個の仮想リソース要素は当該
【０５２４】
【数１６９】
0006032511.tif 000171
【０５２５】
個の第２の物理リソース要素の中のＭ×ＨＬ個の第２の物理リソース要素にマップされると判定するように構成された第２の決定モジュール１６０１であってもよい。インタリーバのインタリーブ行列の要素数はＱである。
【０５２６】
特に、仮想リソース要素集合に含まれる
【０５２７】
【数１７０】
0006032511.tif 000172
【０５２８】
個の仮想リソース要素を、インタリーバを介してインタリーブするように構成された第２の決定モジュール１６０１が、当該仮想リソース要素集合をＲＬ個の仮想リソース要素グループに分割し、当該ＲＬ個の仮想リソース要素グループを行に従ってインタリーブ行列に逐次的に書き込み、当該ＲＬ個の仮想リソース要素グループを列に従ってインタリーブ行列から逐次的に読み取るか、または、当該ＲＬ個の仮想リソース要素グループを列に従ってインタリーブ行列に逐次的に書き込み、当該ＲＬ個の仮想リソース要素グループを行に従ってインタリーブ行列から逐次的に読み取るように構成された第２の決定モジュール１６０１であってもよい。仮想リソース要素グループに含まれる仮想リソース要素の数はＧＬであり、
【０５２９】
【数１７１】
0006032511.tif 000173
【０５３０】
であり、Ｑ≦ＲＬであり、各仮想リソース要素グループはインタリーブ行列の１つの要素に対応し、逐次的に読み出されたＲＬ個の仮想リソース要素グループが、インタリーブされた仮想リソース要素集合を形成する。
【０５３１】
当該実施形態の１実装方式では、インタリーブ行列の列数はｍであり、かつ／または
インタリーブ行列の行数は
【０５３２】
【数１７２】
0006032511.tif 000174
【０５３３】
であり、
【０５３４】
【数１７３】
0006032511.tif 000175
【０５３５】
は
【０５３６】
【数１７４】
0006032511.tif 000176
【０５３７】
の切上げを示し、ｍ個のＰＲＢペアの中の各ＰＲＢペアに含まれる第２の物理リソース要素の数が等しくｐであるとき、インタリーブ行列の行数は
【０５３８】
【数１７５】
0006032511.tif 000177
【０５３９】
である。
【０５４０】
当該実施形態の別の実装方式では、インタリーブ行列の行数はｍであり、かつ／または
インタリーブ行列の列数は
【０５４１】
【数１７６】
0006032511.tif 000178
【０５４２】
であり、
【０５４３】
【数１７７】
0006032511.tif 000179
【０５４４】
は
【０５４５】
【数１７８】
0006032511.tif 000180
【０５４６】
の切上げを示し、ｍ個のＰＲＢペアの中の各ＰＲＢペアに含まれる第２の物理リソース要素の数が等しくｐであるとき、インタリーブ行列の列数は
【０５４７】
【数１７９】
0006032511.tif 000181
【０５４８】
である。
【０５４９】
当該実施形態では、特に、インタリーブされた仮想リソース要素集合がｍ個のＰＲＢペアに含まれる
【０５５０】
【数１８０】
0006032511.tif 000182
【０５５１】
個の第２の物理リソース要素にマップされると判定するように構成された第２の決定モジュール１６０１が、ＲＢペアのシーケンス番号に従って、インタリーブされた仮想リソース要素集合がｍ個のＰＲＢペアに逐次的にマップされると判定し、１つのＰＲＢペアに含まれる第２の物理リソース要素にマップする際に、インタリーブされた仮想リソース要素集合の中の仮想リソース要素グループは所定のシーケンスに従って第２の物理リソース要素グループにマップされると判定するように構成された第２の決定モジュール１６０１であってもよい。インタリーブされた仮想リソース要素集合の各仮想リソース要素グループは１つの第２の物理リソース要素グループにマップされる。
【０５５２】
ＲＢペアのシーケンス番号はＰＲＢペアのシーケンス番号またはＶＲＢペアのシーケンス番号であり、ＲＢペアのシーケンス番号がＶＲＢペアのシーケンス番号であるとき、マッピング関係がＶＲＢペアのシーケンス番号とＰＲＢペアのシーケンス番号の間に存在する。
【０５５３】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０５５４】
図１７は本発明に従う制御チャネルを送信するための方法の別の実施形態の流れ図である。図１７に示すように、制御チャネルを送信するための方法が以下を含んでもよい。
【０５５５】
ステップ１７０１で、送信すべき制御チャネルを送信するために使用されるｍ個のＰＲＢペアを決定する。当該ｍ個のＰＲＢペアは、ｍ×ｎ個の第１の物理リソース要素を含み、各ＰＲＢペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数である。
【０５５６】
ステップ１７０２で、送信すべき制御チャネルの集約レベルＬを決定する。Ｌ≧１であり、Ｌは整数である。
【０５５７】
ステップ１７０３で、集約レベルＬに従って、集約レベルＬでの第１の制御チャネル候補を決定する。当該第１の制御チャネル候補はＬ個の第１の物理リソース要素に対応し、Ｌ×ｑ個の第２の物理リソース要素に対応する。
【０５５８】
ステップ１７０４で、当該第１の制御チャネル候補がマップされる物理リソースに、送信すべき制御チャネルの制御情報を配置し、当該制御情報を送信する。
【０５５９】
当該実施形態では、局所送信モードを用いて、送信すべき制御チャネルを送信するために第１の物理リソース要素が使用されるとき、第１の物理リソース要素は局所化された第１の物理リソース要素であり、分散送信モードを用いて、送信すべき制御チャネルを送信するために第１の物理リソース要素が使用されるとき、第１の物理リソース要素は分散された第１の物理リソース要素であり、１つのＰＲＢペアの中の１つの局所化された第１の物理リソース要素により占有されるリソース要素の相対位置は、１つのＰＲＢペアの中の１つの分散された第１の物理リソース要素により占有されるリソース要素の相対位置に対応し、１つの局所化された第１の物理リソース要素により占有されるリソース要素は１つのＰＲＢペアに局所化され、１つの分散された第１の物理リソース要素により占有されるリソース要素は少なくとも２つのＰＲＢペアに配分される。
【０５６０】
当該実施形態では、１つのＰＲＢペアの中の１つの局所化された第１の物理リソース要素に含まれる第２の物理リソース要素の数と当該１つのＰＲＢペアの中の１つの分散された第１の物理リソース要素に含まれる第２の物理リソース要素の数との間にマッピング関係が存在し、１つの局所化された第１の物理リソース要素に含まれる第２の物理リソース要素が１つのＰＲＢペアの中に配置され、１つの分散された第１の物理リソース要素に含まれる第２の物理リソース要素が少なくとも２つのＰＲＢペアの中に配置される。
【０５６１】
より具体的には、１つのＰＲＢペアの中の１つの局所化された第１の物理リソース要素に含まれる第２の物理リソース要素の数および当該１つのＰＲＢペアの中の１つの分散された第１の物理リソース要素に含まれる第２の物理リソース要素の数は同じである。
【０５６２】
当該実施形態の１実装方式では、ｍ個のＰＲＢペアの中のｍ×ｎ個の分散された第１の物理リソース要素の数はそれぞれｘ、ｘ＋１、・・・、ｘ＋ｍ×ｎ−１であり、当該ＰＲＢペアの各々の中のｎ個の局所化された第１の物理リソース要素の数はそれぞれｚ、ｚ＋１、・・・、ｚ＋ｎ−１であり、ｍ個のＰＲＢペアにおいて同じ番号を有する局所化された第１の物理リソース要素により形成されるｍ個の分散された第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０５６３】
当該実施形態の別の実装方式では、当該ＰＲＢペアの各々はｎ個のサブブロックを含み、各サブブロックはｑ個の第２の物理リソース要素を含み、ｍ個のＰＲＢペアはｎ個のサブブロック・グループを含み、各サブブロック・グループはｍ個のサブブロックを含み、異なるＰＲＢペアの中に配置され、ｍ個のＰＲＢペアに含まれるｍ×ｎ個の第１の物理リソース要素の数はそれぞれｘ、ｘ＋１、・・・、ｘ＋ｍ×ｎ−１であり、各サブブロック・グループはｍ×ｑ個の第２の物理リソース要素を含み、当該サブブロック・グループの各々におけるｍ個の第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０５６４】
１つのサブブロックにおいて、各第１の物理リソース要素がマップされるＰＲＢペアの数は一様にＡであり、かつ／または、第１の物理リソース要素がＡ個のＰＲＢペアにマップされるとき、第１の物理リソース要素はＡ個のＰＲＢペアの中の各ＰＲＢペアにおいて同数の第２の物理リソース要素を占有し、かつ／または、ｍ個のＰＲＢペアにおいて、任意のＰＲＢペアの中の任意のサブブロックは１つの局所化された第１の物理リソース要素に対応する。
【０５６５】
当該実施形態では、集約レベルＬの第１の制御チャネル候補はＬ個の分散された第１の物理リソース要素を連続的に占有し、当該Ｌ個の分散された第１の物理リソース要素の開始番号はｚであり（ｚ）ｍｏｄ（Ｌ）＝０を満たす。ｍｏｄはモジュロ演算を示す。
【０５６６】
集約レベルＬで、制御チャネル候補の数がＭであるとき、任意の制御チャネル候補がＬ個の分散された第１の物理リソース要素を連続的に占有し、当該Ｍ個の制御チャネル候補はＭ×Ｌ個の連続する分散された第１の物理リソース要素を占有する。
【０５６７】
１つの分散された第１の物理リソース要素に含まれるｑ個の第２の物理リソース要素のインデックスが与えられると、当該ｑ個の第２の物理リソース要素は、ｍ個のＰＲＢペアの中の任意のＰＲＢペアから開始してｆ−１個のＰＲＢペアの間隔で、ＰＲＢペアに周期的にマップされる。
【０５６８】
【数１８１】
0006032511.tif 000183
【０５６９】
であり、
【０５７０】
【数１８２】
0006032511.tif 000184
【０５７１】
はｍ／ｑの切上げを示す。
【０５７２】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０５７３】
図１８は本発明に従う制御チャネルを受信するための方法の別の実施形態の流れ図である。図１８に示すように、制御チャネルを受信するための方法が以下を含んでもよい。
【０５７４】
ステップ１８０１で、送信すべき制御チャネルを送信するために使用されるｍ個のＰＲＢペアを決定する。当該ｍ個のＰＲＢペアはｍ×ｎ個の第１の物理リソース要素を含み、各ＰＲＢペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数である。
【０５７５】
ステップ１８０２で、集約レベルＬに従って、集約レベルＬのＭ個の制御チャネル候補を決定する。当該制御チャネル候補の各々はＬ個の第１の物理リソース要素に対応し、Ｌ×ｑ個の第２の物理リソース要素に対応する。ステップ１８０３で、当該Ｍ個の制御チャネル候補を検出する。
【０５７６】
当該実施形態では、局所送信モードを用いて、送信すべき制御チャネルを送信するために第１の物理リソース要素が使用されるとき、第１の物理リソース要素は局所化された第１の物理リソース要素であり、分散送信モードを用いて、送信すべき制御チャネルを送信するために第１の物理リソース要素が使用されるとき、第１の物理リソース要素は分散された第１の物理リソース要素であり、１つのＰＲＢペアの中の１つの局所化された第１の物理リソース要素により占有されるリソース要素の相対位置は、１つのＰＲＢペアの中の１つの分散された第１の物理リソース要素により占有されるリソース要素の相対位置に対応し、１つの局所化された第１の物理リソース要素により占有されるリソース要素は１つのＰＲＢペアに局所化され、１つの分散された第１の物理リソース要素により占有されるリソース要素は少なくとも２つのＰＲＢペアに配分される。
【０５７７】
当該実施形態では、１つのＰＲＢペアの中の１つの局所化された第１の物理リソース要素に含まれる第２の物理リソース要素の数と当該１つのＰＲＢペアの中の１つの分散された第１の物理リソース要素に含まれる第２の物理リソース要素の数との間にマッピング関係が存在し、１つの局所化された第１の物理リソース要素に含まれる第２の物理リソース要素が１つのＰＲＢペアの中に配置され、１つの分散された第１の物理リソース要素に含まれる第２の物理リソース要素が少なくとも２つのＰＲＢペアの中に配置される。
【０５７８】
より具体的には、１つのＰＲＢペアの中の１つの局所化された第１の物理リソース要素に含まれる第２の物理リソース要素の数および当該１つのＰＲＢペアの中の１つの分散された第１の物理リソース要素に含まれる第２の物理リソース要素の数は同じである。
【０５７９】
当該実施形態の１実装方式では、ｍ個のＰＲＢペアの中のｍ×ｎ個の分散された第１の物理リソース要素の数はそれぞれｘ、ｘ＋１、・・・、ｘ＋ｍ×ｎ−１であり、当該ＰＲＢペアの各々の中のｎ個の局所化された第１の物理リソース要素の数はそれぞれｚ、ｚ＋１、・・・、ｚ＋ｎ−１であり、ｍ個のＰＲＢペアにおいて同じ番号を有する局所化された第１の物理リソース要素により形成されるｍ個の分散された第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０５８０】
当該実施形態の別の実装方式では、当該ＰＲＢペアの各々はｎ個のサブブロックを含み、各サブブロックはｑ個の第２の物理リソース要素を含み、ｍ個のＰＲＢペアはｎ個のサブブロック・グループを含み、各サブブロック・グループはｍ個のサブブロックを含み、異なるＰＲＢペアの中に配置され、ｍ個のＰＲＢペアに含まれるｍ×ｎ個の第１の物理リソース要素の数はそれぞれｘ、ｘ＋１、・・・、ｘ＋ｍ×ｎ−１であり、各サブブロック・グループはｍ×ｑ個の第２の物理リソース要素を含み、当該サブブロック・グループの各々におけるｍ個の第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０５８１】
１つのサブブロックにおいて、各第１の物理リソース要素がマップされるＰＲＢペアの数は一様にＡであり、かつ／または、第１の物理リソース要素がＡ個のＰＲＢペアにマップされるとき、第１の物理リソース要素はＡ個のＰＲＢペアの中の各ＰＲＢペアにおいて同数の第２の物理リソース要素を占有し、かつ／または、ｍ個のＰＲＢペアにおいて、任意のＰＲＢペアの中の任意のサブブロックは１つの局所化された第１の物理リソース要素に対応する。
【０５８２】
当該実施形態では、集約レベルＬの第１の制御チャネル候補はＬ個の分散された第１の物理リソース要素を連続的に占有し、当該Ｌ個の分散された第１の物理リソース要素の開始番号はｚであり（ｚ）ｍｏｄ（Ｌ）＝０を満たす。ｍｏｄはモジュロ演算を示す。
【０５８３】
集約レベルＬで、制御チャネル候補の数がＭであるとき、任意の制御チャネル候補がＬ個の分散された第１の物理リソース要素を連続的に占有し、当該Ｍ個の制御チャネル候補はＭ×Ｌ個の連続する分散された第１の物理リソース要素を占有する。
【０５８４】
１つの分散された第１の物理リソース要素に含まれるｑ個の第２の物理リソース要素のインデックスが与えられると、当該ｑ個の第２の物理リソース要素は、ｍ個のＰＲＢペアの中の任意のＰＲＢペアから開始してｆ−１個のＰＲＢペアの間隔で、ＰＲＢペアに周期的にマップされる。
【０５８５】
【数１８３】
0006032511.tif 000185
【０５８６】
であり、
【０５８７】
【数１８４】
0006032511.tif 000186
【０５８８】
はｍ／ｑの切上げを示す。
【０５８９】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０５９０】
上述の実施形態および以下の実施形態では、第１の物理リソース要素がｅＣＣＥに対応する物理リソースであってもよい。例えば、第１の物理リソース要素のサイズはｅＣＣＥのサイズに対応する。即ち、第１の物理リソース要素の１つに含まれる物理リソース要素が１つのｅＣＣＥを含んでもよい。
【０５９１】
上述の実施形態および以下の実施形態では、第２の物理リソース要素がｅＲＥＧに対応する物理リソースであってもよい。例えば、第２の物理リソース要素のサイズがｅＲＥＧのサイズに対応するか、または、第２の物理リソース要素自体がｅＲＥＧである。
【０５９２】
上述の実施形態および以下の実施形態では、送信すべき制御チャネルがＥ−ＰＤＣＣＨであってもよい。１つのＥ−ＰＤＣＣＨが少なくとも１つのｅＣＣＥを含んでもよい。
【０５９３】
少なくとも１つのＥ−ＰＤＣＣＨ集合を定義してもよく、さらに、Ｅ−ＰＤＣＣＨ集合において、ｍ個のＰＲＢペアのグループが定義される。ｍの値の範囲は１、２、４、８、または１６である。
【０５９４】
さらに、局所Ｅ−ＰＤＣＣＨと分散Ｅ−ＰＤＣＣＨに対して、ｅＣＣＥはｑ個のｅＲＥＧによって形成される。正常サブフレーム（即ち、正常な循環プレフィックスを含むサブフレーム）に対してｑ＝４である。ＰＲＢペアには、１６個のｅＲＥＧがある。局所Ｅ−ＰＤＣＣＨに対して、ｅＣＣＥに対応するＲＥはＰＲＢペアの中に配置されるので、局所Ｅ−ＰＤＣＣＨに対して、ＰＲＢペアにより占有されるＲＥは４個のｅＣＣＥにより占有されるＲＥと等価である。
【０５９５】
分散Ｅ−ＰＤＣＣＨに関して、本発明の１実施形態では、集合内のＰＲＢペアの数ｍが２、４、８、または１６であるケースでの分散ｅＣＣＥの定義と、異なる集約レベルで分散Ｅ−ＰＤＣＣＨをｅＲＥＧにマップする規則を説明する。
【０５９６】
図１９は本発明に従う、正常サブフレームにおけるｅＲＥＧのマッピングの１実施形態の略図である。図１９では、各列はＯＦＤＭシンボルを示し、全部で１４個のＯＦＤＭシンボルが存在し、それらのインデックスは０乃至１３であり、各行は周波数領域内のサブキャリアを示し、全部で１２個のサブキャリアが存在し、それらのインデックスは０乃至１１である。図１９では、ｘと番号付けされたＲＥは、ｘと番号付けされたｅＲＥＧに当該ＲＥが属することを示す。４個のｅＲＥＧがｅＣＣＥを形成する。したがって、合成モードでは、０、４、８、および１２のインデックスを有するｅＲＥＧがｅＣＣＥ（ｅＣＣＥ０）を形成し、１、５、９、および１３のインデックスを有するｅＲＥＧがｅＣＣＥ（ｅＣＣＥ１）を形成し、２、６、１０、および１４のインデックスを有するｅＲＥＧがｅＣＣＥ（ｅＣＣＥ２）を形成し、３、７、１１、および１５のインデックスを有するｅＲＥＧがｅＣＣＥ（ｅＣＣＥ３）を形成する。詳細を表２に示す。
【０５９７】
【表２】
0006032511.tif 000187
【０５９８】
局所Ｅ−ＰＤＣＣＨに対して、ＰＲＢペアの４個のｅＲＥＧがｅＣＣＥを形成し、分散Ｅ−ＰＤＣＣＨに対して、ｅＣＣＥの４個のｅＲＥＧは少なくとも２つのＰＲＢペアに配分される。
【０５９９】
分散Ｅ−ＰＤＣＣＨに対して、Ｅ−ＰＤＣＣＨ集合にｍ個のＰＲＢペアがあると仮定すると、ｍ個のＰＲＢペアは、ＰＲＢペアのシーケンス番号の昇順または降順でＰＲＢ１、ＰＲＢ２、・・・、ＰＲＢｍと番号付けされる。例えば、Ｅ−ＰＤＣＣＨ集合は４個のＰＲＢペアを含む。そのインデックスは、システムの帯域幅においてそれぞれ＃１、＃８、＃１０、および＃１５である。したがって、＃１のインデックスを有するＰＲＢペアをＰＲＢ１と示してもよく、＃８のインデックスを有するＰＲＢペアをＰＲＢ２と示してもよく、＃１０のインデックスを有するＰＲＢペアをＰＲＢ３と示してもよく、＃１５のインデックスを有するＰＲＢペアをＰＲＢ４と示してもよい。
【０６００】
図２０は、本発明に従う２個のＰＲＢペアを含むＥ−ＰＤＣＣＨ集合の１実施形態の略図、即ち、ｍ＝２であるときの略図である。図２０では、ＡＬ（Ａｇｇｒｅｇａｔｉｏｎ  Ｌｅｖｅｌ）は集約レベルを示す。分散ｅＣＣＥがｑ個のｅＲＥＧによって形成される場合、当該ｑ個のｅＲＥＧの番号は［ａ１、ａ２、・・・、ａｑ］である。当該Ｅ−ＰＤＣＣＨ集合はｍ個のＰＲＢペアを含む。分散ｅＣＣＥのＲＥＧのインデックスが与えられると、当該ｅＲＥＧは、ＰＲＢペアから開始するｆ−１個のＰＲＢペアの間隔でＰＲＢペアに循環的にマップされる。
【０６０１】
【数１８５】
0006032511.tif 000188
【０６０２】
であり、
【０６０３】
【数１８６】
0006032511.tif 000189
【０６０４】
はｍ／ｑの切上げを示す。
【０６０５】
例えば、図２０では、ｍ＝２であり、ＡＬ＝１であるとき、ｅＣＣＥは０、４、８、および１２のインデックスを有するｅＲＥＧによって形成される。０のインデックスを有するｅＲＥＧは最初のＰＲＢペアに配置され、４のインデックスを有するｅＲＥＧは２番目のＰＲＢペアに配置される。２つのＰＲＢペアしかないので、８のインデックスを有するｅＲＥＧは循環的に最初のＰＲＢペアにマップされ、１２のインデックスを有するｅＲＥＧは２番目のＰＲＢペアに配置される。図２０では、ＡＬ＝１であるとき、ｍ＝２個のＰＲＢペアが８個のｅＣＣＥを含む。当該８個のｅＣＣＥにより占有されるｅＲＥＧは全て上述の規則に従ってマップされ、本明細書ではさらに説明することはしない。
【０６０６】
ＡＬ＝２であるとき、潜在的なＥ−ＰＤＣＣＨ候補が８個のｅＲＥＧを占有する。即ち、図２０の各行の中のｅＲＥＧは、潜在的なＥ−ＰＤＣＣＨ候補により占有されるｅＲＥＧである。即ち、潜在的なＥ−ＰＤＣＣＨ候補が２個の分散ｅＣＣＥを占有する。分散ｅＣＣＥに対応するｅＲＥＧは、ＰＲＢペア１のｅＲＥＧ０、ＰＲＢペア２のｅＲＥＧ４、ＰＲＢペア１のｅＲＥＧ８、およびＰＲＢペア２のｅＲＥＧ１２である。別の分散ｅＣＣＥに対応するｅＲＥＧは、ＰＲＢペア１のｅＲＥＧ４、ＰＲＢペア２のｅＲＥＧ８、ＰＲＢペア１のｅＲＥＧ１２、およびＰＲＢペア２のｅＲＥＧ０である。図２０と表２によれば、当該潜在的なＥ−ＰＤＣＣＨ候補により占有されるｅＲＥＧは、各ＰＲＢペアにおいて、１つの局所ｅＣＣＥのみの中に配置される。これにより、局所ｅＣＣＥの最少のリソースが占有されることを保証することができる。
【０６０７】
ＡＬ＝４であるとき、図２０において、潜在的なＥ−ＰＤＣＣＨ候補により占有されるｅＲＥＧは、集約レベル２での２つの潜在的なＥ−ＰＤＣＣＨ候補により占有されるｅＲＥＧにより形成される。
【０６０８】
ＡＬ＝８であるとき、１つの潜在的なＥ−ＰＤＣＣＨ候補しか存在しない。当該潜在的な候補は２つのＰＲＢペアにおける全てのｅＲＥＧに対応する。
【０６０９】
図２１は、本発明に従う４個のＰＲＢペアを含むＥ−ＰＤＣＣＨ集合の１実施形態の略図、即ち、ｍ＝４であるときの略図である。図２１では、１つのＥ−ＰＤＣＣＨに対応するｅＲＥＧはそれぞれ４個のＰＲＢペアの中に配置される。例えば、表２に示すように、分散Ｅ−ＰＤＣＣＨのｅＣＣＥに対応するｅＲＥＧのインデックスは局所ｅＣＣＥに対応するインデックスと同じであるが、分散Ｅ−ＰＤＣＣＨのｅＣＣＥに含まれる４個のｅＲＥＧは４個のＰＲＢペアに分散される。例えば、０、４、８、および１２のインデックスを有するｅＲＥＧにより形成されるｅＣＣＥに対して、ＰＲＢペア１のｅＲＥＧ０、ＰＲＢペア２のｅＲＥＧ４、ＰＲＢペア３のｅＲＥＧ８、およびＰＲＢペア４のｅＲＥＧ１２がｅＣＣＥを形成し、ＰＲＢペア１のｅＲＥＧ４、ＰＲＢペア２のｅＲＥＧ８、ＰＲＢペア３のｅＲＥＧ１２、およびＰＲＢペア４のｅＲＥＧ０がｅＣＣＥを形成し、ＰＲＢペア１のｅＲＥＧ８、ＰＲＢペア２のｅＲＥＧ１２、ＰＲＢペア３のｅＲＥＧ０、およびＰＲＢペア４のｅＲＥＧ４がｅＣＣＥを形成し、ＰＲＢペア１のｅＲＥＧ１２、ＰＲＢペア２のｅＲＥＧ０、ＰＲＢペア３のｅＲＥＧ４、およびＰＲＢペア４のｅＲＥＧ８がｅＣＣＥを形成する。同様に、１、５、９、および１３のインデックスを有するｅＲＥＧにより形成されるｅＣＣＥ、２、６、１０、および１３のインデックスを有するｅＲＥＧにより形成されるｅＣＣＥ、および３、７、１１、および１５のインデックスを有するｅＲＥＧにより形成されるｅＣＣＥを取得することができる。当該４個のＰＲＢペアでは、全部で１６個のｅＣＣＥがある。
【０６１０】
ＡＬ＝２であるとき、潜在的なＥ−ＰＤＣＣＨ候補により占有される８個のｅＲＥＧは４個のＰＲＢペアの中に配置される。各ＰＲＢペアは２個のｅＲＥＧを含み、当該２個のｅＲＥＧは局所ｅＣＣＥの中に配置される。例えば、図２１を参照すると、集約レベル２の潜在的な候補は２つの分散ｅＣＣＥによって形成され、１つの分散ｅＣＣＥはＰＲＢペア１のｅＲＥＧ０、ＰＲＢペア２のｅＲＥＧ４、ＰＲＢペア３のｅＲＥＧ８、およびＰＲＢペア４のｅＲＥＧ１２によって形成され、別の分散ｅＣＣＥはＰＲＢペア１のｅＲＥＧ４、ＰＲＢペア２のｅＲＥＧ８、ＰＲＢペア３のｅＲＥＧ１２、およびＰＲＢペア４のｅＲＥＧ０によって形成される。同様に、集約レベル２の別の潜在的な候補は２つの分散ｅＣＣＥによって形成され、１つの分散ｅＣＣＥはＰＲＢペア１のｅＲＥＧ８、ＰＲＢペア２のｅＲＥＧ１２、ＰＲＢペア３のｅＲＥＧ０、およびＰＲＢペア４のｅＲＥＧ４によって形成され、別の分散ｅＣＣＥはＰＲＢペア１のｅＲＥＧ１２、ＰＲＢペア２のｅＲＥＧ０、ＰＲＢペア３のｅＲＥＧ４、およびＰＲＢペア４のｅＲＥＧ８によって形成される。同様に、１、５、９、および１３のインデックスを有するｅＲＥＧにより形成される集約レベル２の潜在的な候補の組合せ、２、６、１０、および１３のインデックスを有するｅＲＥＧにより形成される集約レベル２の潜在的な候補の組合せ、および３、７、１１、および１５のインデックスを有するｅＲＥＧにより形成される集約レベル２の潜在的な候補の組合せを取得することができる、本明細書ではさらに説明することはしない。
【０６１１】
ＡＬ＝４であるとき、潜在的なＥ−ＰＤＣＣＨ候補により占有される１６個のｅＲＥＧは４個のＰＲＢペアの中に配置される。各ＰＲＢペアは４個のｅＲＥＧを含み、当該４個のｅＲＥＧは局所ｅＣＣＥの中に配置される。例えば、図２１を参照すると、集約レベル４の潜在的な候補は４個の分散ｅＣＣＥによって形成され、１つの分散ｅＣＣＥはＰＲＢペア１のｅＲＥＧ０、ＰＲＢペア２のｅＲＥＧ４、ＰＲＢペア３のｅＲＥＧ８、およびＰＲＢペア４のｅＲＥＧ１２によって形成され、別の分散ｅＣＣＥはＰＲＢペア１のｅＲＥＧ４、ＰＲＢペア２のｅＲＥＧ８、ＰＲＢペア３のｅＲＥＧ１２、およびＰＲＢペア４のｅＲＥＧ０によって形成され、別の分散ｅＣＣＥはＰＲＢペア１のｅＲＥＧ８、ＰＲＢペア２のｅＲＥＧ１２、ＰＲＢペア３のｅＲＥＧ０、およびＰＲＢペア４のｅＲＥＧ４によって形成され、最後の分散ｅＣＣＥはＰＲＢペア１のｅＲＥＧ１２、ＰＲＢペア２のｅＲＥＧ０、ＰＲＢペア３のｅＲＥＧ４、およびＰＲＢペア４のｅＲＥＧ８によって形成される。集約レベル４の潜在的なＥ−ＰＤＣＣＨ候補は４個のＰＲＢペアに配置される。各ＰＲＢペアにおいて、マップされるＲＥは、１つの局所ｅＣＣＥに対応するＲＥである。
【０６１２】
ＡＬ＝８であるとき、潜在的なＥ−ＰＤＣＣＨ候補に対応するｅＲＥＧは、集約レベル４の２つの潜在的なＥ−ＰＤＣＣＨ候補に対応するｅＲＥＧにより形成される。これにより、局所ｅＣＣＥの最少のリソースが占有されることを保証することができる。
【０６１３】
図２２は、本発明に従う８個のＰＲＢペアを含むＥ−ＰＤＣＣＨ集合の１実施形態の略図、即ち、ｍ＝８であるときの略図である。ｍ＝８であるとき、潜在的なＥ−ＰＤＣＣＨ候補に対応するｅＲＥＧはそれぞれ４個のＰＲＢペアの中に配置される。例えば、図２２を参照すると、表２に示すように、分散Ｅ−ＰＤＣＣＨのｅＣＣＥに対応するｅＲＥＧのインデックスは、局所ｅＣＣＥに対応するインデックスと同じであるが、分散Ｅ−ＰＤＣＣＨのｅＣＣＥに含まれる４個のｅＲＥＧが４個のＰＲＢペアに分散される。表３は、ＰＲＢペアの中の０、４、８、および１２のインデックスを有するｅＲＥＧにより形成される分散ｅＣＣＥの位置を示す。
【０６１４】
【表３】
0006032511.tif 000190
【０６１５】
例えば、表３の当該第２の行において、ｅＣＣＥのｅＲＥＧ０はＰＲＢペア１のｅＲＥＧ０であり、ｅＲＥＧ４はＰＲＢペア３のｅＲＥＧ４であり、ｅＲＥＧ８はＰＲＢペア５のｅＲＥＧ８であり、ｅＲＥＧ１２はＰＲＢペア７のｅＲＥＧ１２である。表３において、１、５、９、および１３のインデックスを有するｅＲＥＧにより形成されるｅＣＣＥは、ｅＲＥＧ０をｅＲＥＧ１で置き換え、ｅＲＥＧ４をｅＲＥＧ５で置き換え、ｅＲＥＧ８をｅＲＥＧ９で置き換え、ｅＲＥＧ１２をｅＲＥＧ１３で置き換えることで得られる。
【０６１６】
同様に、２、６、１０、および１３のインデックスを有するｅＲＥＧにより形成されるｅＣＣＥと、３、７、１１、および１５のインデックスを有するｅＲＥＧにより形成されるｅＣＣＥを取得することができる。
【０６１７】
ＡＬ＝２であるとき、図２２を参照すると、潜在的なＥ−ＰＤＣＣＨ候補に対応する８個のｅＲＥＧは８個のＰＲＢペアの中に配置され、各ＰＲＢペアはｅＲＥＧを含む。当該８個のｅＲＥＧのインデックスはは４個の値のみを含み、それらは、０、４、８、１６と、１、５、９、１３と、２、６、１０、１３と、３、７、１１、１５とのうち１つである。表４は、０、４、８、および１２のインデックスを有するｅＲＥＧにより形成される集約レベル２の潜在的な候補を示す。
【０６１８】
【表４】
0006032511.tif 000191
【０６１９】
表４では、１、５、９、および１３のインデックスを有するｅＲＥＧにより形成される集約レベル２の潜在的な候補は、ｅＲＥＧ０をｅＲＥＧ１で置き換え、ｅＲＥＧ４をｅＲＥＧ５で置き換え、ｅＲＥＧ８をｅＲＥＧ９で置き換え、ｅＲＥＧ１２をｅＲＥＧ１３で置き換えることで得られる。
【０６２０】
同様に、２、６、１０、および１３のインデックスを有するｅＲＥＧにより形成される集約レベル２の潜在的な候補と、３、７、１１、および１５のインデックスを有するｅＲＥＧにより形成される集約レベル２の潜在的な候補を取得することができる。
【０６２１】
ＡＬ＝４であるとき、図２２を参照すると、潜在的なＥ−ＰＤＣＣＨ候補に対応する１６個のｅＲＥＧは８個のＰＲＢペアの中に配置され、各ＰＲＢペアは２個のｅＲＥＧを含む。当該８個のｅＲＥＧのインデックスは４個の値のみを含み、それらは、０、４、８、１６と、１、５、９、１３と、２、６、１０、１３と、３、７、１１、１５とのうち１つである。表５は、０、４、８、および１２のインデックスを有するｅＲＥＧにより形成される集約レベル４の潜在的な候補を示す。
【０６２２】
【表５】
0006032511.tif 000192
【０６２３】
表５では、１、５、９、および１３のインデックスを有するｅＲＥＧにより形成される集約レベル４の潜在的な候補は、ｅＲＥＧ０をｅＲＥＧ１で置き換え、ｅＲＥＧ４をｅＲＥＧ５で置き換え、ｅＲＥＧ８をｅＲＥＧ９で置き換え、ｅＲＥＧ１２をｅＲＥＧ１３で置き換えることによって得られる。同様に、２、６、１０、および１３のインデックスを有するｅＲＥＧにより形成される集約レベル４の潜在的な候補と、３、７、１１、および１５のインデックスを有するｅＲＥＧにより形成される集約レベル４の潜在的な候補を取得することができる。
【０６２４】
ＡＬ＝８であるとき、潜在的なＥ−ＰＤＣＣＨ候補に対応する１６個のｅＲＥＧは８個のＰＲＢペアの中に配置される。各ＰＲＢペアは４個のｅＲＥＧを含み、当該４個のｅＲＥＧは局所ｅＣＣＥに属する。当該８個のｅＲＥＧのインデックスは４つの値のみを有する。当該４個のインデックスは、０、４、８、１６と、１、５、９、１３と、２、６、１０、１３と、３、７、１１、１５とのうち何れか１つである。
【０６２５】
本発明の別の実施形態では、図２３に示すように、４個のｅＲＥＧがｅＣＣＥを形成する。例えば、合成モードでは、表２に示すように、０、４、８、および１２のインデックスを有するｅＲＥＧはｅＣＣＥ（ｅＣＣＥ０）を形成し、１、５、９、および１３のインデックスを有するｅＲＥＧはｅＣＣＥ（ｅＣＣＥ１）を形成し、２、６、１０、および１４のインデックスを有するｅＲＥＧはｅＣＣＥ（ｅＣＣＥ２）を形成し、３、７、１１、および１５のインデックスを有するｅＲＥＧはｅＣＣＥ（ｅＣＣＥ３）を形成する。図２３は、本発明に従う４個のＰＲＢペアを含むＥ−ＰＤＣＣＨ集合の別の実施形態の略図である。
【０６２６】
局所Ｅ−ＰＤＣＣＨに対して、ＰＲＢペアの４個のｅＲＥＧがｅＣＣＥを形成し、分散Ｅ−ＰＤＣＣＨに対して、ｅＣＣＥの４個のｅＲＥＧは４個のＰＲＢペアの中に配置される。図２３は、ＰＲＢペアにおけるｅＲＥＧの数を示し、ｅＲＥＧに対応するｅＣＣＥの数を示す。例えば、分散Ｅ−ＰＤＣＣＨに対して、ｅＣＣＥ１と番号付けしたｅＣＣＥは、ＰＲＢペア１のｅＲＥＧ４、ＰＲＢペア２のｅＲＥＧ８、ＰＲＢペア３のｅＲＥＧ１２、およびＰＲＢペア４のｅＲＥＧ０によって形成される。
【０６２７】
Ｎ＝４のとき、異なる集約レベルの開始位置に従って、集約レベルＬでの制御チャネル候補がＬ個の分散ｅＣＣＥを連続的に占有する。当該Ｌ個の分散ｅＣＣＥの開始番号ｚは（ｚ）ｍｏｄ（Ｌ）＝０を満たす。ｍｏｄはモジュロ演算を示し、Ｌは、集約レベルＬでの制御チャネル候補により占有される分散ｅＣＣＥの数を示す。図２４は、本発明に従う異なる集約レベルで制御チャネル候補により占有される分散ｅＣＣＥの１実施形態の略図である。
【０６２８】
図２４では、集約レベル１、２、４、および８がそれぞれ６、６、２、および２個の候補に対応すると仮定する。集約レベル１の開始位置がｅＣＣＥ１である場合には、６個のｅＣＣＥが連続的に６個の候補として選択され、当該６個の候補はｅＣＣＥ１、ｅＣＣＥ２、ｅＣＣＥ３、ｅＣＣＥ４、ｅＣＣＥ５、およびｅＣＣＥ６にそれぞれ対応する。集約レベル２の開始位置がｅＣＣＥ２である場合には、当該６個の候補は、ｅＣＣＥ２とｅＣＣＥ３、ｅＣＣＥ４とｅＣＣＥ５、ｅＣＣＥ６とｅＣＣＥ７、ｅＣＣＥ８とｅＣＣＥ９、ｅＣＣＥ１０とｅＣＣＥ１１、およびｅＣＣＥ１２とｅＣＣＥ１３にそれぞれ対応する。集約レベル４の開始位置がｅＣＣＥ４である場合には、当該２個の候補は、ｅＣＣＥ４、ｅＣＣＥ５、ｅＣＣＥ６、およびｅＣＣＥ７と、ｅＣＣＥ８、ｅＣＣＥ９、ｅＣＣＥ１０、およびｅＣＣＥ１１とにそれぞれ対応する。集約レベル８の開始位置がｅＣＣＥ８である場合には、当該２個の候補は、ｅＣＣＥ８乃至ｅＣＣＥ１５とｅＣＣＥ０乃至ｅＣＣＥ７とにそれぞれ対応する。それにより、局所ｅＣＣＥの最少のリソースが占有されることを保証することができる。図２４では、制御チャネル候補の位置を異なる集約レベルに関して描いてある。図２４では、影
【０６２９】
【数１８７】
0006032511.tif 000193
【０６３０】
は集約レベル１の制御チャネル候補を示し、影
【０６３１】
【数１８８】
0006032511.tif 000194
【０６３２】
は集約レベル２の制御チャネル候補を示し、影
【０６３３】
【数１８９】
0006032511.tif 000195
【０６３４】
は集約レベル４の制御チャネル候補を示し、影
【０６３５】
【数１９０】
0006032511.tif 000196
【０６３６】
は集約レベル８の制御チャネル候補を示す。
【０６３７】
この場合、集約レベルＬでの候補に対して、検索空間を式（１）により示してもよい。
【０６３８】
【数１９１】
0006032511.tif 000197
【０６３９】
式（１）では、Ｙｋは、サブフレームとともに変化する値であり、ハッシュ・アルゴリズムを用いた計算により得られる。ｉは集約レベルＬでの候補ｅＣＣＥに対応し、ｉ＝０、１、・・・、Ｌ−１である。キャリア集約のケースでは、制御チャネルがキャリア・インジケータ・フィールド（Ｃａｒｒｉｅｒ  Ｉｎｄｉｃａｔｏｒ  Ｆｉｅｌｄ、以降、略してＣＩＦ）を含むとき、ｍ’＝ｐ’＋Ｍ（Ｌ）・ｎＣＩである。ｎＣＩはＣＩＦ値を示す。ＵＥが複数のキャリアで構成されていない場合には、ｍ’＝ｐ’である。ｐ’＝０、１、・・・、Ｍ（Ｌ）−１であり、ｐ’は制御チャネル候補の数を示し、Ｍ（Ｌ）は集約レベルＬでのＥ−ＰＤＣＣＨの制御チャネル候補の数を示す。ＮＣＣＥ、ｋは集合内のｅＣＣＥの数を示す。
【０６４０】
ｍ＝８であるとき、即ち、集合が８個のＰＲＢペアを含むとき、ｅＣＣＥは２つのモードで番号付けされる。即ち、図２５に示すように、ｅＣＣＥを２つのＮ＝４個のＰＲＢペアに分割してもよく、図２４の方法に従って逐次的に番号付けされる。図２５は、本発明に従うｅＣＣＥのナンバリング・モードの１実施形態の略図である。
【０６４１】
あるいは、図２６に示すように、全てのＰＲＢペアにおいて、先ず、局所ｅＣＣＥ０により占有されるｅＲＥＧは分散ｅＣＣＥを番号付けするために使用され、先ず逐次的なｅＣＣＥが異なるＰＲＢペアに配置されるのが好ましく、局所ｅＣＣＥ１により占有されるｅＲＥＧは分散ｅＣＣＥを番号付けするために使用され、局所ｅＣＣＥ２により占有されるｅＲＥＧは分散ｅＣＣＥを番号付けするために使用され、局所ｅＣＣＥ３により占有されるｅＲＥＧは分散ｅＣＣＥを番号付けするために使用される。図２６は本発明に従うｅＣＣＥのナンバリング・モードの別の実施形態の略図である。
【０６４２】
同様に、ｍ＝４であるときの実施形態によれば、ＰＲＢペアにおいて、分散Ｅ−ＰＤＣＣＨが同一のｅＲＥＧを占有するケースでは、局所ｅＣＣＥの最少のリソースが占有されることを保証することができる。
【０６４３】
図２７は本発明に従う基地局の別の実施形態の略構造図である。当該実施形態の基地局が、本発明の図１７に示す実施形態の手続きを実装してもよい。図２７に示すように、基地局がプロセッサ２７０１と送信器２７０２を備えてもよい。
【０６４４】
プロセッサ２７０１は、送信すべき制御チャネルを送信するために使用されるｍ個のＰＲＢペアを決定し、送信すべき制御チャネルの集約レベルＬを決定し、集約レベルＬに従って、集約レベルＬでの第１の制御チャネル候補を決定するるように構成される。ｍ個のＰＲＢペアはｍ×ｎ個の第１の物理リソース要素を含み、各ＰＲＢペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数であり、Ｌ≧１、Ｌは整数であり、当該第１の制御チャネル候補はＬ個の第１の物理リソース要素に対応し、Ｌ×ｑ個の第２の物理リソース要素に対応する。
【０６４５】
送信器２７０２は、プロセッサ２７０２により決定された第１の制御チャネル候補がマップされる物理リソースに、送信すべき制御チャネルの制御情報を配置し、当該制御情報を送信するように構成される。
【０６４６】
当該実施形態では、局所送信モードを用いて、送信すべき制御チャネルを送信するために第１の物理リソース要素が使用されるとき、第１の物理リソース要素は局所化された第１の物理リソース要素であり、分散送信モードを用いて、送信すべき制御チャネルを送信するために第１の物理リソース要素が使用されるとき、第１の物理リソース要素は分散された第１の物理リソース要素であり、１つのＰＲＢペアの中の１つの局所化された第１の物理リソース要素により占有されるリソース要素の相対位置は、１つのＰＲＢペアの中の１つの分散された第１の物理リソース要素により占有されるリソース要素の相対位置に対応し、１つの局所化された第１の物理リソース要素により占有されるリソース要素は１つのＰＲＢペアに局所化され、１つの分散された第１の物理リソース要素により占有されるリソース要素は少なくとも２つのＰＲＢペアに配分される。
【０６４７】
当該実施形態では、１つのＰＲＢペアの中の１つの局所化された第１の物理リソース要素に含まれる第２の物理リソース要素の数と当該１つのＰＲＢペアの中の１つの分散された第１の物理リソース要素に含まれる第２の物理リソース要素の数との間にマッピング関係が存在し、１つの局所化された第１の物理リソース要素に含まれる第２の物理リソース要素が１つのＰＲＢペアの中に配置され、１つの分散された第１の物理リソース要素に含まれる第２の物理リソース要素が少なくとも２つのＰＲＢペアの中に配置される。
【０６４８】
より具体的には、１つのＰＲＢペアの中の１つの局所化された第１の物理リソース要素に含まれる第２の物理リソース要素の数および当該１つのＰＲＢペアの中の１つの分散された第１の物理リソース要素に含まれる第２の物理リソース要素の数は同じである。
【０６４９】
当該実施形態の１実装方式では、ｍ個のＰＲＢペアの中のｍ×ｎ個の分散された第１の物理リソース要素の数はそれぞれｘ、ｘ＋１、・・・、ｘ＋ｍ×ｎ−１であり、当該ＰＲＢペアの各々の中のｎ個の局所化された第１の物理リソース要素の数はそれぞれｚ、ｚ＋１、・・・、ｚ＋ｎ−１であり、ｍ個のＰＲＢペアにおいて同じ番号を有する局所化された第１の物理リソース要素により形成されるｍ個の分散された第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０６５０】
当該実施形態の別の実装方式では、当該ＰＲＢペアの各々はｎ個のサブブロックを含み、各サブブロックはｑ個の第２の物理リソース要素を含み、ｍ個のＰＲＢペアはｎ個のサブブロック・グループを含み、各サブブロック・グループはｍ個のサブブロックを含み、異なるＰＲＢペアの中に配置され、ｍ個のＰＲＢペアに含まれるｍ×ｎ個の第１の物理リソース要素の数はそれぞれｘ、ｘ＋１、・・・、ｘ＋ｍ×ｎ−１であり、各サブブロック・グループはｍ×ｑ個の第２の物理リソース要素を含み、当該サブブロック・グループの各々におけるｍ個の第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０６５１】
１つのサブブロックにおいて、各第１の物理リソース要素がマップされるＰＲＢペアの数は一様にＡであり、かつ／または、第１の物理リソース要素がＡ個のＰＲＢペアにマップされるとき、第１の物理リソース要素はＡ個のＰＲＢペアの中の各ＰＲＢペアにおいて同数の第２の物理リソース要素を占有し、かつ／または、ｍ個のＰＲＢペアにおいて、任意のＰＲＢペアの中の任意のサブブロックは１つの局所化された第１の物理リソース要素に対応する。
【０６５２】
当該実施形態では、集約レベルＬの第１の制御チャネル候補はＬ個の分散された第１の物理リソース要素を連続的に占有し、当該Ｌ個の分散された第１の物理リソース要素の開始番号はｚであり（ｚ）ｍｏｄ（Ｌ）＝０を満たす。ｍｏｄはモジュロ演算を示す。
【０６５３】
集約レベルＬで、制御チャネル候補の数がＭであるとき、任意の制御チャネル候補がＬ個の分散された第１の物理リソース要素を連続的に占有し、当該Ｍ個の制御チャネル候補はＭ×Ｌ個の連続する分散された第１の物理リソース要素を占有する。
【０６５４】
１つの分散された第１の物理リソース要素に含まれるｑ個の第２の物理リソース要素のインデックスが与えられると、当該ｑ個の第２の物理リソース要素は、ｍ個のＰＲＢペアの中の任意のＰＲＢペアから開始してｆ−１個のＰＲＢペアの間隔で、ＰＲＢペアに周期的にマップされる。
【０６５５】
【数１９２】
0006032511.tif 000198
【０６５６】
であり、
【０６５７】
【数１９３】
0006032511.tif 000199
【０６５８】
はｍ／ｑの切上げを示す。
【０６５９】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０６６０】
図２８は本発明に従うユーザ機器の別の実施形態の略構造図である。当該実施形態のユーザ機器が、本発明の図１８に示す実施形態の手続きを実装してもよい。図２８に示すように、当該ユーザ機器がプロセッサ２８０１と受信器２８０２を備えてもよい。
【０６６１】
プロセッサ２８０１は、送信すべき制御チャネルを送信するために使用されるｍ個のＰＲＢペアを決定し、集約レベルＬに従って、集約レベルＬのＭ個の制御チャネル候補を決定するように構成される。ｍ個のＰＲＢペアはｍ×ｎ個の第１の物理リソース要素を含み、各ＰＲＢペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２、およびｍ、ｎ、およびｑは全て整数であり、当該制御チャネル候補の各々はＬ個の第１の物理リソース要素に対応し、Ｌ×ｑ個の第２の物理リソース要素に対応する。
【０６６２】
受信器２８０２は、プロセッサ２８０１により決定されたＭ個の制御チャネル候補を検出するように構成される。
【０６６３】
当該実施形態では、局所送信モードを用いて、送信すべき制御チャネルを送信するために第１の物理リソース要素が使用されるとき、第１の物理リソース要素は局所化された第１の物理リソース要素であり、分散送信モードを用いて、送信すべき制御チャネルを送信するために第１の物理リソース要素が使用されるとき、第１の物理リソース要素は分散された第１の物理リソース要素であり、１つのＰＲＢペアの中の１つの局所化された第１の物理リソース要素により占有されるリソース要素の相対位置は、１つのＰＲＢペアの中の１つの分散された第１の物理リソース要素により占有されるリソース要素の相対位置に対応し、１つの局所化された第１の物理リソース要素により占有されるリソース要素は１つのＰＲＢペアに局所化され、１つの分散された第１の物理リソース要素により占有されるリソース要素は少なくとも２つのＰＲＢペアに配分される。
【０６６４】
当該実施形態では、１つのＰＲＢペアの中の１つの局所化された第１の物理リソース要素に含まれる第２の物理リソース要素の数と当該１つのＰＲＢペアの中の１つの分散された第１の物理リソース要素に含まれる第２の物理リソース要素の数との間にマッピング関係が存在し、１つの局所化された第１の物理リソース要素に含まれる第２の物理リソース要素が１つのＰＲＢペアの中に配置され、１つの分散された第１の物理リソース要素に含まれる第２の物理リソース要素が少なくとも２つのＰＲＢペアの中に配置される。
【０６６５】
より具体的には、１つのＰＲＢペアの中の１つの局所化された第１の物理リソース要素に含まれる第２の物理リソース要素の数および当該１つのＰＲＢペアの中の１つの分散された第１の物理リソース要素に含まれる第２の物理リソース要素の数は同じである。
【０６６６】
当該実施形態の１実装方式では、ｍ個のＰＲＢペアの中のｍ×ｎ個の分散された第１の物理リソース要素の数はそれぞれｘ、ｘ＋１、・・・、ｘ＋ｍ×ｎ−１であり、当該ＰＲＢペアの各々の中のｎ個の局所化された第１の物理リソース要素の数はそれぞれｚ、ｚ＋１、・・・、ｚ＋ｎ−１であり、ｍ個のＰＲＢペアにおいて同じ番号を有する局所化された第１の物理リソース要素により形成されるｍ個の分散された第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０６６７】
当該実施形態の別の実装方式では、当該ＰＲＢペアの各々はｎ個のサブブロックを含み、各サブブロックはｑ個の第２の物理リソース要素を含み、ｍ個のＰＲＢペアはｎ個のサブブロック・グループを含み、各サブブロック・グループはｍ個のサブブロックを含み、異なるＰＲＢペアの中に配置され、ｍ個のＰＲＢペアに含まれるｍ×ｎ個の第１の物理リソース要素の数はそれぞれｘ、ｘ＋１、・・・、ｘ＋ｍ×ｎ−１であり、各サブブロック・グループはｍ×ｑ個の第２の物理リソース要素を含み、当該サブブロック・グループの各々におけるｍ個の第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０６６８】
１つのサブブロックにおいて、各第１の物理リソース要素がマップされるＰＲＢペアの数は一様にＡであり、かつ／または、第１の物理リソース要素がＡ個のＰＲＢペアにマップされるとき、第１の物理リソース要素はＡ個のＰＲＢペアの中の各ＰＲＢペアにおいて同数の第２の物理リソース要素を占有し、かつ／または、ｍ個のＰＲＢペアにおいて、任意のＰＲＢペアの中の任意のサブブロックは１つの局所化された第１の物理リソース要素に対応する。
【０６６９】
当該実施形態では、集約レベルＬの第１の制御チャネル候補はＬ個の分散された第１の物理リソース要素を連続的に占有し、当該Ｌ個の分散された第１の物理リソース要素の開始番号はｚであり（ｚ）ｍｏｄ（Ｌ）＝０を満たす。ｍｏｄはモジュロ演算を示す。
【０６７０】
集約レベルＬで、制御チャネル候補の数がＭであるとき、任意の制御チャネル候補がＬ個の分散された第１の物理リソース要素を連続的に占有し、当該Ｍ個の制御チャネル候補はＭ×Ｌ個の連続する分散された第１の物理リソース要素を占有する。
【０６７１】
１つの分散された第１の物理リソース要素に含まれるｑ個の第２の物理リソース要素のインデックスが与えられると、当該ｑ個の第２の物理リソース要素は、ｍ個のＰＲＢペアの中の任意のＰＲＢペアから開始してｆ−１個のＰＲＢペアの間隔で、ＰＲＢペアに周期的にマップされる。
【０６７２】
【数１９４】
0006032511.tif 000200
【０６７３】
であり、
【０６７４】
【数１９５】
0006032511.tif 000201
【０６７５】
はｍ／ｑの切上げを示す。
【０６７６】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０６７７】
図２９は本発明の基地局の別の実施形態に従う略構造図である。当該実施形態の基地局が、本発明の図１７に示す実施形態の手続きを実装してもよい。図２９に示すように、基地局が決定モジュール２９０１と送信モジュール２９０２を備えてもよい。
【０６７８】
決定モジュール２９０１は、送信すべき制御チャネルを送信するために使用されるｍ個のＰＲＢペアを決定し、送信すべき制御チャネルの集約レベルＬを決定し、集約レベルＬに従って、集約レベルＬでの第１の制御チャネル候補を決定するように構成される。ｍ個のＰＲＢペアはｍ×ｎ個の第１の物理リソース要素を含み、各ＰＲＢペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２であり、ｍ、ｎ、およびｑは全て整数であり、Ｌ≧１、Ｌは整数であり、当該第１の制御チャネル候補はＬ個の第１の物理リソース要素に対応し、Ｌ×ｑ個の第２の物理リソース要素に対応する。
【０６７９】
送信モジュール２９０２は、決定モジュール２９０１により決定された当該第１の制御チャネル候補がマップされる物理リソースに、送信すべき制御チャネルの制御情報を配置し、当該制御情報を送信するように構成される。
【０６８０】
当該実施形態では、局所送信モードを用いて、送信すべき制御チャネルを送信するために第１の物理リソース要素が使用されるとき、第１の物理リソース要素は局所化された第１の物理リソース要素であり、分散送信モードを用いて、送信すべき制御チャネルを送信するために第１の物理リソース要素が使用されるとき、第１の物理リソース要素は分散された第１の物理リソース要素であり、１つのＰＲＢペアの中の１つの局所化された第１の物理リソース要素により占有されるリソース要素の相対位置は、１つのＰＲＢペアの中の１つの分散された第１の物理リソース要素により占有されるリソース要素の相対位置に対応し、１つの局所化された第１の物理リソース要素により占有されるリソース要素は１つのＰＲＢペアに局所化され、１つの分散された第１の物理リソース要素により占有されるリソース要素は少なくとも２つのＰＲＢペアに配分される。
【０６８１】
当該実施形態では、１つのＰＲＢペアの中の１つの局所化された第１の物理リソース要素に含まれる第２の物理リソース要素の数と当該１つのＰＲＢペアの中の１つの分散された第１の物理リソース要素に含まれる第２の物理リソース要素の数との間にマッピング関係が存在し、１つの局所化された第１の物理リソース要素に含まれる第２の物理リソース要素が１つのＰＲＢペアの中に配置され、１つの分散された第１の物理リソース要素に含まれる第２の物理リソース要素が少なくとも２つのＰＲＢペアの中に配置される。
【０６８２】
より具体的には、１つのＰＲＢペアの中の１つの局所化された第１の物理リソース要素に含まれる第２の物理リソース要素の数および当該１つのＰＲＢペアの中の１つの分散された第１の物理リソース要素に含まれる第２の物理リソース要素の数は同じである。
【０６８３】
当該実施形態の１実装方式では、ｍ個のＰＲＢペアの中のｍ×ｎ個の分散された第１の物理リソース要素の数はそれぞれｘ、ｘ＋１、・・・、ｘ＋ｍ×ｎ−１であり、当該ＰＲＢペアの各々の中のｎ個の局所化された第１の物理リソース要素の数はそれぞれｚ、ｚ＋１、・・・、ｚ＋ｎ−１であり、ｍ個のＰＲＢペアにおいて同じ番号を有する局所化された第１の物理リソース要素により形成されるｍ個の分散された第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０６８４】
当該実施形態の別の実装方式では、当該ＰＲＢペアの各々はｎ個のサブブロックを含み、各サブブロックはｑ個の第２の物理リソース要素を含み、ｍ個のＰＲＢペアはｎ個のサブブロック・グループを含み、各サブブロック・グループはｍ個のサブブロックを含み、異なるＰＲＢペアの中に配置され、ｍ個のＰＲＢペアに含まれるｍ×ｎ個の第１の物理リソース要素の数はそれぞれｘ、ｘ＋１、・・・、ｘ＋ｍ×ｎ−１であり、各サブブロック・グループはｍ×ｑ個の第２の物理リソース要素を含み、当該サブブロック・グループの各々におけるｍ個の第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０６８５】
１つのサブブロックにおいて、各第１の物理リソース要素がマップされるＰＲＢペアの数は一様にＡであり、かつ／または、第１の物理リソース要素がＡ個のＰＲＢペアにマップされるとき、第１の物理リソース要素はＡ個のＰＲＢペアの中の各ＰＲＢペアにおいて同数の第２の物理リソース要素を占有し、かつ／または、ｍ個のＰＲＢペアにおいて、任意のＰＲＢペアの中の任意のサブブロックは１つの局所化された第１の物理リソース要素に対応する。
【０６８６】
当該実施形態では、集約レベルＬの第１の制御チャネル候補はＬ個の分散された第１の物理リソース要素を連続的に占有し、当該Ｌ個の分散された第１の物理リソース要素の開始番号はｚであり（ｚ）ｍｏｄ（Ｌ）＝０を満たす。ｍｏｄはモジュロ演算を示す。
【０６８７】
集約レベルＬで、制御チャネル候補の数がＭであるとき、任意の制御チャネル候補がＬ個の分散された第１の物理リソース要素を連続的に占有し、当該Ｍ個の制御チャネル候補はＭ×Ｌ個の連続する分散された第１の物理リソース要素を占有する。
【０６８８】
１つの分散された第１の物理リソース要素に含まれるｑ個の第２の物理リソース要素のインデックスが与えられると、当該ｑ個の第２の物理リソース要素は、ｍ個のＰＲＢペアの中の任意のＰＲＢペアから開始してｆ−１個のＰＲＢペアの間隔で、ＰＲＢペアに周期的にマップされる。
【０６８９】
【数１９６】
0006032511.tif 000202
【０６９０】
であり、
【０６９１】
【数１９７】
0006032511.tif 000203
【０６９２】
はｍ／ｑの切上げを示す。
【０６９３】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０６９４】
図３０は本発明に従うユーザ機器の別の実施形態の略構造図である。当該実施形態のユーザ機器が、本発明の図１８に示す実施形態の手続きを実装してもよい。図３０に示すように、当該ユーザ機器が決定モジュール３００１と受信モジュール３００２を備えてもよい。
【０６９５】
決定モジュール３００１は、送信すべき制御チャネルを送信するために使用されるｍ個のＰＲＢペアを決定し、集約レベルＬに従って、集約レベルＬのＭ個の制御チャネル候補を決定するように構成される。ｍ個のＰＲＢペアはｍ×ｎ第１の物理リソース要素を含み、各ＰＲＢペアにより占有されるリソース要素の数はｎ個の第１の物理リソース要素により占有されるリソース要素の数と等しく、第１の物理リソース要素の各々はｑ個の第２の物理リソース要素を含み、ｍ≧１、ｎ≧１、ｑ≧２、およびｍ、ｎ、およびｑは全て整数である。当該制御チャネル候補の各々はＬ個の第１の物理リソース要素に対応し、Ｌ×ｑ個の第２の物理リソース要素に対応する。
【０６９６】
受信モジュール３００２は、決定モジュール３００１により決定されたＭ個の制御チャネル候補を検出するように構成される。
【０６９７】
当該実施形態では、局所送信モードを用いて、送信すべき制御チャネルを送信するために第１の物理リソース要素が使用されるとき、第１の物理リソース要素は局所化された第１の物理リソース要素であり、分散送信モードを用いて、送信すべき制御チャネルを送信するために第１の物理リソース要素が使用されるとき、第１の物理リソース要素は分散された第１の物理リソース要素であり、１つのＰＲＢペアの中の１つの局所化された第１の物理リソース要素により占有されるリソース要素の相対位置は、１つのＰＲＢペアの中の１つの分散された第１の物理リソース要素により占有されるリソース要素の相対位置に対応し、１つの局所化された第１の物理リソース要素により占有されるリソース要素は１つのＰＲＢペアに局所化され、１つの分散された第１の物理リソース要素により占有されるリソース要素は少なくとも２つのＰＲＢペアに配分される。
【０６９８】
当該実施形態では、１つのＰＲＢペアの中の１つの局所化された第１の物理リソース要素に含まれる第２の物理リソース要素の数と当該１つのＰＲＢペアの中の１つの分散された第１の物理リソース要素に含まれる第２の物理リソース要素の数との間にマッピング関係が存在し、１つの局所化された第１の物理リソース要素に含まれる第２の物理リソース要素が１つのＰＲＢペアの中に配置され、１つの分散された第１の物理リソース要素に含まれる第２の物理リソース要素が少なくとも２つのＰＲＢペアの中に配置される。
【０６９９】
より具体的には、１つのＰＲＢペアの中の１つの局所化された第１の物理リソース要素に含まれる第２の物理リソース要素の数および当該１つのＰＲＢペアの中の１つの分散された第１の物理リソース要素に含まれる第２の物理リソース要素の数は同じである。
【０７００】
当該実施形態の１実装方式では、ｍ個のＰＲＢペアの中のｍ×ｎ個の分散された第１の物理リソース要素の数はそれぞれｘ、ｘ＋１、・・・、ｘ＋ｍ×ｎ−１であり、当該ＰＲＢペアの各々の中のｎ個の局所化された第１の物理リソース要素の数はそれぞれｚ、ｚ＋１、・・・、ｚ＋ｎ−１であり、ｍ個のＰＲＢペアにおいて同じ番号を有する局所化された第１の物理リソース要素により形成されるｍ個の分散された第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０７０１】
当該実施形態の別の実装方式では、当該ＰＲＢペアの各々はｎ個のサブブロックを含み、各サブブロックはｑ個の第２の物理リソース要素を含み、ｍ個のＰＲＢペアはｎ個のサブブロック・グループを含み、各サブブロック・グループはｍ個のサブブロックを含み、異なるＰＲＢペアの中に配置され、ｍ個のＰＲＢペアに含まれるｍ×ｎ個の第１の物理リソース要素の数はそれぞれｘ、ｘ＋１、・・・、ｘ＋ｍ×ｎ−１であり、各サブブロック・グループはｍ×ｑ個の第２の物理リソース要素を含み、当該サブブロック・グループの各々におけるｍ個の第１の物理リソース要素の数はｙ、ｙ＋１、・・・、ｙ＋ｍ−１であり、ｙの値はｘ、ｘ＋ｍ、ｘ＋２ｍ、・・・、ｘ＋（ｎ−１）×ｍである。
【０７０２】
１つのサブブロックにおいて、各第１の物理リソース要素がマップされるＰＲＢペアの数は一様にＡであり、かつ／または、第１の物理リソース要素がＡ個のＰＲＢペアにマップされるとき、第１の物理リソース要素はＡ個のＰＲＢペアの中の各ＰＲＢペアにおいて同数の第２の物理リソース要素を占有し、かつ／または、ｍ個のＰＲＢペアにおいて、任意のＰＲＢペアの中の任意のサブブロックは１つの局所化された第１の物理リソース要素に対応する。
【０７０３】
当該実施形態では、集約レベルＬの第１の制御チャネル候補はＬ個の分散された第１の物理リソース要素を連続的に占有し、当該Ｌ個の分散された第１の物理リソース要素の開始番号はｚであり（ｚ）ｍｏｄ（Ｌ）＝０を満たす。ｍｏｄはモジュロ演算を示す。
【０７０４】
集約レベルＬで、制御チャネル候補の数がＭであるとき、任意の制御チャネル候補がＬ個の分散された第１の物理リソース要素を連続的に占有し、当該Ｍ個の制御チャネル候補はＭ×Ｌ個の連続する分散された第１の物理リソース要素を占有する。
【０７０５】
１つの分散された第１の物理リソース要素に含まれるｑ個の第２の物理リソース要素のインデックスが与えられると、当該ｑ個の第２の物理リソース要素は、ｍ個のＰＲＢペアの中の任意のＰＲＢペアから開始してｆ−１個のＰＲＢペアの間隔で、ＰＲＢペアに周期的にマップされる。
【０７０６】
【数１９８】
0006032511.tif 000204
【０７０７】
であり、
【０７０８】
【数１９９】
0006032511.tif 000205
【０７０９】
はｍ／ｑの切上げを示す。
【０７１０】
上述の実施形態では、集約レベルＬで、送信すべき分散制御チャネルの任意の制御チャネル候補が物理リソースにマップされ、当該制御チャネル候補の一部のｅＲＥＧがＰＲＢペアにマップされるとき、これらのｅＲＥＧが当該ＰＲＢペアにおける最少の局所ｅＣＣＥに対応する物理リソースに好適にマップされ、それにより、様々なモードの制御チャネルの多重化効率が高まる。
【０７１１】
添付図面は本発明の例示的な諸実施形態の略図にすぎず、添付図面におけるモジュールまたは手続きは本発明の実装に必要でないこともあることは当業者には理解される。
【０７１２】
便宜および説明の簡単さのため、上述のシステム、装置、およびモジュールの詳細な動作プロセスについては、上述の方法の諸実施形態における対応するプロセスを参照でき、詳細についてはここでは再び説明はしないことは当業者には明らかに理解される。
【０７１３】
本明細書で提供したこれらの幾つかの実施形態において、開示したシステム、装置、および方法を他の方式で実装してもよいことは理解される。例えば、説明した装置の実施形態は例にすぎない。例えば、モジュール分割は論理的な機能分割にすぎず、実際の実装では他の分割であってもよい。例えば、複数のモジュールまたはコンポーネントを組み合わせるかもしくは別のシステムに統合してもよく、または、幾つかの機能を無視するかまたは実施しなくともよい。さらに、表示または議論した相互接続または直接接続または通信接続を幾つかのインタフェースにより実装してもよい。装置またはユニットの間の間接接続または通信接続を電気的、機械的、または他の形態で実装してもよい。
【０７１４】
本発明の諸実施形態で提供した方法をソフトウェア機能ユニットの形で実装し独立な製品として販売または使用するときは、当該機能をコンピュータ可読記憶媒体に格納してもよい。かかる理解のもと、本発明の技術的解決策を本質的に、または先行技術に貢献する部分、または当該技術的解決策の一部を、ソフトウェア製品の形で実装してもよい。当該コンピュータ・ソフトウェア製品は記憶媒体に格納され、本発明の諸実施形態で説明した方法のステップの全部または一部を実施するようにコンピュータ装置（パーソナル・コンピュータ、サーバ、またはネットワーク装置等であってもよい）に指示するための幾つかの命令を含む。上述の記憶媒体には、ＵＳＢフラッシュ・ディスク、取外し可能ハード・ディスク、読取専用メモリ（Ｒｅａｄ−Ｏｎｌｙ  Ｍｅｍｏｒｙ、ＲＯＭ）、ランダム・アクセスメモリ（Ｒａｎｄｏｍ  Ａｃｃｅｓｓ  Ｍｅｍｏｒｙ、ＲＡＭ）、磁気ディスク、または光ディスクのような、プログラム・コードを格納できる任意の媒体が含まれる。
【０７１５】
最後に、上述の諸実施形態は本発明の技術的解決策を説明するためのものにすぎず本発明を限定するものではないことに留意されたい。上述の諸実施形態を参照して本発明を詳細に説明したが、上述の諸実施形態で説明した技術的解決策に修正を加えるか、または、その一部もしくは全ての技術的解決策に均等な置換えを、かかる修正または置換えにより対応する技術的解決策の本質が本発明の諸実施形態の技術的解決策の範囲から逸脱しない限り、実施してもよいことは当業者には理解される。
【符号の説明】
【０７１６】
１３  基地局
１３０１  プロセッサ
１３０２  送信器
１４  ユーザ機器
１４０１  プロセッサ
１４０２  受信器
１５  基地局
１５０１  第１の決定モジュール
１５０２  送信モジュール
１６  ユーザ機器
１６０１  第２の決定モジュール
１６０２  受信モジュール
２７０１  プロセッサ
２７０２  送信器
２８０１  プロセッサ
２８０２  受信器
２９０１  決定モジュール
２９０２  送信モジュール
３００１  決定モジュール
３００２  受信モジュール
0006032511.tif 000214
【図１】
0006032511.tif 000215
【図３】
0006032511.tif 000216
【図５】
0006032511.tif 000217
【図６】
0006032511.tif 000218
【図９】
0006032511.tif 000219
【図１１】
0006032511.tif 000220
【図１２】
0006032511.tif 000221
【図１３】
0006032511.tif 000222
【図１４】
0006032511.tif 000223
【図１５】
0006032511.tif 000224
【図１６】
0006032511.tif 000225
【図１７】
0006032511.tif 000226
【図１８】
0006032511.tif 000227
【図１９】
0006032511.tif 000228
【図２０】
0006032511.tif 000229
【図２１】
0006032511.tif 000230
【図２２】
0006032511.tif 000231
【図２３】
0006032511.tif 000232
【図２５】
0006032511.tif 000233
【図２６】
0006032511.tif 000234
【図２７】
0006032511.tif 000235
【図２８】
0006032511.tif 000236
【図２９】
0006032511.tif 000237
【図３０】
0006032511.tif 000238
【図２Ａ】
0006032511.tif 000239
【図２Ｂ】
0006032511.tif 000240
【図４】
0006032511.tif 000241
【図７】
0006032511.tif 000242
【図８】
0006032511.tif 000243
【図１０】
0006032511.tif 000244
【図２４】
0006032511.tif 000245